(57)【要約】  消費電力の削減およびＥＭＩの低減と安定した維持放電とを実現する。維持パルス発生回路は、電力回収回路、クランプ回路、および補助回路を備える。電力回収回路は、ＬＣ共振用の回収インダクタと電力回収用の回収コンデンサとを有し、表示電極対の容量性負荷に蓄積された電力を、ＬＣ共振によって回収コンデンサに回収し、その回収した電力を表示電極対の駆動に再利用する。クランプ回路は、表示電極対を電源電位および接地電位にクランプする。補助回路は、回収コンデンサに直列に接続した補助コンデンサと補助コンデンサとのＬＣ共振に用いる補助インダクタとを有し、維持パルスの立ち上がり時および立ち下がり時に回収インダクタに流れる電流を、回収インダクタと容量性負荷とのＬＣ共振によってのみ流れる電流よりも一時的に増加させる。
2009098879.tif 000002
【特許請求の範囲】
【請求項１】
容量性負荷に維持パルスを印加する維持パルス発生回路を備えた容量性負荷駆動装置であって、
前記維持パルス発生回路は、
ＬＣ共振用の回収インダクタと電力回収用の回収コンデンサとを有し前記容量性負荷に蓄積された電力をＬＣ共振によって前記回収コンデンサに回収しその回収した電力を前記容量性負荷の駆動に再利用する電力回収回路と、
前記容量性負荷を電源電位および接地電位にクランプするクランプ回路と、
前記回収コンデンサに直列に接続した補助コンデンサと前記補助コンデンサとのＬＣ共振に用いる補助インダクタとを有する補助回路とを備え、
前記補助回路は、前記補助コンデンサと前記補助インダクタとのＬＣ共振によって、前記補助コンデンサの電位を、前記維持パルスの立ち上がりの直前には前記回収コンデンサよりも高い電位にし、前記維持パルスの立ち下がりの直前には前記回収コンデンサよりも低い電位にして、前記維持パルスの立ち上がり時および立ち下がり時に前記回収インダクタに流れる電流を、前記回収インダクタと前記容量性負荷とのＬＣ共振によってのみ流れる電流よりも一時的に増加させることを特徴とする容量性負荷駆動装置。
【請求項２】
表示電極対を構成する複数の走査電極および維持電極を有するプラズマディスプレイパネルの前記表示電極対に、初期化期間、書込み期間および維持期間を有するサブフィールドの前記維持期間に維持パルスを交互に印加する維持パルス発生回路を備えたプラズマディスプレイ装置であって、
前記維持パルス発生回路は、
ＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路と、
前記表示電極対を電源電位および接地電位にクランプするクランプ回路と、
前記回収コンデンサに直列に接続した補助コンデンサと前記補助コンデンサとのＬＣ共振に用いる補助インダクタとを有する補助回路とを備え、
前記補助回路は、前記補助コンデンサと前記補助インダクタとのＬＣ共振によって、前記補助コンデンサの電位を、前記維持パルスの立ち上がりの直前には前記回収コンデンサよりも高い電位にし、前記維持パルスの立ち下がりの直前には前記回収コンデンサよりも低い電位にして、前記維持パルスの立ち上がり時および立ち下がり時に前記回収インダクタに流れる電流を、前記回収インダクタと前記容量性負荷とのＬＣ共振によってのみ流れる電流よりも一時的に増加させることを特徴とするプラズマディスプレイ装置。
【請求項３】
前記補助回路は、
一方の端子が電源電位に他方の端子が前記補助インダクタにそれぞれ電気的に接続され前記補助コンデンサの電位を上昇させるときに導通させる電源側補助スイッチと、
一方の端子が基準電位に他方の端子が前記補助インダクタにそれぞれ電気的に接続され前記補助コンデンサの電位を降下させるときに導通させる基準電位側補助スイッチと、
前記維持パルスの立ち上がり時に前記補助コンデンサから前記回収インダクタへ順方向に流れる電流の逆流を防止する第１のダイオードと、
前記維持パルスの立ち下がり時に前記回収インダクタから前記補助コンデンサへ順方向に流れる電流の逆流を防止する第２のダイオードとを有することを特徴とする請求項２に記載のプラズマディスプレイ装置。
【請求項４】
前記補助回路は、前記補助コンデンサの容量を、前記回収コンデンサの１０分の１以下の容量に設定したことを特徴とする請求項２に記載のプラズマディスプレイ装置。
【請求項５】
前記補助回路は、前記補助コンデンサと前記補助インダクタとの共振周期の２分の１が、前記維持パルスの発生時に前記表示電極対を電源電位にクランプする期間以下でかつ前記表示電極対を接地電位にクランプする期間以下になるように、前記補助コンデンサの容量および前記補助インダクタのインダクタンスを設定したことを特徴とする請求項２に記載のプラズマディスプレイ装置。
【請求項６】
前記補助回路は、
前記補助インダクタを、電源電位側から前記補助コンデンサへ電流を流すときに用いる第１の補助インダクタと、前記補助コンデンサから基準電位側へ電流を流すときに用いる第２の補助インダクタとに分けて構成し、
前記電源側補助スイッチの他方の端子を前記第１の補助インダクタに電気的に接続するとともに、前記基準電位側補助スイッチの他方の端子を前記第２の補助インダクタに電気的に接続して構成したことを特徴とする請求項３に記載のプラズマディスプレイ装置。
【請求項７】
前記補助回路は、
前記補助コンデンサを、前記回収コンデンサよりも高い電位にするときに用いる電源側補助コンデンサと、前記回収コンデンサよりも低い電位にするときに用いる基準電位側補助コンデンサとに分けて構成し、
前記第１の補助インダクタを前記電源側補助コンデンサとのＬＣ共振に用い、前記第２の補助インダクタを前記基準電位側補助コンデンサとのＬＣ共振に用いる構成としたことを特徴とする請求項６に記載のプラズマディスプレイ装置。
【請求項８】
前記補助回路は、
前記第１の補助インダクタとは別に第３の補助インダクタを前記電源側補助コンデンサに直列に接続し、
前記第２の補助インダクタとは別に第４の補助インダクタを前記基準電位側補助コンデンサに直列に接続したことを特徴とする請求項７に記載のプラズマディスプレイ装置。
【請求項９】
前記補助回路は、前記補助コンデンサをチャージポンプするために、前記回収コンデンサと前記補助コンデンサとの間に直列に挿入されたスイッチング素子と、電源電位と基準電位との間に直列に設けられ電気的な接続点が前記補助コンデンサに電気的に接続された２つのスイッチング素子とを有することを特徴とする請求項２に記載のプラズマディスプレイ装置。
【請求項１０】
前記補助回路は、複数のコンデンサを直列に接続して前記補助コンデンサを構成するとともに、前記補助コンデンサを構成する複数のコンデンサと同数の前記補助インダクタおよび前記電源側補助スイッチおよび前記基準電位側補助スイッチを有することを特徴とする請求項２に記載のプラズマディスプレイ装置。
【請求項１１】
前記補助回路は、前記補助回路に用いる電源電位および基準電位を表示画像に応じて可変することを特徴とする請求項２に記載のプラズマディスプレイ装置。
【請求項１２】
前記補助回路は、前記電源側補助スイッチおよび前記基準電位側補助スイッチの導通時間を表示画像に応じて可変することを特徴とする請求項３に記載のプラズマディスプレイ装置。
【請求項１３】
表示電極対を構成する複数の走査電極および維持電極を有するプラズマディスプレイパネルを、
ＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路、および前記表示電極対を電源電位および接地電位にクランプするクランプ回路、および前記回収コンデンサに直列に接続した補助コンデンサと前記補助コンデンサとのＬＣ共振に用いる補助インダクタとを有する補助回路を用い、
初期化期間と書込み期間と維持期間とを有する複数のサブフィールドの前記維持期間において維持パルスを発生させて前記表示電極対に交互に印加して駆動するプラズマディスプレイパネルの駆動方法であって、
前記補助コンデンサの電位を、前記維持パルスの立ち上がりの直前には前記回収コンデンサよりも高い電位にし、前記維持パルスの立ち下がりの直前には前記回収コンデンサよりも低い電位にして、前記維持パルスの立ち上がり時および立ち下がり時に前記回収インダクタに流れる電流を、前記回収インダクタと前記容量性負荷とのＬＣ共振によってのみ流れる電流よりも一時的に増加させることを特徴とするプラズマディスプレイパネルの駆動方法。
【請求項１４】
前記補助回路に、一方の端子を電源電位に他方の端子を前記補助インダクタにそれぞれ電気的に接続した電源側補助スイッチと、一方の端子を基準電位に他方の端子を前記補助インダクタにそれぞれ電気的に接続した基準電位側補助スイッチとを設け、
前記補助コンデンサの電位を上昇させるときには前記電源側補助スイッチを導通させ、前記補助コンデンサの電位を降下させるときには前記基準電位側補助スイッチを導通させることを特徴とする請求項１３に記載のプラズマディスプレイパネルの駆動方法。
【請求項１５】
前記補助回路に用いる電源電位および基準電位を表示画像に応じて制御することを特徴とする請求項１３に記載のプラズマディスプレイパネルの駆動方法。
【請求項１６】
前記補助コンデンサの電位を上昇させるときに前記電源側補助スイッチを導通させる時間、および前記補助コンデンサの電位を降下させるときに前記基準電位側補助スイッチを導通させる時間を表示画像に応じて制御することを特徴とする請求項１４に記載のプラズマディスプレイパネルの駆動方法。
【請求項１７】
容量性負荷に維持パルスを印加する維持パルス発生回路を備えた容量性負荷駆動装置であって、
前記維持パルス発生回路は、
ＬＣ共振用の回収インダクタと電力回収用の回収コンデンサと電力回収経路と電力供給経路とを有し、前記容量性負荷に蓄積された電力をＬＣ共振によって電力回収経路を介して前記回収コンデンサに回収し、その回収した電力を電力供給経路を介して前記容量性負荷の駆動に再利用する電力回収回路と、
前記回収コンデンサに直列に接続した補助コンデンサと、前記補助コンデンサとのＬＣ共振に用いる補助インダクタと、前記補助コンデンサを第１の方向に充電する第１充電経路と、前記補助コンデンサを第２の方向に充電する第２充電経路とを有する補助回路とを備え、
前記補助回路は、前記電力供給経路を介して容量性負荷を駆動する直前に前記補助コンデンサを第１の方向に充電する一方、電力回収経路を介して前記回収コンデンサに電力を回収する直前に前記補助コンデンサを第２の方向に充電して、前記補助コンデンサと前記補助インダクタとのＬＣ共振によって、前記補助コンデンサの電位を、前記維持パルスの立ち上がりの直前には前記回収コンデンサよりも高い電位にし、前記維持パルスの立ち下がりの直前には前記回収コンデンサよりも低い電位にして、前記維持パルスの立ち上がり時および立ち下がり時に前記回収インダクタに流れる電流を、前記回収インダクタと前記容量性負荷とのＬＣ共振によってのみ流れる電流よりも一時的に増加させることを特徴とする容量性負荷駆動装置。
【請求項１８】
主電力および補助電力を用いて、容量性負荷を駆動する容量性負荷駆動装置であって、
前記主電力を充放電可能な主容量部と、
前記補助電力を充放電可能な補助蓄積部と、
前記容量性負荷と第１ＬＣ共振する主誘導部と、
前記第１ＬＣ共振に基づいて、前記容量性負荷から前記主誘導部を経由して前記主容量部へ、前記主電力を回収する経路を表す回収経路と、
前記第１ＬＣ共振に基づいて、前記主容量部から前記主誘導部を経由して前記容量性負荷へ、回収された前記主電力を供給する経路を表す供給経路と、
前記補助蓄積部を含む経路であって、前記主電力の回収動作を強める方向に、前記補助蓄積部に前記補助電力を充電する経路を表す回収充電経路と、
前記補助蓄積部において充電された前記補助電力を、前記主誘導部から前記補助蓄積部へ放電し、前記主電力の回収動作を急峻にする経路を表す回収放電経路と、
前記補助蓄積部を含む経路であって、前記主電力の供給動作を強める方向に、前記補助蓄積部に前記補助電力を充電する経路を表す供給充電経路と、
前記補助蓄積部において充電された前記補助電力を、前記補助蓄積部から前記主誘導部へ放電し、前記主電力の供給動作を急峻にする経路を表す供給放電経路と、を有し、
前記回収経路は、前記回収放電経路の少なくとも一部を共有し、
前記供給経路は、前記供給放電経路の少なくとも一部を共有する、容量性負荷駆動装置。
【請求項１９】
さらに、前記主電力の少なくとも一部を前記容量性負荷へ供給し、前記容量性負荷の所定電極を主電位および基準電位に保持することが可能な保持回路を有する、請求項１８に記載の容量性負荷駆動装置。
【請求項２０】
前記回収経路は、前記保持回路において保持される保持電位が前記主電位から前記基準電位へ変化する間に、前記主電力を回収する経路を表し、
前記供給経路は、前記保持電位が前記基準電位から前記主電位へ変化する間に、前記主電力を供給する経路を表す、請求項１９に記載の容量性負荷駆動装置。
【請求項２１】
前記補助蓄積部は、容量性を有する補助容量部である、請求項１８に記載の容量性負荷駆動装置。
【請求項２２】
前記補助容量部は、第１副補助容量部および第２副補助容量部を含む、請求項２１に記載の容量性負荷駆動装置。
【請求項２３】
前記回収経路は、前記主誘導部と前記主容量部との間において、スイッチを含む、請求項１８に記載の容量性負荷駆動装置。
【請求項２４】
前記回収経路は、前記スイッチから前記主容量部へ、順方向に配置される第１ダイオードを含む、請求項２３に記載の容量性負荷駆動装置。
【請求項２５】
前記回収放電経路は、前記スイッチから前記補助蓄積部へ、順方向に配置される第２ダイオードを含む、請求項２３に記載の容量性負荷駆動装置。
【請求項２６】
前記供給経路は、前記主容量部と前記主誘導部との間において、スイッチを含む、請求項１８に記載の容量性負荷駆動装置。
【請求項２７】
前記供給経路は、前記主容量部から前記スイッチへ、順方向に配置される第１ダイオードを含む、請求項２６に記載の容量性負荷駆動装置。
【請求項２８】
前記供給放電経路は、前記補助蓄積部から前記スイッチへ、順方向に配置される第２ダイオードを含む、請求項２６に記載の容量性負荷駆動装置。
【請求項２９】
さらに、前記補助蓄積部と第２ＬＣ共振する補助誘導部を有する、請求項１８に記載の容量性負荷駆動装置。
【請求項３０】
前記回収充電経路は、前記第２ＬＣ共振に基づいて、前記主容量部の一端から、前記補助蓄積部および前記補助誘導部を経由して、前記主容量部の他端へ、前記補助電力を充電する経路を表す、請求項２９に記載の容量性負荷駆動装置。
【請求項３１】
前記回収充電経路は、前記補助誘導部と前記主容量部の他端との間において、スイッチを含む、請求項３０に記載の容量性負荷駆動装置。
【請求項３２】
前記供給充電経路は、前記第２ＬＣ共振に基づいて、前記補助電力を供給する補助電源から前記補助誘導部を経由して前記補助蓄積部へ、前記補助電力を充電する経路を表す、請求項２９に記載の容量性負荷駆動装置。
【請求項３３】
前記供給充電経路は、前記補助電源と前記補助誘導部との間において、スイッチを含む、請求項３２に記載の容量性負荷駆動装置。
【請求項３４】
第１電源および第２電源を用いて、容量性負荷を駆動する容量性負荷駆動装置であって、
前記第１電源から主電力を容量性負荷へ供給し、前記容量性負荷の所定電極を主電位および基準電位に保持する保持回路と、
前記保持回路において保持される保持電位が主電位から基準電位へ変化する間に、前記容量性負荷から主電力を回収し、保持電位が基準電位から主電位へ変化する間に、回収された主電力を前記容量性負荷へ供給する電力循環回路と、
前記電力循環回路から主電力の一部を補助電力として受ける一方、前記第２電源から補助電力を受ける補助回路と、を有し、
前記電力循環回路は、前記補助回路が受けた補助電力に基づいて、主電力の回収動作および供給動作を急峻にする、容量性負荷駆動装置。
【請求項３５】
前記電力循環回路は、回収された主電力を一時的に蓄積する主容量部を含み、
前記補助回路は、補助電力を一時的に蓄積する補助容量部を含み、
前記補助容量部の一端は、前記主容量部の一端に接続される、請求項３４に記載の容量性負荷駆動装置。
【請求項３６】
前記補助回路は、保持電位が主電位から基準電位へ変化する直前に、回収された主電力の一部を前記主容量部から補助電力として受け、前記補助容量部の他端の電位を、前記主容量部の一端の電位よりも低く設定し、保持電位が基準電位から主電位へ変化する直前に、前記第２電源からの補助電力を受け、前記補助容量部の他端の電位を、前記主容量部の一端の電位よりも高く設定する、請求項３５に記載の容量性負荷駆動装置。
【請求項３７】
前記補助回路は、前記補助容量部の他端に接続される補助誘導部を含み、
前記補助誘導部は、前記補助容量部との共振動作を行う、請求項３５に記載の容量性負荷駆動装置。
【請求項３８】
前記補助回路は、前記補助容量部と前記補助誘導部との共振周期の半分が、保持電位が保持される期間以下になるように、前記補助容量部の容量および前記補助誘導部のインダクタンスを設定した、請求項３７に記載の容量性負荷駆動装置。
【請求項３９】
前記補助回路は、
前記補助容量部の他端から前記電力循環回路へ、順方向に接続される第１ダイオードと、
前記電力循環回路から前記補助容量部の他端へ、順方向に接続される第２ダイオードと、を含む、請求項３５に記載の容量性負荷駆動装置。
【請求項４０】
前記補助回路は、前記主容量部の一端および前記補助容量部の一端に接続されるチャージポンプ回路を含み、
前記チャージポンプ回路は、前記補助容量部の一端の電位を切換えることにより、チャージポンプする、請求項３５に記載の容量性負荷駆動装置。
【請求項４１】
前記補助回路は、前記補助容量部の容量を、前記主容量部の容量の１０分の１以下に設定した、請求項３５に記載の容量性負荷駆動装置。
【請求項４２】
前記補助回路は、
補助電力を一時的に蓄積する補助蓄積回路と、
前記補助蓄積回路に接続されるスイッチ部と、を含み、
前記スイッチ部は、前記補助蓄積回路を前記第２電源に接続して補助電位に設定する、請求項３４に記載の容量性負荷駆動装置。
【請求項４３】
前記補助蓄積回路は、補助容量部を含む、請求項４２に記載の容量性負荷駆動装置。
【請求項４４】
前記スイッチ部は、
導通時に前記補助蓄積回路を補助電位に設定する第１スイッチと、
導通時に前記補助蓄積回路を基準電位に設定する第２スイッチと、を含む、請求項４２に記載の容量性負荷駆動装置。
【請求項４５】
前記補助蓄積回路は、第１副補助蓄積回路および第２副補助蓄積回路を含む、請求項４２に記載の容量性負荷駆動装置。
【請求項４６】
前記第１副補助蓄積回路は、第１副補助容量部を含み、
前記第２副補助蓄積回路は、第２副補助容量部を含む、請求項４５に記載の容量性負荷駆動装置。
【請求項４７】
前記スイッチ部は、
導通時に前記第１副補助蓄積回路を補助電位に設定する第１スイッチと、
導通時に前記第２副補助蓄積回路を基準電位に設定する第２スイッチと、を含む、請求項４６に記載の容量性負荷駆動装置。
【請求項４８】
前記第１副補助蓄積回路は、第１補助容量部および第２補助容量部を含み、
前記第２副補助蓄積回路は、第２副補助容量部を含む、請求項４５に記載の容量性負荷駆動装置。
【請求項４９】
前記スイッチ部は、
導通時に前記第１副補助蓄積回路を補助電位または基準電位に設定する第１スイッチと、
導通時に前記第２副補助蓄積回路を補助電位または基準電位に設定する第２スイッチと、を含む、請求項４８に記載の容量性負荷駆動装置。
【請求項５０】
前記補助回路は、補助電位または基準電位を、表示画像に応じて変化させる、請求項４２に記載の容量性負荷駆動装置。
【請求項５１】
前記スイッチ部は、補助電位または基準電位に設定している期間を、表示画像に応じて変化させる、請求項４２に記載の容量性負荷駆動装置。
【請求項５２】
請求項１８に記載の容量性負荷駆動装置を用いる、プラズマディスプレイ装置。
【請求項５３】
請求項３４に記載の容量性負荷駆動装置を用いる、プラズマディスプレイ装置。
【請求項５４】
第１電源および第２電源を用いて、容量性負荷を駆動するプラズマディスプレイパネルの駆動方法であって、
前記第１電源から主電力を容量性負荷へ供給し、前記容量性負荷の所定電極を主電位および基準電位に保持するステップと、
保持される保持電位が主電位から基準電位へ変化する間に、前記容量性負荷から主電力を回収し、保持電位が基準電位から主電位へ変化する間に、回収された主電力を前記容量性負荷へ供給するステップと、
主電力の一部を補助電力として受けるとともに、前記第２電源から補助電力を受けるステップ、とを有し、
前記回収および供給するステップは、受けた補助電力を用いることにより、主電力の回収動作および供給動作を急峻にする、プラズマディスプレイパネルの駆動方法。
【請求項５５】
前記電力を受けるステップは、回収された主電力を一時的に蓄積する主容量部と、補助電力を一時的に蓄積する補助容量部とにおいて、保持電位が主電位から基準電位へ変化する直前に、回収された主電力の一部を前記主容量部から補助電力として受け、前記補助容量部の電位を、前記主容量部の電位よりも低く設定し、保持電位が基準電位から主電位へ変化する直前に、前記第２電源からの補助電力を受け、前記補助容量部の電位を、前記主容量部の電位よりも高く設定する、請求項５４に記載のプラズマディスプレイパネルの駆動方法。
【請求項５６】
前記電力を受けるステップは、前記第２電源からの補助電位に設定する、請求項５４に記載のプラズマディスプレイパネルの駆動方法。
【請求項５７】
前記電力を受けるステップは、補助電位または基準電位を、表示画像に応じて変化させる、請求項５６に記載のプラズマディスプレイパネルの駆動方法。
【請求項５８】
前記電力を受けるステップは、補助電位または基準電位に設定している期間を、表示画像に応じて変化させる、請求項５６に記載のプラズマディスプレイパネルの駆動方法。
【発明の詳細な説明】
【技術分野】
【０００１】
本発明は、容量性負荷を駆動する装置に関し、さらに詳しくはプラズマディスプレイパネルに対してパルス電圧を印加するための容量性負荷駆動装置、それを搭載するプラズマディスプレイ装置、およびプラズマディスプレイパネルの駆動方法に関する。
【背景技術】
【０００２】
プラズマディスプレイパネル（Ｐｌａｓｍａ  Ｄｉｓｐｌａｙ  Ｐａｎｅｌ：ＰＤＰ、以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。【０００４】
各サブフィールドは、初期化期間、書込み期間、および維持期間を有する。初期化期間では初期化放電を発生し、続く書込み動作に必要な壁電荷を各電極上に形成するとともに、書込み放電を安定して発生させるためのプライミング粒子（放電のための起爆剤＝励起粒子）を発生させる。書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。【０００５】
このような構成のパネルを用いたプラズマディスプレイ装置に対して、その消費電力を削減するために、様々な消費電力削減技術が提案されている。例えば、維持期間における消費電力を削減する技術の１つとして、表示電極対のそれぞれが表示電極対の電極間容量を持つ容量性の負荷であることに着目する案がある。この案では、インダクタを構成要素に含む共振回路を用いてそのインダクタと電極間容量とをＬＣ共振させ、電極間容量に蓄えられた電荷を電力回収用のコンデンサに回収し、回収した電荷を表示電極対の駆動に再利用する。この案は、電力回収回路と呼ばれ、例えば特許文献１に開示されている。【０００６】
また、補助共振部を用いて電力回収にともなうスイッチング損失を低減し、回収効率を向上させる技術が開示されている（例えば、特許文献２参照）。【０００７】
また、第１の共振部と第２の共振部とを用いて、電力の回収効率を高めながら、維持パルスの電圧上昇を速くする技術が開示されている（例えば、特許文献３参照）。
【特許文献１】特開昭６３−１０１８９７号公報
【特許文献２】特開２００６−１０７５０号公報
【特許文献３】特開２００６−１７１７６５号公報
【発明の開示】
【発明が解決しようとする課題】
【０００８】
近年においては、パネルの高精細化によって１つのサブフィールド期間内に書込みをしなければならない電極数が増加しており、それにともない１回の書込み期間に要する時間が増大している。そのため、例えば維持パルスの周期を短くして維持期間を短縮する等の対応が必要となっている。【０００９】
しかしながら、安定した維持放電を発生させるためには、維持パルスを電源電圧に維持する期間（クランプ期間）を十分に確保しなければならない。クランプ期間を確保しつつ維持パルスの周期を短くするためには、例えば維持パルスの立ち上がりや立ち下がりを急峻にし、それらにかける時間を短縮するといった対応が必要となる。【００１０】
このとき、維持パルスの立ち上がりや立ち下がりのエッジ特性を急峻にするために、例えば電力回収回路におけるＬＣ共振の周期を短くすると、電極の駆動の際に流れる電流の最大値（以下、「ピーク電流」とも呼称する）が増加してしまう。この電流の増加は無効電力と呼ばれる発光に寄与しないまま無効に消費される電力を増大させるだけでなく、ＥＭＩ（Ｅｌｅｃｔｒｏ  Ｍａｇｎｅｔｉｃ  Ｉｎｔｅｒｆｅｒｅｎｃｅ）と呼ばれる電磁妨害を増大させてしまう。【００１１】
ＬＣ共振の周期を長くすれば、維持パルスの立ち上がりを緩やかにし、ピーク電流の抑制による無効電力の削減、およびＥＭＩの低減を図ることができるが、維持パルスの立ち上がりが緩やかになる分、維持パルスの周期が長くなってしまい、維持期間が増大してしまう。【００１２】
本発明はこれらの課題に鑑みなされたものであり、パネルを高精細化しても、消費電力の削減およびＥＭＩの低減と安定した維持放電とを実現することが可能な容量性負荷駆動装置、それを搭載するプラズマディスプレイ装置、およびプラズマディスプレイパネルの駆動方法を提供することを目的とする。
【課題を解決するための手段】
【００１３】
上述した目的を達成するために、本発明の容量性負荷駆動装置は、容量性負荷に維持パルスを印加する維持パルス発生回路を備えた容量性負荷駆動装置であって、維持パルス発生回路は、ＬＣ共振用の回収インダクタと電力回収用の回収コンデンサとを有し容量性負荷に蓄積された電力をＬＣ共振によって回収コンデンサに回収しその回収した電力を容量性負荷の駆動に再利用する電力回収回路と、容量性負荷を電源電位および接地電位にクランプするクランプ回路と、回収コンデンサに直列に接続した補助コンデンサと補助コンデンサとのＬＣ共振に用いる補助インダクタとを有する補助回路とを備え、補助回路は、補助コンデンサと補助インダクタとのＬＣ共振によって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。【００１４】
これにより、維持パルスを立ち上げるときおよび立ち下げるときに電力回収回路に流れる電流を一時的に増加させることができるので、回収インダクタと容量性負荷とのＬＣ共振の周期（以下、単に「共振周期」と記す）を長くしてピーク電流を低減させることができ、消費電力の削減およびＥＭＩの低減が可能となる。【００１５】
上記の容量性負荷は好ましくはプラズマディスプレイパネル（ＰＤＰ）である。【００１６】
本発明のプラズマディスプレイ装置は、表示電極対を構成する複数の走査電極および維持電極を有するパネルの表示電極対に、初期化期間、書込み期間および維持期間を有するサブフィールドの維持期間に維持パルスを交互に印加する維持パルス発生回路を備えたプラズマディスプレイ装置であって、維持パルス発生回路は、ＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路と、表示電極対を電源電位および接地電位にクランプするクランプ回路と、回収コンデンサに直列に接続した補助コンデンサと補助コンデンサとのＬＣ共振に用いる補助インダクタとを有する補助回路とを備え、補助回路は、補助コンデンサと補助インダクタとのＬＣ共振によって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。【００１７】
これにより、維持パルスを立ち上げるときおよび立ち下げるときに電力回収回路に流れる電流を一時的に増加させることができるので、回収インダクタと容量性負荷とのＬＣ共振の周期（以下、単に「共振周期」と記す）を長くしてピーク電流を低減させることができ、消費電力の削減およびＥＭＩの低減が可能となる。【００１８】
また、本発明のプラズマディスプレイ装置において、補助回路は、一方の端子が電源電位に他方の端子が補助インダクタにそれぞれ電気的に接続され補助コンデンサの電位を上昇させるときに導通させる電源側補助スイッチと、一方の端子が基準電位に他方の端子が補助インダクタにそれぞれ電気的に接続され補助コンデンサの電位を降下させるときに導通させる基準電位側補助スイッチと、維持パルスの立ち上がり時に補助コンデンサから回収インダクタへ順方向に流れる電流の逆流を防止する第１のダイオードと、維持パルスの立ち下がり時に回収インダクタから補助コンデンサへ順方向に流れる電流の逆流を防止する第２のダイオードとを有する構成としてもよい。これにより、維持パルスを立ち上げる直前に電源側補助スイッチを導通させ、維持パルスを立ち下げる直前に基準電位側補助スイッチを導通させることで、維持パルスを立ち上げるときおよび立ち下げるときに電力回収回路に流れる電流を一時的に増加させることができる。【００１９】
また、本発明のプラズマディスプレイ装置において、補助回路は、補助コンデンサの容量を、回収コンデンサの１０分の１以下の容量に設定することが望ましい。これにより、維持パルスの立ち上がり時および立ち下がり時に回収インダクタに流れる電流が、回収インダクタと容量性負荷とのＬＣ共振によってのみ流れる電流よりも増加する期間を一時的にすることができる。【００２０】
また、本発明のプラズマディスプレイ装置において、補助回路は、補助コンデンサと補助インダクタとの共振周期の２分の１が、維持パルスの発生時に表示電極対を電源電位にクランプする期間以下でかつ表示電極対を接地電位にクランプする期間以下になるように、補助コンデンサの容量および補助インダクタのインダクタンスを設定することが望ましい。これにより、電源から補助コンデンサへの充電および補助コンデンサから基準電位への電力放出を、維持パルスの発生時に表示電極対を電源電位にクランプする期間以内かつ表示電極対を接地電位にクランプする期間以内に行うことができる。【００２１】
また、本発明のプラズマディスプレイ装置において、補助回路は、補助インダクタを、電源電位側から補助コンデンサへ電流を流すときに用いる第１の補助インダクタと、補助コンデンサから基準電位側へ電流を流すときに用いる第２の補助インダクタとに分けて構成し、電源側補助スイッチの他方の端子を第１の補助インダクタに電気的に接続するとともに、基準電位側補助スイッチの他方の端子を第２の補助インダクタに電気的に接続して構成してもよい。これにより、補助コンデンサの電位を、回収コンデンサよりも高い電位にするときと回収コンデンサよりも低い電位にするときとで、それぞれ共振周期を設定することができる。【００２２】
また、本発明のプラズマディスプレイ装置において、補助回路は、補助コンデンサを、回収コンデンサよりも高い電位にするときに用いる電源側補助コンデンサと、回収コンデンサよりも低い電位にするときに用いる基準電位側補助コンデンサとに分けて構成し、第１の補助インダクタを電源側補助コンデンサとのＬＣ共振に用い、第２の補助インダクタを基準電位側補助コンデンサとのＬＣ共振に用いる構成としてもよい。これにより、補助コンデンサの電位を、回収コンデンサよりも高い電位にするときと回収コンデンサよりも低い電位にするときとで、それぞれ共振周期を設定することができ、さらに、維持パルスの立ち上がり時および立ち下がり時において、回収インダクタに流れる電流を回収インダクタと容量性負荷とのＬＣ共振によってのみ流れる電流よりも増加させる期間を、互いに異なる長さに設定することができる。【００２３】
また、本発明のプラズマディスプレイ装置において、補助回路は、第１の補助インダクタとは別に第３の補助インダクタを電源側補助コンデンサに直列に接続し、第２の補助インダクタとは別に第４の補助インダクタを基準電位側補助コンデンサに直列に接続する構成としてもよい。これにより、補助コンデンサの電位を回収コンデンサよりも高い電位にするときに、より高い電位にすることができ、また補助コンデンサの電位を回収コンデンサよりも低い電位にするときに、より低い電位にすることができる。【００２４】
また、本発明のプラズマディスプレイ装置において、補助回路は、補助コンデンサをチャージポンプするために、電源電位と基準電位との間に直列に設けられ電気的な接続点が補助コンデンサに電気的に接続された２つのスイッチング素子と、回収コンデンサと補助コンデンサとの間に挿入されたスイッチング素子とを有する構成としてもよい。これにより、補助コンデンサの電位を回収コンデンサよりも高い電位にするときにより高い電位にすることができ、また補助コンデンサの電位を回収コンデンサよりも低い電位にするときにより低い電位にすることができる。【００２５】
また、本発明のプラズマディスプレイ装置において、補助回路は、複数のコンデンサを直列に接続して補助コンデンサを構成するとともに、補助コンデンサを構成する複数のコンデンサと同数の補助インダクタおよび電源側補助スイッチおよび基準電位側補助スイッチを有する構成としてもよい。この構成によっても、補助コンデンサの電位を回収コンデンサよりも高い電位にするときにより高い電位にすることができ、また補助コンデンサの電位を回収コンデンサよりも低い電位にするときにより低い電位にすることができる。【００２６】
また、本発明のプラズマディスプレイ装置において、補助回路は、補助回路に用いる電源電位および基準電位を表示画像に応じて可変する構成としてもよい。この構成により、補助コンデンサの電位を回収コンデンサよりも高い電位にするときの電位、および補助コンデンサの電位を回収コンデンサよりも低い電位にするときの電位を、表示画像に応じて変更することができる。例えば、表示画像の明るさが明るいときには、表示画像の明るさが暗いときよりも、表示電極対の駆動負荷が高くなるが、そのようなときに、補助コンデンサの電位を回収コンデンサよりも高い電位にするときにより高い電位にすることで、安定した駆動を行うことが可能となる。【００２７】
また、本発明のプラズマディスプレイ装置において、補助回路は、電源側補助スイッチおよび基準電位側補助スイッチの導通時間を表示画像に応じて可変する構成としてもよい。この構成によっても、補助コンデンサの電位を回収コンデンサよりも高い電位にするときの電位、および補助コンデンサの電位を回収コンデンサよりも低い電位にするときの電位を、表示画像に応じて変更することができる。【００２８】
また、本発明のプラズマディスプレイパネルの駆動方法は、表示電極対を構成する複数の走査電極および維持電極を有するパネルを、ＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路、および表示電極対を電源電位および接地電位にクランプするクランプ回路、および回収コンデンサに直列に接続した補助コンデンサと補助コンデンサとのＬＣ共振に用いる補助インダクタとを有する補助回路を用い、初期化期間と書込み期間と維持期間とを有する複数のサブフィールドの維持期間において維持パルスを発生させて表示電極対に交互に印加して駆動するパネルの駆動方法であって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。【００２９】
これにより、維持パルスを立ち上げるときおよび立ち下げるときに電力回収回路に流れる電流を一時的に増加させることができるので、回収インダクタと容量性負荷との共振周期を長くしてピーク電流を低減させることができ、消費電力の削減およびＥＭＩの低減が可能となる。【００３０】
また、本発明のパネルの駆動方法においては、補助回路に、一方の端子を電源電位に他方の端子を補助インダクタにそれぞれ電気的に接続した電源側補助スイッチと、一方の端子を基準電位に他方の端子を補助インダクタにそれぞれ電気的に接続した基準電位側補助スイッチとを設け、補助コンデンサの電位を上昇させるときには電源側補助スイッチを導通させ、補助コンデンサの電位を降下させるときには基準電位側補助スイッチを導通させてもよい。これにより、維持パルスを立ち上げる直前に電源側補助スイッチを導通させ、維持パルスを立ち下げる直前に基準電位側補助スイッチを導通させることで、維持パルスを立ち上げるときおよび立ち下げるときに電力回収回路に流れる電流を一時的に増加させることができる。【００３１】
また、本発明のパネルの駆動方法においては、補助回路に用いる電源電位および基準電位を表示画像に応じて制御してもよい。これにより、補助コンデンサの電位を回収コンデンサよりも高い電位にするときの電位、および補助コンデンサの電位を回収コンデンサよりも低い電位にするときの電位を、表示画像に応じて変更することができる。【００３２】
また、本発明のパネルの駆動方法においては、補助コンデンサの電位を上昇させるときに電源側補助スイッチを導通させる時間、および補助コンデンサの電位を降下させるときに基準電位側補助スイッチを導通させる時間を表示画像に応じて制御してもよい。これによっても、補助コンデンサの電位を回収コンデンサよりも高い電位にするときの電位、および補助コンデンサの電位を回収コンデンサよりも低い電位にするときの電位を、表示画像に応じて変更することができる。【００３３】
本発明の容量性負荷駆動装置は、容量性負荷に維持パルスを印加する維持パルス発生回路を備えた容量性負荷駆動装置であって、維持パルス発生回路は、ＬＣ共振用の回収インダクタと電力回収用の回収コンデンサと電力回収経路と電力供給経路とを有し、容量性負荷に蓄積された電力をＬＣ共振によって電力回収経路を介して回収コンデンサに回収し、その回収した電力を電力供給経路を介して容量性負荷の駆動に再利用する電力回収回路と、回収コンデンサに直列に接続した補助コンデンサと、補助コンデンサとのＬＣ共振に用いる補助インダクタと、前記補助コンデンサを第１の方向に充電する第１充電経路と、前記補助コンデンサを第２の方向に充電する第２充電経路とを有する補助回路とを備え、補助回路は、前記電力供給経路を介して容量性負荷を駆動する直前に前記補助コンデンサを第１の方向に充電し、電力回収経路を介して前記回収コンデンサに回収する直前に前記補助コンデンサを第２の方向に充電して、補助コンデンサと補助インダクタとのＬＣ共振によって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。【００３４】
さらに、本発明の容量性負荷駆動装置は、主電力および補助電力を用いて、容量性負荷を駆動する容量性負荷駆動装置であって、前記主電力を充放電可能な主容量部と、前記補助電力を充放電可能な補助蓄積部と、前記容量性負荷と第１ＬＣ共振する主誘導部と、前記第１ＬＣ共振に基づいて、前記容量性負荷から前記主誘導部を経由して前記主容量部へ、前記主電力を回収する経路を表す回収経路と、前記第１ＬＣ共振に基づいて、前記主容量部から前記主誘導部を経由して前記容量性負荷へ、回収された前記主電力を供給する経路を表す供給経路と、前記補助蓄積部を含む経路であって、前記主電力の回収動作を強める方向に、前記補助蓄積部に前記補助電力を充電する経路を表す回収充電経路と、前記補助蓄積部において充電された前記補助電力を、前記主誘導部から前記補助蓄積部へ放電し、前記主電力の回収動作を急峻にする経路を表す回収放電経路と、前記補助蓄積部を含む経路であって、前記主電力の供給動作を強める方向に、前記補助蓄積部に前記補助電力を充電する経路を表す供給充電経路と、前記補助蓄積部において充電された前記補助電力を、前記補助蓄積部から前記主誘導部へ放電し、前記主電力の供給動作を急峻にする経路を表す供給放電経路と、を有し、前記回収経路は、前記回収放電経路の少なくとも一部を共有し、前記供給経路は、前記供給放電経路の少なくとも一部を共有する。【００３５】
さらに、本発明の容量性負荷駆動装置は、第１電源および第２電源を用いて、容量性負荷を駆動する容量性負荷駆動装置であって、前記第１電源から主電力を容量性負荷へ供給し、前記容量性負荷の所定電極を主電位および基準電位に保持する保持回路と、前記保持回路において保持される保持電位が主電位から基準電位へ変化する間に、前記容量性負荷から主電力を回収し、保持電位が基準電位から主電位へ変化する間に、回収された主電力を前記容量性負荷へ供給する電力循環回路と、前記電力循環回路から主電力の一部を補助電力として受ける一方、前記第２電源から補助電力を受ける補助回路と、を有し、前記電力循環回路は、前記補助回路が受けた補助電力に基づいて、主電力の回収動作および供給動作を急峻にする。【００３６】
さらに、本発明のプラズマディスプレイ装置は、上述した容量性負荷駆動装置を用いる。【００３７】
さらに、本発明のプラズマディスプレイパネルの駆動方法は、第１電源および第２電源を用いて、容量性負荷を駆動するプラズマディスプレイパネルの駆動方法であって、前記第１電源から主電力を容量性負荷へ供給し、前記容量性負荷の所定電極を主電位および基準電位に保持するステップと、保持される保持電位が主電位から基準電位へ変化する間に、前記容量性負荷から主電力を回収し、保持電位が基準電位から主電位へ変化する間に、回収された主電力を前記容量性負荷へ供給するステップと、主電力の一部を補助電力として受けるとともに、前記第２電源から補助電力を受けるステップ、とを有し、前記回収および供給するステップは、受けた補助電力を用いることにより、主電力の回収動作および供給動作を急峻にする。
【発明の効果】
【００３８】
本発明の容量性負荷駆動装置、それを搭載するプラズマディスプレイ装置、およびプラズマディスプレイパネルの駆動方法によれば、維持パルスのエッジ特性を急峻にする構成により、パネルを高精細化して維持パルスの周期を短縮しても、クランプ期間の確保により安定して維持放電を発生させるとともに、ピーク電流の低減により消費電力およびＥＭＩを低減することが可能となる。
【図面の簡単な説明】
【００３９】
【図１】本発明の実施の形態１におけるパネルの構造を示す分解斜視図
【図２】本発明の実施の形態１におけるパネルの電極配列図
【図３】本発明の実施の形態１におけるパネルの各電極に印加する駆動電圧波形図
【図４】本発明の実施の形態１におけるプラズマディスプレイ装置のブロック図
【図５】本発明の実施の形態１における維持パルス発生回路のブロック図
【図６】本発明の実施の形態１における維持パルス発生回路の回路図
【図７】本発明の実施の形態１における維持パルス発生回路の動作を説明するためのタイミングチャート
【図８】本発明の実施の形態１におけるタイミングチャートの拡大図
【図９】本発明の実施の形態２における維持パルス発生回路の回路図
【図１０】本発明の実施の形態２の変形例における維持パルス発生回路の回路図
【図１１】本発明の実施の形態２の変形例における維持パルス発生回路の動作を説明するためのタイミングチャート
【図１２】本発明の実施の形態２の変形例における維持パルス発生回路の動作を説明するためのタイミングチャートの拡大図
【図１３】本発明の実施の形態３における維持パルス発生回路の回路図
【図１４】本発明の実施の形態３における維持パルス発生回路の動作を説明するためのタイミングチャート
【図１５】本発明の実施の形態４における維持パルス発生回路の回路図
【図１６】本発明の実施の形態４における維持パルス発生回路の動作を説明するためのタイミングチャート
【図１７】本発明の別の実施の形態における補助回路の電源電圧を可変した場合の波形図
【図１８】本発明の別の実施の形態における電源側補助スイッチの導通時間を可変した場合の波形図
【符号の説明】
【００４０】
１  プラズマディスプレイ装置
１０  パネル
２１  （ガラス製の）前面板
２２  走査電極
２３  維持電極
２４  表示電極対
２５、３３  誘電体層
２６  保護層
３１  背面板
３２  データ電極
３４  隔壁
３５  蛍光体層
４１  画像信号処理回路
４２  データ電極駆動回路
４３  走査電極駆動回路
４４  維持電極駆動回路
４５  タイミング発生回路
５０、６０、５０１、５０１Ａ、５０２、５０３  維持パルス発生回路
５１、６１  電力回収回路
５２、６２  クランプ回路
５３、６３、５３１、５３１Ａ、５３２、５３３  補助回路
【発明を実施するための最良の形態】
【００４１】
以下、本発明を実施するための最良の形態に関するいくつかの例について、図面を参照しながら説明する。図面において、実質的に同一の構成、動作、および効果を表す要素については、同一の符号を付す。また、以下において記述される数字は、すべて本発明を具体的に説明するために例示するものであり、本発明は例示された数字に制限されない。さらに、オン／オフにより表されるスイッチング状態は、本発明を具体的に説明するために例示するものであり、例示されたスイッチング状態が異なる組み合わせで、同等な結果を得ることも可能である。また、構成要素間の接続関係は、本発明を具体的に説明するために例示するものであり、本発明の機能を実現する接続関係はこれに限定されない。【００４２】
（実施の形態１）
図１は、パネル１０の構造を示す分解斜視図である。ガラス製の前面板２１上には、１対の走査電極２２と維持電極２３とからなる表示電極対２４を互いに平行に複数形成している。そして走査電極２２と維持電極２３とを覆うように誘電体層２５を形成し、その誘電体層２５上に保護層２６を形成している。【００４３】
また、保護層２６は、ＭｇＯ（酸化マグネシウム）を主成分とする材料で形成している。ＭｇＯは、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れている。【００４４】
背面板３１上にはデータ電極３２を互いに平行に複数形成し、データ電極３２を覆うように誘電体層３３を形成し、さらにその上に井桁状の隔壁３４を形成している。そして、隔壁３４の側面および誘電体層３３上には赤色（Ｒ）、緑色（Ｇ）および青色（Ｂ）の各色に発光する蛍光体層３５を設けている。【００４５】
これら前面板２１と背面板３１とは、微小な放電空間を挟んで表示電極対２４とデータ電極３２とが立体交差するように対向配置し、その外周部をガラスフリット等の封着材によって封着している。そして、内部の放電空間には、ネオンとキセノンの混合ガスを放電ガスとして封入している。実施の形態１では、発光効率を向上させるためにキセノン分圧を大略１０％とした放電ガスを用いている。放電空間は隔壁３４によって複数の区画に仕切られており、表示電極対２４とデータ電極３２とが交差する部分に放電セルが形成されている。そして各放電セル内でガス放電により紫外線を発生させ、この紫外線でＲ、ＧおよびＢの各色の蛍光体を励起発光させることにより画像のカラー表示を行っている。【００４６】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。【００４７】
図２は、パネル１０の電極配列図である。パネル１０には、行方向に長いｎ本の走査電極ＳＣ１、ＳＣ２、・・・、ＳＣｎ（図１の走査電極２２と同一であり、以降では走査電極ＳＣ１〜ＳＣｎと記す）およびｎ本の維持電極ＳＵ１、ＳＵ２、・・・、ＳＵｎ（図１の維持電極２３と同一であり、以降では維持電極ＳＵ１〜ＳＵｎと記す）が配列され、列方向に長いｍ本のデータ電極Ｄ１、Ｄ２、・・・、Ｄｍ（図１のデータ電極３２と同一であり、以降ではデータ電極Ｄ１〜Ｄｍと記す）が配列されている。そして、１対の走査電極ＳＣｉ（ｉ＝１〜ｎ）および維持電極ＳＵｉと１つのデータ電極Ｄｊ（ｊ＝１〜ｍ）とが交差した放電空間内に、放電セルがｍ×ｎ個形成されている。【００４８】
次に、パネル１０を駆動するための駆動電圧波形とその動作の概要について説明する。実施の形態１におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間、および維持期間を有する。【００４９】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、すべての放電セルで初期化放電を発生させる全セル初期化動作と、直前のサブフィールドで維持放電を行った放電セルだけで選択的に初期化放電を発生させる選択初期化動作とがある。【００５０】
書込み期間では、後に続く維持期間において発光させるべき放電セルで選択的に書込み放電を発生し、壁電荷を形成する。そして維持期間では、輝度重みに比例した数の維持パルスを表示電極対２４に交互に印加して、書込み放電を発生した放電セルで維持放電を発生させて発光させる。このとき、維持パルスの数と輝度重みとの比を表す比例定数を、「輝度倍率」と呼ぶ。【００５１】
実施の形態１では、１フィールドを１０個のサブフィールドＳＦ１、ＳＦ２、・・・、ＳＦ１０）で構成し、サブフィールドはそれぞれ、例えば１、２、３、６、１１、１８、３０、４４、６０、８０の輝度重みを持つものとする。そして、サブフィールドＳＦ１の初期化期間では全セル初期化動作を行い、各サブフィールドＳＦ２〜ＳＦ１０の初期化期間では選択初期化動作を行うものとする。これにより、画像の表示に関係のない発光は、サブフィールドＳＦ１における全セル初期化動作の放電にともなう発光のみとなる。黒表示領域の輝度を表す黒輝度は、維持放電を発生させず、全セル初期化動作における微弱発光だけとなるので、コントラストの高い画像表示が可能となる。また、各サブフィールドの維持期間においては、それぞれのサブフィールドの輝度重みに所定の輝度倍率を乗じた数の維持パルスを、表示電極対２４のそれぞれに印加する。【００５２】
しかし、実施の形態１は、サブフィールド数や各サブフィールドの輝度重みが上述した値に限定されるものではなく、また、画像信号等に基づいてサブフィールド構成を切換える構成であってもよい。【００５３】
図３は、パネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）と、選択初期化動作を行うサブフィールド（以下、「選択初期化サブフィールド」と呼称する）とを示しているが、他のサブフィールドにおける駆動電圧波形もほぼ同様である。また、以下における走査電極ＳＣｉ、維持電極ＳＵｉ、データ電極Ｄｊは、各電極の中から画像データに基づき選択された電極を表す。【００５４】
まず、全セル初期化サブフィールドであるサブフィールドＳＦ１について説明する。【００５５】
サブフィールドＳＦ１の初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の正の電圧Ｖｉ１から、放電開始電圧を超える正の電圧Ｖｉ２に向かって緩やかに上昇する傾斜波形電圧（以下、「上りランプ波形電圧」と呼称する）を印加する。【００５６】
この上りランプ波形電圧が上昇する間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。【００５７】
初期化期間後半部では、維持電極ＳＵ１〜ＳＵｎには正の電圧Ｖｅ１を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる正の電圧Ｖｉ３から、放電開始電圧を超える大きさの負の電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、すべての放電セルに対して初期化放電を行う全セル初期化動作が終了する。【００５８】
なお、図３のサブフィールドＳＦ２の初期化期間に示したように、初期化期間の前半部を省略した駆動電圧波形を各電極に印加してもよい。すなわち、維持電極ＳＵ１〜ＳＵｎに正の電圧Ｖｅ１を、データ電極Ｄ１〜Ｄｍに０（Ｖ）をそれぞれ印加し、走査電極ＳＣ１〜ＳＣｎに放電開始電圧以下となる大きさの電圧（例えば、接地電位）から、負の電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｊ（ｊ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。【００５９】
続く書込み期間では、まず維持電極ＳＵ１〜ＳＵｎに正の電圧Ｖｅ２を、走査電極ＳＣ１〜ＳＣｎに正の電圧Ｖｃを印加する。【００６０】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｊ（ｊ＝１〜ｍ）に、正の書込みパルス電圧Ｖｄを印加する。このときデータ電極Ｄｊ上と走査電極ＳＣ１上との交差部の電圧差は、外部印加電圧の差（Ｖｄ−Ｖａ）に、データ電極Ｄｊ上の壁電圧と走査電極ＳＣ１上の壁電圧との差を加算したものとなり、放電開始電圧を超える。これにより、データ電極Ｄｊと走査電極ＳＣ１との間に放電が発生する。また、維持電極ＳＵ１〜ＳＵｎに正の電圧Ｖｅ２を印加しているため、維持電極ＳＵ１上と走査電極ＳＣ１上との電圧差は、外部印加電圧の差である（Ｖｅ２−Ｖａ）に、維持電極ＳＵ１上の壁電圧と走査電極ＳＣ１上の壁電圧との差を加算したものとなる。このとき、電圧Ｖｅ２を、放電開始電圧をやや下回る程度の電圧値に設定することで、維持電極ＳＵ１と走査電極ＳＣ１との間の空間を、放電には至らないが放電が発生しやすい状態とすることができる。これにより、データ電極Ｄｊと走査電極ＳＣ１との間に発生する放電を引き金にして、データ電極Ｄｊと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｊ上にも負の壁電圧が蓄積される。【００６１】
このようにして、１行目に発光させるべき放電セルで書込み放電を起こし、各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。【００６２】
続く維持期間では、まず走査電極ＳＣ１〜ＳＣｎに正の維持パルス電圧Ｖｓを印加するとともに維持電極ＳＵ１〜ＳＵｎに接地電位、すなわち０（Ｖ）を印加する。すると書込み放電を起こした放電セルでは、走査電極ＳＣｉ上と維持電極ＳＵｉ上との電圧差が、維持パルス電圧Ｖｓに、走査電極ＳＣｉ上の壁電圧と維持電極ＳＵｉ上の壁電圧との差を加算したものとなり、放電開始電圧を超える。【００６３】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｊ上にも正の壁電圧が蓄積される。書込み期間において書込み放電が起きなかった放電セルでは維持放電は発生せず、初期化期間の終了時における壁電圧が保たれる。【００６４】
続いて、走査電極ＳＣ１〜ＳＣｎには基準電位となる０（Ｖ）を、維持電極ＳＵ１〜ＳＵｎには正の維持パルス電圧Ｖｓをそれぞれ印加する。すると、維持放電を起こした放電セルでは、維持電極ＳＵｉ上と走査電極ＳＣｉ上との電圧差が放電開始電圧を超える。そのため、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与える。これにより、書込み期間において書込み放電を起こした放電セルで維持放電が継続して行われる。【００６５】
そして、維持期間の最後には、走査電極ＳＣ１〜ＳＣｎに、基準電位となる０（Ｖ）から、正の電圧Ｖｅｒｓに向かって緩やかに上昇する傾斜波形電圧（以下、「消去ランプ波形電圧」と呼称する）を印加する。これにより、微弱な放電を持続して発生させ、データ電極Ｄｊ上の正の壁電圧を残したまま、走査電極ＳＣｉおよび維持電極ＳＵｉ上の壁電圧の一部または全部を消去している。【００６６】
具体的には、維持電極ＳＵ１〜ＳＵｎを０（Ｖ）に戻した後、基準電位となる０（Ｖ）から、放電開始電圧を超える正の電圧Ｖｅｒｓに向かって上昇する消去ランプ波形電圧を発生させ、走査電極ＳＣ１〜ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜ＳＣｎへの印加電圧が上昇する期間、持続して発生する。【００６７】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｊ上の正の壁電荷を残したまま、走査電極ＳＣ１〜ＳＣｎ上と維持電極ＳＵ１〜ＳＵｎ上との間の壁電圧は、走査電極ＳＣｉに印加した電圧と放電開始電圧との差、すなわち（電圧Ｖｅｒｓ−放電開始電圧）の程度まで弱められる。以下、この消去ランプ波形電圧によって発生させる維持期間の最後の放電を「消去放電」と呼称する。【００６８】
続くサブフィールドの動作は、維持期間の維持パルスの数を除いて上述の動作とほぼ同様であるため説明を省略する。以上が、実施の形態１におけるパネル１０の各電極に印加する駆動電圧波形の概要である。【００６９】
実施の形態１においては、後述する補助回路の働きにより、維持パルスを発生させる際のピーク電流を削減し、無効電力の削減およびＥＭＩ（Ｅｌｅｃｔｒｏ  Ｍａｇｎｅｔｉｃ  Ｉｎｔｅｒｆｅｒｅｎｃｅ：電磁妨害）の低減と安定した維持放電とを両立させている。これについての詳細は後述する。【００７０】
次に、実施の形態１におけるプラズマディスプレイ装置の構成について説明する。図４は、プラズマディスプレイ装置のブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。【００７１】
画像信号処理回路４１は、入力された画像信号ＳＩＧをサブフィールド毎の発光・非発光を示す画像データＳ４１に変換する。データ電極駆動回路４２はサブフィールド毎の画像データＳ４１を各データ電極Ｄ１〜Ｄｍに対応するデータ電極駆動信号Ｓ４２に変換し、各データ電極Ｄ１〜Ｄｍを駆動する。【００７２】
タイミング発生回路４５は、画像信号ＳＩＧの水平同期信号Ｈおよび垂直同期信号Ｖを表す画像同期信号ＳＩＮＣに基づいて、各回路ブロックの動作を制御する各種のタイミング信号を発生し、それぞれの回路ブロックへ供給する。【００７３】
走査電極駆動回路４３は、初期化波形発生回路（図示せず）、維持パルス発生回路５０、および走査パルス発生回路（図示せず）を有する。初期化波形発生回路は、初期化期間において走査電極ＳＣ１〜ＳＣｎに印加する初期化波形電圧を発生する。維持パルス発生回路５０は、維持期間において走査電極ＳＣ１〜ＳＣｎに印加する維持パルスを発生する。走査パルス発生回路は、書込み期間において走査電極ＳＣ１〜ＳＣｎに印加する走査パルス電圧を発生する。走査電極駆動回路４３は、タイミング発生回路４５から出力されるタイミング信号に基づいて走査電極駆動信号Ｓ４３を生成し、各走査電極ＳＣ１〜ＳＣｎをそれぞれ駆動する。維持電極駆動回路４４は、維持パルス発生回路６０と、電圧Ｖｅ１および電圧Ｖｅ２を発生するための回路とを備え、同じくタイミング信号に基づいて維持電極駆動信号Ｓ４４を生成し、各維持電極ＳＵ１〜ＳＵｎを駆動する。【００７４】
次に、維持パルス発生回路５０、維持パルス発生回路６０の詳細とその動作について説明する。図５は、維持パルス発生回路５０および維持パルス発生回路６０のブロック図である。図５においてパネル１０は電極間容量Ｃｐとして示し、走査パルス発生回路および初期化波形発生回路は省略している。【００７５】
維持パルス発生回路５０は、電力回収回路５１、クランプ回路５２、および補助回路５３を備えている。電力回収回路５１は、表示電極対２４の容量性負荷である電極間容量Ｃｐに蓄積された電力を、ＬＣ共振によって回収コンデンサに回収し、その回収した電力を走査電極ＳＣ１〜ＳＣｎの駆動に再利用する。クランプ回路５２は、走査電極ＳＣ１〜ＳＣｎを電圧Ｖｓおよび接地電位にクランプする。補助回路５３は、走査電極ＳＣ１〜ＳＣｎを駆動する際に電力回収回路５１が備える回収コンデンサから走査電極ＳＣ１〜ＳＣｎに流れる電流と、電極間容量Ｃｐから回収コンデンサに流れる電流とを補助的に制御する。補助回路５３、電力回収回路５１、およびクランプ回路５２は、初期化波形発生回路および走査パルス発生回路を介して、パネル１０の電極間容量Ｃｐの一端である走査電極ＳＣ１〜ＳＣｎに接続されている。維持期間の間、走査電極ＳＣ１〜ＳＣｎに対して、維持パルス発生回路５０は電気的に短絡状態となり、初期化波形発生回路および走査パルス発生回路は電気的に開放状態となる。このため、初期化波形発生回路および走査パルス発生回路は図面では省略されている。【００７６】
維持パルス発生回路６０も、維持パルス発生回路５０と同様に、電力回収回路６１、クランプ回路６２、および補助回路６３を備えている。補助回路６３、電力回収回路６１、およびクランプ回路６２は、パネル１０の電極間容量Ｃｐの一端である維持電極ＳＵ１〜ＳＵｎに接続されている。【００７７】
また、維持電極駆動回路４４は、さらに電源ＶＥ１、スイッチング素子Ｑ２６、スイッチング素子Ｑ２７、電源ＤＶＥ、ダイオードＤ３０、コンデンサＣ３０、スイッチング素子Ｑ２８、およびスイッチング素子Ｑ２９を備える。電源ＶＥ１は、電圧Ｖｅ１を発生する。スイッチング素子Ｑ２６およびスイッチング素子Ｑ２７は、電圧Ｖｅ１の維持電極ＳＵ１〜ＳＵｎへの印加をオン／オフする。電源ＤＶＥは、電圧ＤＶｅを発生する。ダイオードＤ３０は、電源ＶＥ１へ逆流する電流を防止する。コンデンサＣ３０は、電圧Ｖｅ１に電圧ＤＶｅを積み上げるチャージポンプの動作を行う。スイッチング素子Ｑ２８およびスイッチング素子Ｑ２９は、電圧Ｖｅ１に電圧ＤＶｅを積み上げて電圧Ｖｅ２とする。【００７８】
例えば、図３に示した電圧Ｖｅ１を印加するタイミングでは、スイッチング素子Ｑ２６およびスイッチング素子Ｑ２７を導通させ、維持電極ＳＵ１〜ＳＵｎに、ダイオードＤ３０、スイッチング素子Ｑ２６、およびスイッチング素子Ｑ２７を介して、正の電圧Ｖｅ１を印加する。このときスイッチング素子Ｑ２８を導通させ、コンデンサＣ３０の電圧が電圧Ｖｅ１になるように充電しておく。また、図３に示した電圧Ｖｅ２を印加するタイミングでは、スイッチング素子Ｑ２６およびスイッチング素子Ｑ２７を導通させたまま、スイッチング素子Ｑ２８を遮断させるとともにスイッチング素子Ｑ２９を導通させる。そして、コンデンサＣ３０の電圧に電圧ＤＶｅを重畳し、維持電極ＳＵ１〜ＳＵｎに電圧Ｖｅ１＋ＤＶｅ、すなわち電圧Ｖｅ２を印加する。このとき、逆流防止用のダイオードＤ３０の働きにより、コンデンサＣ３０から電源ＶＥ１への電流は遮断される。【００７９】
なお、電圧Ｖｅ１および電圧Ｖｅ２を印加する回路については、図５に示した回路に限定されるものではなく、例えば、電圧Ｖｅ１を発生させる電源と電圧Ｖｅ２を発生させる電源とそれぞれの電圧を維持電極ＳＵ１〜ＳＵｎに印加するための複数のスイッチング素子とを用いて、それぞれの電圧を必要なタイミングで維持電極ＳＵ１〜ＳＵｎに印加する構成とすることもできる。【００８０】
続いて、補助回路５３、電力回収回路５１、およびクランプ回路５２の詳細とその動作について説明する。図６は、維持パルス発生回路５０の回路図である。【００８１】
電位は、回路上の任意の測定点において、接地端子との間の正、０、および負の電圧を表す。各電源ＶＳ１、ＶＳ２は、電位Ｖｓおよび基準電位（実施の形態１では接地電位）を、維持パルス発生回路５０および維持パルス発生回路６０へ供給する。維持パルス発生回路５０は、維持期間において、電位Ｖｓおよび基準電位で特定される維持パルスを、走査電極駆動信号Ｓ４３を介して走査電極ＳＣ１〜ＳＣｎへ供給する。維持パルス発生回路６０は、維持期間において、電位Ｖｓおよび基準電位で特定される維持パルスを、維持電極駆動信号Ｓ４４を介して維持電極ＳＵ１〜ＳＵｎへ供給する。維持期間において走査電極駆動信号Ｓ４３は、維持電極駆動信号Ｓ４４が電位Ｖｓの場合、基準電位となり、維持電極駆動信号Ｓ４４が基準電位の場合、電位Ｖｓとなる。したがって維持期間において、走査電極ＳＣ１〜ＳＣｎと維持電極ＳＵ１〜ＳＵｎとの間にそれぞれ構成されるｎ個の電極間容量Ｃｐの両端には、正の電圧Ｖｓと負の電圧Ｖｓが交互に供給される。ここで電位Ｖｓおよび基準電位は、接地電位（０Ｖ）との間の正、０、および負の電圧を表す意味で、それぞれ電圧Ｖｓおよび基準電圧（実施の形態１では０Ｖ）とも呼ばれる。【００８２】
ここで図６を参照して、維持パルス発生回路５０の構成の概要を説明する。維持パルス発生回路５０は、電源ＶＳ１および電源ＶＳ２を用いて、電極間容量Ｃｐを駆動する。電源ＶＳ１は主電源とも呼ばれ、電源ＶＳ２は補助電源とも呼ばれる。クランプ回路５２は、電源ＶＳ１から主電力を電極間容量Ｃｐへ供給し、電極間容量Ｃｐの走査電極ＳＣ１〜ＳＣｎを電位Ｖｓおよび基準電位に保持（すなわちクランプ）する。電力回収回路５１は、クランプ回路５２において保持される保持電位が電位Ｖｓから基準電位へ変化する間に、電極間容量Ｃｐから主電力を回収し、保持電位が基準電位から電位Ｖｓへ変化する間に、回収された主電力を電極間容量Ｃｐへ供給する。電源ＶＳ１および電源ＶＳ２の投入時点から所定時間経過後の定常状態においては、電力回収回路５１がほとんどの主電力の回収および供給を行う。クランプ回路５２は、定常状態において、走査電極ＳＣ１〜ＳＣｎを電位Ｖｓおよび基準電位に保持することにより、主電力のわずかな不足分を走査電極ＳＣ１〜ＳＣｎに供給する。補助回路５３は、電力回収回路５１から主電力の一部を補助電力として受ける一方、電源ＶＳ２から補助電力を受ける。電力回収回路５１は、補助回路５３が受けた補助電力に基づいて、主電力の回収動作および供給動作を急峻にする。【００８３】
電力回収回路５１は、回収された主電力を一時的に蓄積する（すなわち、主電力を充放電可能な）コンデンサＣ１０を含む。補助回路５３は、補助電力を一時的に蓄積する（すなわち、補助電力を充放電可能な）コンデンサＣ１１を含む。コンデンサＣ１１の一端は、コンデンサＣ１０の一端に接続される。補助回路５３は、コンデンサＣ１１の他端に接続されるインダクタＬ１１を含み、インダクタＬ１１は、コンデンサＣ１１とのＬＣ共振動作を行う。補助回路５３は、保持電位が電位Ｖｓから基準電位へ変化する直前に、回収された主電力の一部をコンデンサＣ１０から補助電力として受け、コンデンサＣ１１の他端の電位ＶＡを、コンデンサＣ１０の一端の電位ＶＢよりも低く設定し、保持電位が基準電位から電位Ｖｓへ変化する直前に、電源ＶＳ２からの補助電力を受け、コンデンサＣ１１の他端の電位ＶＡを、コンデンサＣ１０の一端の電位よりも高く設定する。【００８４】
次に、維持パルス発生回路５０の構成を、電力および電力に基づいて流れる電流が通過する経路の観点から説明する。主電力に基づいて流れる電流は主電流と呼ばれ、補助電力に基づいて流れる電流は補助電流と呼ばれる。主電力および主電流が通過する経路には、回収経路および供給経路がある。補助電力および補助電流が通過する経路には、回収充電経路、回収放電経路、供給充電経路、および供給放電経路がある。回収経路は、電極間容量ＣｐからコンデンサＣ１０へ、主電力を回収する。供給経路は、コンデンサＣ１０から電極間容量Ｃｐへ、主電力を供給する。回収充電経路は、コンデンサＣ１０または電源ＶＳ１の少なくとも一方からコンデンサＣ１１へ、主電力の一部を補助電力として充電する。回収放電経路は、電極間容量ＣｐとコンデンサＣ１１との間で、充電された補助電力を放電する。供給充電経路は、電源ＶＳ２からコンデンサＣ１１へ、補助電力を充電する。供給放電経路は、コンデンサＣ１１と電極間容量Ｃｐとの間で、充電された補助電力を放電する。回収経路は、回収放電経路と少なくとも一部を共有し、供給経路は、供給放電経路と少なくとも一部を共有する。【００８５】
電極間容量Ｃｐは、容量性負荷とも呼ばれる。電力回収回路５１は電力循環回路とも呼ばれ、クランプ回路５２は保持回路とも呼ばれる。電源ＶＳ１の電位Ｖｓは主電位とも呼ばれ、電源ＶＳ２の電位Ｖｓは補助電位とも呼ばれる。実施の形態１では、補助電位は主電位に等しい。コンデンサＣ１０は回収コンデンサ、主容量部、または主蓄積部とも呼ばれ、インダクタＬ１０は回収インダクタまたは主誘導部とも呼ばれ、インダクタＬ１１は補助誘導部または補助インダクタとも呼ばれ、コンデンサＣ１１は補助蓄積部または補助容量部または補助コンデンサとも呼ばれる。補助容量部は、補助蓄積部の一例である。なお、主容量部および補助容量部は、それぞれ複数のコンデンサで構成されてもよいし、主誘導部および補助誘導部は、それぞれ複数のインダクタで構成されてもよい。【００８６】
以下、実施の形態１について、さらに詳細に説明する。【００８７】
電力回収回路５１は、コンデンサＣ１０、スイッチング素子Ｑ１１、スイッチング素子Ｑ１２、ダイオードＤ１１、ダイオードＤ１２、およびインダクタＬ１０を有している。コンデンサＣ１０は、電力回収用の回収コンデンサである。スイッチング素子Ｑ１１は、コンデンサＣ１０から走査電極ＳＣ１〜ＳＣｎへの電力供給時に導通させる供給スイッチである。スイッチング素子Ｑ１２は、走査電極ＳＣ１〜ＳＣｎから回収コンデンサＣ１０への電力回収時に導通させる回収スイッチである。ダイオードＤ１１は、コンデンサＣ１０から走査電極ＳＣ１〜ＳＣｎへ順方向の電力供給時に逆流する電流を防止する。ダイオードＤ１２は、走査電極ＳＣ１〜ＳＣｎから回収コンデンサＣ１０へ順方向の電力回収時に逆流する電流を防止する。インダクタＬ１０は、ＬＣ共振用の回収インダクタである。【００８８】
そして、電極間容量ＣｐとインダクタＬ１０とをＬＣ共振させて、維持パルスの立ち上がりおよび立ち下がりのエッジ動作を行う。このように、電力回収回路５１は電源ＶＳ１から電力を供給されることなくＬＣ共振によって走査電極ＳＣ１〜ＳＣｎの駆動を行う。電力回収用のコンデンサＣ１０は、電極間容量Ｃｐに比べて十分に大きい容量を持ち、電力回収回路５１の電源として働くように、電圧値Ｖｓの半分の大略Ｖｓ／２に充電されている。すなわち、コンデンサＣ１０の一方の端子（すなわちＢ点）は電位ＶＢ（＝Ｖｓ／２）となり、他方の端子は接地端子ＧＮＤ１に接続され接地電位となる。【００８９】
クランプ回路５２は、走査電極ＳＣ１〜ＳＣｎを電位Ｖｓにクランプするためのスイッチング素子Ｑ１３、および走査電極ＳＣ１〜ＳＣｎを接地電位（０（Ｖ））にクランプするためのスイッチング素子Ｑ１４を有している。そして、スイッチング素子Ｑ１３を介して走査電極ＳＣ１〜ＳＣｎを電源ＶＳ１に接続して電位Ｖｓにクランプし、スイッチング素子Ｑ１４を介して走査電極ＳＣ１〜ＳＣｎを接地端子ＧＮＤ１（基準端子とも呼ぶ）に接続して電位０（Ｖ）にクランプする。したがって、クランプ回路５２による電圧印加時のインピーダンスは小さく、強い維持放電による大きな放電電流を安定して流すことができる。【００９０】
補助回路５３は、コンデンサＣ１１、インダクタＬ１１、スイッチング素子Ｑ１５、スイッチング素子Ｑ１６、ダイオードＤ１３、およびダイオードＤ１４を有する。コンデンサＣ１１は、電力回収用のコンデンサＣ１０に直列に接続した補助コンデンサである。インダクタＬ１１は、コンデンサＣ１１とのＬＣ共振に用いる補助インダクタである。スイッチング素子Ｑ１５は、コンデンサＣ１１のＡ点における電位ＶＡを上昇させるときに導通させる電源側補助スイッチである。スイッチング素子Ｑ１６は、コンデンサＣ１１の電位ＶＡを下降させるとき導通させる基準電位側補助スイッチである。ダイオードＤ１３は、維持パルスの立ち上がり時にコンデンサＣ１１からインダクタＬ１０へ順方向に流れる電流の逆流を防止する。ダイオードＤ１４は、維持パルスの立ち下がり時にインダクタＬ１０からコンデンサＣ１１へ順方向に流れる電流の逆流を防止する。【００９１】
そして、コンデンサＣ１１の一方の端子をコンデンサＣ１０の一方の端子（すなわちＢ点）に、コンデンサＣ１１の他方の端子（すなわちＡ点）をインダクタＬ１１の一方の端子にそれぞれ接続する。また、スイッチング素子Ｑ１５の一方の端子をインダクタＬ１１の他方の端子に接続し、スイッチング素子Ｑ１５の他方の端子を電源ＶＳ２に接続して電位Ｖｓにする。また、スイッチング素子Ｑ１６の一方の端子をインダクタＬ１１の他方の端子、すなわちインダクタＬ１１とスイッチング素子Ｑ１５との電気的な接続点に接続し、スイッチング素子Ｑ１６の他方の端子を接地端子ＧＮＤ２（基準端子とも呼ぶ）に接続して基準電位（ここでは、基準電位を接地電位とする）にする。また、ダイオードＤ１３のアノードをコンデンサＣ１１の他方の端子、すなわちインダクタＬ１１とコンデンサＣ１１との電気的な接続点に、ダイオードＤ１３のカソードをスイッチング素子Ｑ１１とダイオードＤ１１との電気的な接続点にそれぞれ接続する。また、ダイオードＤ１４のカソードをコンデンサＣ１１の他方の端子、すなわちインダクタＬ１１とコンデンサＣ１１との電気的な接続点に、ダイオードＤ１４のアノードをスイッチング素子Ｑ１２とダイオードＤ１２との電気的な接続点にそれぞれ接続する。実施の形態１では、このように補助回路５３を構成する。【００９２】
そして、維持パルス発生回路５０は、タイミング発生回路４５から出力されるタイミング信号により、スイッチング素子Ｑ１１、スイッチング素子Ｑ１２、スイッチング素子Ｑ１３、スイッチング素子Ｑ１４、スイッチング素子Ｑ１５、およびスイッチング素子Ｑ１６の導通と遮断とを切換える。これにより、維持パルス発生回路５０は、電力回収回路５１、クランプ回路５２、および補助回路５３を動作させ、維持パルス波形を発生させる。【００９３】
例えば、維持パルス波形を立ち上げる際には、スイッチング素子Ｑ１１を導通させて電極間容量ＣｐとインダクタＬ１０とを共振させ、電力回収用のコンデンサＣ１０から、ダイオードＤ１１、スイッチング素子Ｑ１１、およびインダクタＬ１０を通して、走査電極ＳＣ１〜ＳＣｎに電力を供給する。そして、走査電極ＳＣ１〜ＳＣｎにおける走査電極駆動信号Ｓ４３の電位が電位Ｖｓに近づいた時点で、スイッチング素子Ｑ１３を導通させて、走査電極ＳＣ１〜ＳＣｎを駆動する回路を電力回収回路５１からクランプ回路５２に切換え、走査電極ＳＣ１〜ＳＣｎを電位Ｖｓにクランプする。【００９４】
逆に、維持パルス波形を立ち下げる際には、スイッチング素子Ｑ１２を導通させて電極間容量ＣｐとインダクタＬ１０とを共振させ、電極間容量Ｃｐから、インダクタＬ１０、スイッチング素子Ｑ１２、およびダイオードＤ１２を通して、電力回収用のコンデンサＣ１０に電力を回収する。そして、走査電極ＳＣ１〜ＳＣｎにおける走査電極駆動信号Ｓ４３の電位が０（Ｖ）に近づいた時点で、スイッチング素子Ｑ１４を導通させる。これにより、走査電極ＳＣ１〜ＳＣｎを駆動する回路を電力回収回路５１からクランプ回路５２に切換え、走査電極ＳＣ１〜ＳＣｎを基準電位である０（Ｖ）にクランプする。【００９５】
このようにして、維持パルス発生回路５０は、維持パルスを発生させる。これらのスイッチング素子Ｑ１１、Ｑ１２、Ｑ１３、Ｑ１４、Ｑ１５、Ｑ１６は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属酸化膜半導体電界効果トランジスタ）やＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）等のスイッチング用素子を用いて構成することができる。【００９６】
ここで、コンデンサＣ１１およびインダクタＬ１１は、補助蓄積回路を構成する。補助蓄積回路は、電力回収回路５１により回収された主電力の一部を補助電力として一時的に蓄積し、電源ＶＳ２からの補助電力を一時的に蓄積する。スイッチング素子Ｑ１５およびスイッチング素子Ｑ１６は、スイッチ部を構成する。スイッチ部は、補助蓄積回路を電源ＶＳ２に接続して電位Ｖｓに設定する。各スイッチング素子Ｑ１１、Ｑ１２、Ｑ１３、Ｑ１４、Ｑ１５、Ｑ１６は、単にスイッチとも呼ばれる。スイッチング素子Ｑ１５は、導通時に補助蓄積回路を電位Ｖｓに設定し、スイッチング素子Ｑ１６は、導通時に補助蓄積回路を基準電位に設定する。【００９７】
実施の形態１では、維持パルスの立ち上がりの直前にはコンデンサＣ１１の電位ＶＡをコンデンサＣ１０の電位ＶＢ（＝Ｖｓ／２）よりも高い電位にし、維持パルスの立ち下がりの直前にはコンデンサＣ１１の電位ＶＡをコンデンサＣ１０の電位ＶＢよりも低い電位にしている。【００９８】
具体的には、コンデンサＣ１０から走査電極ＳＣ１〜ＳＣｎに電力を供給して維持パルス波形を立ち上げる直前、すなわちスイッチング素子Ｑ１１を導通させる直前に、スイッチング素子Ｑ１５を導通させてコンデンサＣ１１とインダクタＬ１１とをＬＣ共振させる。そして、電源ＶＳ２から、スイッチング素子Ｑ１５およびインダクタＬ１１を通して、コンデンサＣ１１に電力を充電し、コンデンサＣ１１の電位ＶＡを、コンデンサＣ１０の電位ＶＢ（＝Ｖｓ／２）よりも電圧Ｖｓだけ高い電位、すなわち電圧Ｖｓの１．５倍の３Ｖｓ／２にする。【００９９】
また、走査電極ＳＣ１〜ＳＣｎからコンデンサＣ１０に電力を回収して維持パルス波形を立ち下げる直前、すなわちスイッチング素子Ｑ１２を導通させる直前に、スイッチング素子Ｑ１６を導通させてコンデンサＣ１１とインダクタＬ１１とをＬＣ共振させる。そして、コンデンサＣ１１の電力を、インダクタＬ１１およびスイッチング素子Ｑ１６を通して、基準電位にある接地端子ＧＮＤ２へ放出し、コンデンサＣ１１の電位ＶＡを、コンデンサＣ１０の電位ＶＢ（＝Ｖｓ／２）よりも電圧Ｖｓだけ低い電位、すなわち−Ｖｓ／２にする。【０１００】
これにより、実施の形態１では、維持パルスの立ち上がり時および立ち下がり時にインダクタＬ１０に流れる電流ＪＬ１０を、インダクタＬ１０と電極間容量ＣｐとのＬＣ共振によってのみ流れる電流よりも一時的に増加させ、維持パルスを発生させる際のピーク電流を抑制して、無効電力の削減およびＥＭＩの低減を実現している。この詳細は後述する。【０１０１】
インダクタＬ１１とのＬＣ共振の対象となる容量は、実際はコンデンサＣ１１とコンデンサＣ１０との合成容量、すなわちコンデンサＣ１１の容量をＣａ、コンデンサＣ１０の容量をＣｂとすると、Ｃａ×Ｃｂ／（Ｃａ＋Ｃｂ）、になる。ここでは、コンデンサＣ１１の容量をコンデンサＣ１０よりも十分に小さい値、例えば、コンデンサＣ１０を８μＦ、コンデンサＣ１１を０．０２μＦ、に設定する。このため、コンデンサＣ１１とコンデンサＣ１０との合成容量は、実質的にコンデンサＣ１１の容量に等しいものとして説明を行う。【０１０２】
維持パルス発生回路６０は、維持パルス発生回路５０と同様の構成になっている。維持パルス発生回路６０は、電力回収回路６１、クランプ回路６２、および補助回路６３を含む。電力回収回路６１は電力回収回路５１と同様に構成され、クランプ回路６２はクランプ回路５２と同様に構成され、補助回路６３は補助回路５３と同様に構成される。維持パルス発生回路６０は、パネル１０の電極間容量Ｃｐの一端である維持電極ＳＵ１〜ＳＵｎに接続されている。維持パルス発生回路６０の動作は、維持パルス発生回路５０と同様であるので説明を省略する。【０１０３】
電力回収回路５１のインダクタＬ１０とパネル１０の電極間容量ＣｐとのＬＣ共振の周期（以下、「共振周期」と記す）は、インダクタＬ１０のインダクタンスをＬとすれば、計算式「２π√（ＬＣｐ）」によって求めることができる。また、コンデンサＣ１１とインダクタＬ１１との共振周期も同様の計算式で求めることができる。そして、実施の形態１では、電力回収回路５１における共振周期が大略２μｓｅｃになるようにインダクタＬ１０を設定し、電力回収回路６１における共振周期も同様に設定している。また、維持パルスの周波数を１００ｋＨｚとし、維持パルスの立ち上がりおよび立ち下がりにかける期間をそれぞれ１μｓｅｃ、維持パルスを電位Ｖｓにクランプする期間を３μｓｅｃとし、補助回路５３における共振周期が大略６μｓｅｃになるようにインダクタＬ１１およびコンデンサＣ１１を設定している。また、補助回路６３における共振周期も同様に設定している。しかし、これらの数値は実施の形態における一例に過ぎず、パネルの特性やプラズマディスプレイ装置の仕様等に合わせて最適な値に設定すればよい。【０１０４】
次に、上述したように、維持パルスの立ち上がり時および立ち下がり時にインダクタＬ１０に流れる電流ＪＬ１０を、インダクタＬ１０と電極間容量ＣｐとのＬＣ共振によってのみ流れる電流よりも一時的に増加させる動作の詳細について説明する。【０１０５】
図７は、維持パルス発生回路の動作を説明するためのタイミングチャートである。ここでは、維持パルスを発生させるための一連の動作をＴ１〜Ｔ６で示した６つの期間に分割し、それぞれの期間について説明する。また、ここでは維持パルス発生回路５０での動作を説明するが、維持パルス発生回路６０における動作も同様である。【０１０６】
図７では、上から順に、走査電極ＳＣ１〜ＳＣｎに印加される走査電極駆動信号Ｓ４３の電圧の変化、補助回路５３におけるコンデンサＣ１１（図６のＡ点）の電位ＶＡの変化、インダクタＬ１０に流れる電流ＪＬ１０（ここでは、走査電極ＳＣ１〜ＳＣｎに向かって流れる場合を正、走査電極ＳＣ１〜ＳＣｎから流れてくる場合を負とする）の変化、スイッチング素子Ｑ１１の制御の状態、スイッチング素子Ｑ１２の制御の状態、スイッチング素子Ｑ１３の制御の状態、スイッチング素子Ｑ１４の制御の状態、スイッチング素子Ｑ１５の制御の状態、スイッチング素子Ｑ１６の制御の状態を示す。【０１０７】
また、図８は、図７に示したタイミングチャートの期間Ｔ１、期間Ｔ２を拡大して示した図である。図８では、上から順に、走査電極ＳＣ１〜ＳＣｎに印加される走査電極駆動信号Ｓ４３の電圧の変化、補助回路５３におけるコンデンサＣ１１（図６のＡ点）の電位ＶＡの変化、インダクタＬ１１を流れる電流ＪＬ１１の変化、インダクタＬ１０に流れる電流ＪＬ１０の変化、スイッチング素子Ｑ１１の制御の状態、スイッチング素子Ｑ１３の制御の状態、スイッチング素子Ｑ１５の制御の状態、スイッチング素子Ｑ１６の制御の状態を示す。【０１０８】
以下の説明においてスイッチング素子を導通させる動作をオン、遮断させる動作をオフと表記し、図面にはスイッチング素子をオンさせる信号を「ＯＮ」、オフさせる信号を「ＯＦＦ」と表記する。また、図７では、正の維持パルス電圧Ｖｓを表す正極の波形を用いて説明をするが、本発明はこれに限られるものではない。例えば、負の維持パルス電圧Ｖｓを表す負極の波形に関する実施の形態については、以下の説明において正極の波形の「立ち上がり」を負極の波形の「立ち下がり」に読みかえることで、負極の波形であっても同様の効果を得ることができる。【０１０９】
（期間Ｔ１）
時点ｔ１でスイッチング素子Ｑ１５をオンにする。すると、電源ＶＳ２から、スイッチング素子Ｑ１５およびインダクタＬ１１を通して、コンデンサＣ１１に電流ＪＬ１１が流れ、コンデンサＣ１１の電位ＶＡ（図面に示すＡ点の電位）が上昇し始める。電流ＪＬ１１は補助電流とも呼ばれ、補助電流が流れる上述した経路は供給充電経路とも呼ばれる。コンデンサＣ１０の電位ＶＢはＶｓ／２であり、コンデンサＣ１１とインダクタＬ１１とは共振回路を構成している。このため、共振周期の２分の１の時間が経過した後の時点ｔ２において、コンデンサＣ１１の電位ＶＡはＶｓ／２＋Ｖｓ、すわなち３Ｖｓ／２付近まで上昇する。【０１１０】
この間、スイッチング素子Ｑ１４はオンに維持し、走査電極ＳＣ１〜ＳＣｎは０（Ｖ）にクランプしておく。【０１１１】
（期間Ｔ２）
次に、時点ｔ２でスイッチング素子Ｑ１４およびスイッチング素子Ｑ１５をオフにするとともにスイッチング素子Ｑ１１をオンにする。【０１１２】
インダクタＬ１０と電極間容量Ｃｐとは共振回路を構成しているので、このスイッチング動作により、Ａ点が電位３Ｖｓ／２になるように充電されたコンデンサＣ１１から、ダイオードＤ１３、スイッチング素子Ｑ１１、およびインダクタＬ１０を通して、走査電極ＳＣ１〜ＳＣｎへ補助電流が流れる。補助電流が流れる上述した経路は、供給放電経路とも呼ばれる。また、電力回収用のコンデンサＣ１０から、ダイオードＤ１１、スイッチング素子Ｑ１１、およびインダクタＬ１０を通して、走査電極ＳＣ１〜ＳＣｎへ電流が流れる。この電流は主電流とも呼ばれ、主電流が流れる上述した経路は供給経路とも呼ばれる。図７および図８に示す電流ＪＬ１０は、インダクタＬ１０を流れる主電流および補助電流の合計を表す。これにより、走査電極ＳＣ１〜ＳＣｎにおける走査電極駆動信号Ｓ４３の電位が上がり始める。【０１１３】
例えば、インダクタＬ１０と電極間容量Ｃｐとの共振周期を大略２μｓｅｃに設定した場合、時点ｔ２から大略１μｓｅｃ後には走査電極ＳＣ１〜ＳＣｎにおける走査電極駆動信号Ｓ４３の電位は電位Ｖｓ付近まで上昇する。【０１１４】
このとき、実施の形態１では、補助回路５３においてＡ点が電位ＶＡ（＝３Ｖｓ／２）になるように充電されたコンデンサＣ１１から、走査電極ＳＣ１〜ＳＣｎへと補助電流が流れる。このため、図８のインダクタＬ１０に流れる電流ＪＬ１０の変化を示す波形において実線で示すように、走査電極ＳＣ１〜ＳＣｎへ流れる電流ＪＬ１０の立ち上がりは、一点鎖線で示す補助回路５３を用いない場合と比較して、正方向に急峻に増加する。【０１１５】
また、実施の形態１では、コンデンサＣ１１の容量をコンデンサＣ１０と比較して十分に小さい値（ここでは、コンデンサＣ１０を８μＦ、コンデンサＣ１１を０．０２μＦとする）にしている。したがって、図７および図８においてコンデンサＣ１１（図６のＡ点）の電位ＶＡの変化を示す波形のように、コンデンサＣ１１から走査電極ＳＣ１〜ＳＣｎへの電力供給によりコンデンサＣ１１の電位ＶＡは急激に下降する。そして、時点ｔ２から比較的短い時間が経過した時点ｔ２１においてコンデンサＣ１１の正極側と負極側の電位差は０となり、コンデンサＣ１１の電位ＶＡはコンデンサＣ１０の電位ＶＢと同電位（電位Ｖｓ／２）となる。これにより、コンデンサＣ１０から走査電極ＳＣ１〜ＳＣｎへの電力供給の途中でコンデンサＣ１１から走査電極ＳＣ１〜ＳＣｎへの電力供給は停止する。それ以降は、コンデンサＣ１０から出力される電力のみが走査電極ＳＣ１〜ＳＣｎへと供給される。【０１１６】
このように、コンデンサＣ１１に充電された電力により、維持パルスの立ち上がり時に、インダクタＬ１０を介して走査電極ＳＣ１〜ＳＣｎに流れる電流ＪＬ１０は、一時的に増加して急峻に立ち上がる。また、コンデンサＣ１１から走査電極ＳＣ１〜ＳＣｎへの電力供給は、コンデンサＣ１０から走査電極ＳＣ１〜ＳＣｎへの電力供給の途中で停止するので、インダクタＬ１０を介して流れる電流ＪＬ１０の最大値は、インダクタＬ１０と電極間容量Ｃｐとの共振周期に依存した電流値となる。【０１１７】
ここで、実施の形態１における維持パルスの立ち上がり時（立ち下がり時）において、インダクタＬ１０に流れる電流ＪＬ１０を一時的に増加させて駆動を行う理由を説明する。【０１１８】
近年では、パネルのさらなる高精細化が進み、１つのサブフィールド期間内に書込みをしなければならない電極数がますます増加している。そのため１回の書込み期間に要する時間が増大する傾向にあるが、１つのサブフィールドに割り当てることができる時間は限られているため、例えば維持パルスの周期を短くする等して維持期間を短縮するといった対応が必要となる。【０１１９】
一方、安定した維持放電を発生させるためには、一般に放電遅れと呼ばれる放電発生の遅れ時間および放電セル間での放電遅れのばらつき等の阻害要因を考慮する必要がある。放電発生の遅れ時間は、放電セルへの印加電圧が放電開始電圧を超えてから実際に放電が発生するまでの時間を表す。これらの要因を考慮し、維持パルスを電源ＶＳ１の電位Ｖｓおよび接地電位にクランプするクランプ期間を十分に確保しなければならない。そして、クランプ期間を確保しつつ維持パルスの周期を短くするためには、例えば維持パルスの立ち上がりや立ち下がりを急峻にし、それらにかける時間を短縮するといった対応が必要となる。【０１２０】
また、維持動作においては、電圧の変化が急峻な状態で放電を生じさせると、強い放電が発生して放電セル内に十分な壁電荷を形成することができる。さらに、電圧の変化が急峻な状態で放電を生じさせることで放電開始電圧のばらつきを吸収し、維持放電の放電セル毎のばらつきを抑えることができるので、放電を安定に発生させる効果を高めることができる。【０１２１】
そのため、維持パルス発生回路５０から走査電極ＳＣ１〜ＳＣｎに供給する走査電極駆動信号Ｓ４３の電流をできるだけ急峻に増加させ、維持パルスの立ち上がりを急峻にすることが望ましい。【０１２２】
維持パルスの立ち上がりや立ち下がりを急峻にするためには、回収インダクタであるインダクタＬ１０のインダクタンスを小さくする等して、インダクタＬ１０と電極間容量Ｃｐとの共振周期を短くすればよい。しかしながら、インダクタＬ１０と電極間容量Ｃｐとの共振周期を短くすると、コンデンサＣ１０と電極間容量Ｃｐとの間を移動する電流の最大値（ピーク電流）が増加し、ＥＭＩを増加させてしまう。また、ピーク電流が増加すると、発光に寄与することなく無効に消費される電力、すなわち無効電力も増加してしまう。そして、高精細化されたパネルでは駆動負荷も増大するため、無効電力がさらに増加する恐れがある。【０１２３】
また、電力回収回路５１の出力インピーダンスは、クランプ回路５２の出力インピーダンスと比較して大きいため、ピーク電流の増加は、駆動負荷等の影響によるリンギングと呼ばれる波形歪を発生させる。このような波形歪は、放電を不安定にするだけでなく、無効電力をさらに増加させてしまう。【０１２４】
また、ピーク電流が大きいとその分だけ電圧降下も大きくなるため、図８の走査電極ＳＣ１〜ＳＣｎに印加される走査電極駆動信号Ｓ４３の電圧の変化を示す波形に破線で示すように、電力回収回路５１による駆動時に走査電極ＳＣ１〜ＳＣｎへの走査電極駆動信号Ｓ４３の印加電圧が電圧Ｖｓまで上昇しない。そうすると、直後のクランプ回路５２への切換え時に電源ＶＳ１から走査電極ＳＣ１〜ＳＣｎへ供給される電力が増え、消費電力が増加してしまう。【０１２５】
一方、インダクタＬ１０のインダクタンスを大きくする等して電力回収回路５１の共振周期を長くすれば、電力回収回路５１から走査電極ＳＣ１〜ＳＣｎに供給する電流ＪＬ１０の立ち上がりは緩やかになる。そうすると、コンデンサＣ１０と電極間容量Ｃｐとの間を移動する電流の最大値（ピーク電流）が低減されるので、ＥＭＩを低減することができ、無効電力を低減することができる。また、電圧降下も抑えられるので、電力回収回路５１による駆動時に走査電極ＳＣ１〜ＳＣｎへの走査電極駆動信号Ｓ４３の印加電圧を、より電圧Ｖｓに近い電位まで上昇させることができる。これにより、直後のクランプ回路５２への切換え時に電源ＶＳ１から走査電極ＳＣ１〜ＳＣｎへ供給される電力を低減でき、消費電力を低減することができる。【０１２６】
しかしながら、電力回収回路５１の共振周期を長くして、維持パルスの立ち上がりおよび立ち下がりの傾きを表すエッジ特性を緩やかにすると、維持期間がその分、増大するといった問題が発生する。【０１２７】
これらのことから、高精細化されたパネルを安定に駆動しつつＥＭＩおよび無効電力を低減するためには、維持パルスを発生させる際のエッジ特性をできるだけ急峻にし、一方で維持パルス発生回路５０と電極間容量Ｃｐとの間を流れる走査電極駆動信号Ｓ４３の電流の最大値、すなわちピーク電流を低減させるといった、互いに矛盾する動作を両立させることが必要となることがわかる。【０１２８】
そして、実施の形態１における補助回路５３は、この動作を実現することを目的としたものであり、維持パルス発生回路と電極間容量Ｃｐとの間を流れるピーク電流を低減しつつ維持パルスを発生させる際のエッジ特性を急峻にすることを可能にするための回路である。【０１２９】
すなわち、維持パルス波形を立ち上げる直前には、コンデンサＣ１１とインダクタＬ１１とのＬＣ共振により、電源ＶＳ２からコンデンサＣ１１に電力を充電して、コンデンサＣ１１の電位ＶＡをコンデンサＣ１０の電位ＶＢよりも高い電位（ここでは、３Ｖｓ／２）にする。維持パルス波形を立ち下げる直前には、コンデンサＣ１１とインダクタＬ１１とのＬＣ共振により、コンデンサＣ１１の電力を基準電位にある接地端子ＧＮＤ２へ放出して、コンデンサＣ１１の電位ＶＡをコンデンサＣ１０の電位ＶＢよりも低い電位（ここでは、−Ｖｓ／２）にする。これにより、電力回収回路５１の動作開始直後に、コンデンサＣ１１と電極間容量Ｃｐとの間で電力を移動させて、インダクタＬ１０に流れる電流ＪＬ１０を、インダクタＬ１０と電極間容量ＣｐとのＬＣ共振によってのみ流れる電流よりも一時的に増加させることができる。すなわち、維持パルスの立ち上がり時および立ち下がり時において、維持パルス発生回路５０と電極間容量Ｃｐとの間を移動する走査電極駆動信号Ｓ４３の電流を一時的に増加させることができ、これによりインダクタＬ１０と電極間容量Ｃｐとの共振周期を短くすることなく、維持パルスの急峻なエッジ特性を実現することが可能となる。【０１３０】
また、コンデンサＣ１１の容量をコンデンサＣ１０と比較して十分に小さい値に設定しているため、電力回収回路５１の動作開始直後に発生するインダクタＬ１０における電流ＪＬ１０増加は一時的なものに過ぎない。そのため、維持パルス発生回路と電極間容量Ｃｐとの間を流れる走査電極駆動信号Ｓ４３の電流の最大値は、インダクタＬ１０と電極間容量Ｃｐとの共振周期により決定される。これにより、インダクタＬ１０と電極間容量Ｃｐとの共振周期が長くなるようにインダクタＬ１０のインダクタンスを設定することで、維持パルス発生回路と電極間容量Ｃｐとの間のピーク電流を抑制することができる。【０１３１】
図８の電流ＪＬ１０に関して一点鎖線で示した波形は、実施の形態１よりもインダクタＬ１０のインダクタンスを小さくして共振周期を短くし、かつ補助回路５３を用いない構成での電力回収回路において、走査電極ＳＣ１〜ＳＣｎへの電力供給の状態を表したものである。この一点鎖線で示した波形と実施の形態１における実線で示した波形との差に示されるように、実施の形態１における構成では、期間Ｔ２の維持パルスの立ち上がりにおいて電力回収回路５１から走査電極ＳＣ１〜ＳＣｎへ流れる電流ＪＬ１０の立ち上がりを急峻にすることができ、かつピーク電流を抑えることが可能となる。【０１３２】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より電圧Ｖｓに近い電位（ここでは、実質的に電位Ｖｓに達する）まで上昇させることが可能となる。これにより、電力回収回路５１における電力の利用効率を上げるとともに、直後のクランプ回路５２への切換え時に電源ＶＳ１から走査電極ＳＣ１〜ＳＣｎへ供給される電力を抑えて、消費電力をさらに低減させることができる。【０１３３】
（期間Ｔ３）
そして、時点ｔ３でスイッチング素子Ｑ１３をオンにする。すると走査電極ＳＣ１〜ＳＣｎは、スイッチング素子Ｑ１３を通して直接に電源ＶＳ１へ接続される。【０１３４】
実施の形態１では、走査電極ＳＣ１〜ＳＣｎの電位は、電力回収回路５１による駆動によって実質的に電位Ｖｓに達しているため、走査電極ＳＣ１〜ＳＣｎが電位Ｖｓにクランプされても走査電極ＳＣ１〜ＳＣｎの電位に実質的な変化は生じない。これにより、クランプ回路５２から走査電極ＳＣ１〜ＳＣｎへ供給される電力を削減することができる。また、スイッチング素子Ｑ１３は続く期間Ｔ４の間もオンに維持し、これにより期間Ｔ３および期間Ｔ４では、走査電極ＳＣ１〜ＳＣｎにおける走査電極駆動信号Ｓ４３の電位は電位Ｖｓに保たれる。【０１３５】
（期間Ｔ４）
時点ｔ４でスイッチング素子Ｑ１６をオンにする。すると、コンデンサＣ１０から、コンデンサＣ１１、インダクタＬ１１およびスイッチング素子Ｑ１６を通して、基準電位にある接地端子ＧＮＤ２に補助電流ＪＬ１１が流れ、コンデンサＣ１１の電位ＶＡ（図面に示すＡ点の電位）が下降し始める。補助電流が流れる上述した経路は、回収充電経路とも呼ばれる。コンデンサＣ１０の電位ＶＢはＶｓ／２であり、コンデンサＣ１１とインダクタＬ１１とは共振回路を構成している。このため、共振周期の２分の１の時間が経過した後の時点ｔ５において、コンデンサＣ１１の電位ＶＡはＶｓ／２−Ｖｓ、すわなち−Ｖｓ／２付近まで下降する。【０１３６】
（期間Ｔ５）
次に、時点ｔ５でスイッチング素子Ｑ１３およびスイッチング素子Ｑ１６をオフにするとともにスイッチング素子Ｑ１２をオンにする。【０１３７】
インダクタＬ１０と電極間容量Ｃｐとは共振回路を構成しているので、このスイッチング動作により、走査電極ＳＣ１〜ＳＣｎから、インダクタＬ１０、スイッチング素子Ｑ１２、およびダイオードＤ１４を通して、Ａ点が電位−Ｖｓ／２になるように充電されたコンデンサＣ１１へ補助電流が流れる。補助電流が流れる上述した経路は、回収放電経路とも呼ばれる。また、走査電極ＳＣ１〜ＳＣｎから、インダクタＬ１０、スイッチング素子Ｑ１２、およびダイオードＤ１２を通して、電力回収用のコンデンサＣ１０へ主電流が流れる。主電流が流れる上述した経路は回収経路とも呼ばれる。電流ＪＬ１０は、インダクタＬ１０を流れる主電流および補助電流の合計を表す。これにより、走査電極ＳＣ１〜ＳＣｎにおける走査電極駆動信号Ｓ４３の電位が下がり始める。【０１３８】
例えば、インダクタＬ１０と電極間容量Ｃｐとの共振周期を大略２μｓｅｃに設定した場合、時点ｔ５から大略１μｓｅｃ後には走査電極ＳＣ１〜ＳＣｎにおける走査電極駆動信号Ｓ４３の電位は接地電位付近まで下降する。【０１３９】
このとき、実施の形態１では、補助回路５３においてＡ点が電位−Ｖｓ／２になるように充電されたコンデンサＣ１１へ、走査電極ＳＣ１〜ＳＣｎから補助電流が流れる。このため、上述の期間Ｔ２で説明したものと同様の理由により、走査電極ＳＣ１〜ＳＣｎから維持パルス発生回路５０へ流れる走査電極駆動信号Ｓ４３の電流の立ち下がり（ここでは、走査電極ＳＣ１〜ＳＣｎから維持パルス発生回路５０へ流れる場合を負方向としているため、立ち下がりと表記）は、補助回路５３を用いない場合と比較して、急峻に減少（負方向に急峻に増加）する。【０１４０】
これにより、補助回路５３を用いない構成における走査電極ＳＣ１〜ＳＣｎから電力回収回路への電力の回収時と比較して、実施の形態１における構成では、期間Ｔ５の維持パルスの立ち下がりにおける走査電極ＳＣ１〜ＳＣｎから電力回収回路５１へ流れる電流ＪＬ１０の立ち下がりを急峻にし、かつインダクタＬ１０に流れるピーク電流を抑えることが可能となる。【０１４１】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より接地電位に近い電位（ここでは、実質的に接地電位に達する）まで下降させることが可能となる。これにより、電力回収回路５１における電力の回収効率を上げるとともに直後のクランプ回路５２への切換え時に走査電極ＳＣ１〜ＳＣｎから接地端子ＧＮＤ１へ放出される電力を抑えて、消費電力をさらに低減させることができる。【０１４２】
また、ピーク電流を抑えることで無効電力を低減することができ、これにより、走査電極ＳＣ１〜ＳＣｎにおける走査電極駆動信号Ｓ４３の電位をほぼ接地電位まで下降させることができる。したがって、直後のクランプ回路５２への切換え時に消費される電力を抑え、無効電力をさらに低減させることができる。【０１４３】
（期間Ｔ６）
そして、時点ｔ６でスイッチング素子Ｑ１４をオンにする。すると走査電極ＳＣ１〜ＳＣｎは、スイッチング素子Ｑ１４を通して直接に接地される。【０１４４】
実施の形態１では、走査電極ＳＣ１〜ＳＣｎにおける走査電極駆動信号Ｓ４３の電位は、電力回収回路５１による駆動によって実質的に接地電位である０（Ｖ）に達しているため、走査電極ＳＣ１〜ＳＣｎが接地電位にクランプされても走査電極ＳＣ１〜ＳＣｎの電位に実質的な変化は生じない。これにより、クランプ回路５２における消費電力を削減することができる。【０１４５】
スイッチング素子Ｑ１１は時点ｔ３以降、時点ｔ４までにオフすればよく、スイッチング素子Ｑ１２は時点ｔ６以降、次の時点ｔ１までにオフすればよい。また、維持パルス発生回路５０の出力インピーダンスを下げるために、スイッチング素子Ｑ１３は時点ｔ５直前にオフにすることが望ましく、スイッチング素子Ｑ１４は時点ｔ２直前にオフにすることが望ましい。【０１４６】
ここでは維持パルス発生回路５０での動作を説明したが、維持パルス発生回路６０における動作も同様であるため、維持パルス発生回路６０に関する説明は省略する。【０１４７】
維持期間においては、以上の期間Ｔ１〜期間Ｔ６の動作を、必要なパルス数に応じて繰り返す。このようにして、基準電位である０（Ｖ）から電位Ｖｓに変位する維持パルス電圧を、表示電極対２４のそれぞれに交互に印加して放電セルを維持放電させる。【０１４８】
以上、説明したように、実施の形態１によれば、維持パルスの立ち上がり時および立ち下がり時のパルスエッジにおいて、補助回路５３を用いることにより、回収インダクタ（電力回収回路５１ではインダクタＬ１０）に流れる電流ＪＬ１０の大きさを急峻に増加させている。その結果、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。これにより、高精細化パネルに対しても、クランプ期間の確保により安定して維持放電を発生させるとともに、ピーク電流の低減により消費電力およびＥＭＩを低減することが可能となる。【０１４９】
実施の形態１では、インダクタＬ１１とコンデンサＣ１１との共振周期を大略６μｓｅｃとする構成を説明した。これは、維持パルスの周波数を１００ｋＨｚとし、維持パルスの立ち上がりおよび立ち下がりにかける期間（図７では、期間Ｔ２および期間Ｔ５）をそれぞれ１μｓｅｃ、維持パルスを電位Ｖｓにクランプする期間を３μｓｅｃとしたためである。このように、実施の形態１においては、維持パルス発生時におけるクランプ期間内にコンデンサＣ１１への充電が行われるように、設定することが望ましい。このために、インダクタＬ１１とコンデンサＣ１１との共振周期の２分の１が、表示電極対を電源ＶＳ１の電位Ｖｓにクランプする期間（図７では、時点ｔ３から時点ｔ５までの期間）以下で、かつ表示電極対を接地電位にクランプする期間（図７では、時点ｔ６から次の時点ｔ２までの期間）以下になるように設定することが望ましい。【０１５０】
実施の形態１では、コンデンサＣ１０を８μＦとし、コンデンサＣ１１を０．０２μＦとする構成を説明したが、維持パルスの立ち上がりを急峻にし、かつピーク電流を抑える効果を得るためには、コンデンサＣ１１をコンデンサＣ１０の１０分の１以下の容量に設定することが望ましい。【０１５１】
実施の形態１では、補助回路５３に１つの共振回路を有する構成を説明したが、これ以外の構成でも同様の動作を行うことができる。以降の実施の形態では、補助回路の他の構成例について説明する。【０１５２】
（実施の形態２）
実施の形態２では、２つの共振回路を用いた補助回路の構成例について、実施の形態１と異なる点を中心に説明する。その他の構成、動作、および効果は、実施の形態１と同等であるので、説明を省略する。【０１５３】
図９は、維持パルス発生回路５０１の回路図である。維持パルス発生回路５０１は、電力回収回路５１、クランプ回路５２、および補助回路５３１を有する。電力回収回路５１およびクランプ回路５２は、実施の形態１において示した電力回収回路５１およびクランプ回路５２と同様の構成であり同様の動作であるので、ここでの説明は省略する。【０１５４】
補助回路５３１は、コンデンサＣ１１、コンデンサＣ１２、インダクタＬ１１、インダクタＬ１２、スイッチング素子Ｑ１５、スイッチング素子Ｑ１６、ダイオードＤ１３、およびダイオードＤ１４を有する。コンデンサＣ１１は、電力回収用のコンデンサＣ１０に直列に接続した電源側補助コンデンサである。コンデンサＣ１２は、電力回収用のコンデンサＣ１０に直列に接続した基準電位側補助コンデンサである。インダクタＬ１１は、コンデンサＣ１１とのＬＣ共振に用い、電源ＶＳ２からコンデンサＣ１１へ電力を充電するときに使用する補助インダクタである。インダクタＬ１２は、コンデンサＣ１２とのＬＣ共振に用い、コンデンサＣ１２から基準電位にある接地端子ＧＮＤ２へ電力を放出するときに使用する補助インダクタである。スイッチング素子Ｑ１５は、コンデンサＣ１１の電位ＶＡを上昇させるときに導通させる電源側補助スイッチである。スイッチング素子Ｑ１６は、コンデンサＣ１２のＣ点における電位ＶＣを下降させるとき導通させる基準電位側補助スイッチである。ダイオードＤ１３は、維持パルスの立ち上がり時に、コンデンサＣ１１からインダクタＬ１０へ順方向に流れる電流の逆流を防止するダイオードである。ダイオードＤ１４は、維持パルスの立ち下がり時に、インダクタＬ１０からコンデンサＣ１２へ順方向に流れる電流の逆流を防止するダイオードである。【０１５５】
そして、コンデンサＣ１１の一方の端子をコンデンサＣ１０の一方の端子（すなわちＢ点）に、コンデンサＣ１１の他方の端子（すなわちＡ点）をインダクタＬ１１の一方の端子にそれぞれ接続する。また、コンデンサＣ１２の一方の端子をコンデンサＣ１０とコンデンサＣ１１との電気的な接続点に、コンデンサＣ１２の他方の端子（すなわちＣ点）をインダクタＬ１２の一方の端子にそれぞれ接続する。また、スイッチング素子Ｑ１５の一方の端子をインダクタＬ１１の他方の端子に接続し、スイッチング素子Ｑ１５の他方の端子を電源ＶＳ２に接続して電位Ｖｓにする。また、スイッチング素子Ｑ１６の一方の端子をインダクタＬ１２の他方の端子に接続し、スイッチング素子Ｑ１６の他方の端子を接地端子ＧＮＤ２に接続して基準電位である接地電位にする。また、ダイオードＤ１３のアノードをコンデンサＣ１１とインダクタＬ１１との電気的な接続点に、ダイオードＤ１３のカソードをスイッチング素子Ｑ１１とダイオードＤ１１との電気的な接続点にそれぞれ接続する。また、ダイオードＤ１４のカソードをコンデンサＣ１２とインダクタＬ１２との電気的な接続点に、ダイオードＤ１４のアノードをスイッチング素子Ｑ１２とダイオードＤ１２との電気的な接続点にそれぞれ接続する。このようにして補助回路５３１を構成する。【０１５６】
ここで、コンデンサＣ１１、インダクタＬ１１、コンデンサＣ１２、およびインダクタＬ１２は、補助蓄積回路を構成する。スイッチング素子Ｑ１５は、導通時に補助蓄積回路を電位Ｖｓに設定し、スイッチング素子Ｑ１６は、導通時に補助蓄積回路を基準電位に設定する。補助蓄積回路は、２つの副補助蓄積回路を含む。コンデンサＣ１１およびインダクタＬ１１は、副補助蓄積回路を構成し、コンデンサＣ１２およびインダクタＬ１２は、別の副補助蓄積回路を構成する。スイッチング素子Ｑ１５は、導通時に、コンデンサＣ１１およびインダクタＬ１１を含む副補助蓄積回路を電位Ｖｓに設定する。スイッチング素子Ｑ１６は、導通時に、コンデンサＣ１２およびインダクタＬ１２を含む別の副補助蓄積回路を基準電位に設定する。コンデンサＣ１１およびコンデンサＣ１２は、補助容量部（すなわち、補助蓄積部の一例）を構成する。各コンデンサＣ１１、Ｃ１２は、副補助容量部とも呼ばれる。インダクタＬ１１およびインダクタＬ１２は、補助誘導部を構成する。各インダクタＬ１１、Ｌ１２は、副補助誘導部とも呼ばれる。【０１５７】
そして、コンデンサＣ１０から走査電極ＳＣ１〜ＳＣｎに電力を供給して維持パルス波形を立ち上げる直前、すなわちスイッチング素子Ｑ１１を導通させる直前に、スイッチング素子Ｑ１５を導通させてコンデンサＣ１１とインダクタＬ１１とをＬＣ共振させ、ＶＳ２から、スイッチング素子Ｑ１５およびインダクタＬ１１を通して、コンデンサＣ１１に電力を充電し、コンデンサＣ１１の電位ＶＡを、コンデンサＣ１０の電位ＶＢ（＝Ｖｓ／２）よりも電圧Ｖｓだけ高い電位３Ｖｓ／２にする。【０１５８】
また、走査電極ＳＣ１〜ＳＣｎからコンデンサＣ１０に電力を回収して維持パルス波形を立ち下げる直前、すなわちスイッチング素子Ｑ１２を導通させる直前に、スイッチング素子Ｑ１６を導通させてコンデンサＣ１１とインダクタＬ１１とをＬＣ共振させ、コンデンサＣ１１の電力を、インダクタＬ１１およびスイッチング素子Ｑ１６を通して、基準電位にある接地端子ＧＮＤ２へ放出し、コンデンサＣ１１の電位ＶＡを、コンデンサＣ１０の電位ＶＢ（＝Ｖｓ／２）よりも電圧Ｖｓだけ低い電位、すなわち−Ｖｓ／２にする。【０１５９】
このような構成であっても、実施の形態１と同様に、維持パルスの立ち上がり時および立ち下がり時のパルスエッジにおいて、補助回路５３１を用いることにより、回収インダクタ（電力回収回路５１ではインダクタＬ１０）に流れる電流ＪＬ１０の大きさを急峻に増加させている。その結果、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。これにより、高精細化パネルに対しても、クランプ期間の確保により安定して維持放電を発生させるとともに、ピーク電流の低減により消費電力およびＥＭＩを低減することが可能となる。【０１６０】
さらに、実施の形態２では、補助コンデンサを、回収コンデンサよりも高い電位にするときに用いる電源側補助コンデンサ（図９では、コンデンサＣ１１）と、回収コンデンサよりも低い電位にするときに用いる基準電位側補助コンデンサ（図９では、コンデンサＣ１２）とに分けた構成としている。このため、電源側補助コンデンサと基準電位側補助コンデンサとを互いに異なる容量に設定することで、維持パルスの立ち上がりにおける電流制御と立ち下がりにおける電流制御とを互いに独立して設定することができる。【０１６１】
実施の形態１では、インダクタＬ１１とコンデンサＣ１１との共振周期の２分の１がクランプ期間以下になるように設定する構成を説明した。一方、実施の形態２では、補助コンデンサをコンデンサＣ１１とコンデンサＣ１２とに分け、補助インダクタをコンデンサＣ１１用のインダクタＬ１１とコンデンサＣ１２用のインダクタＬ１２とにそれぞれ分けた構成としている。このため、補助コンデンサと補助インダクタとの共振周期をさらに長く設定することができ、共振周期に依存して変化するピーク電流をさらに抑えることができる。ここでピーク電流は、電源ＶＳ２からインダクタＬ１１を介してコンデンサＣ１１へ流れる電流ＪＬ１１の最大値、およびコンデンサＣ１２からインダクタＬ１２を介して接地端子ＧＮＤ２へ流れる電流ＪＬ１２の最大値である。具体的には、維持パルスの周波数を１００ｋＨｚ（すなわち、維持パルスの周期が１０μｓｅｃ）とし、維持パルスの立ち上がりおよび立ち下がりにかける期間をそれぞれ１μｓｅｃとする。この場合、例えばコンデンサＣ１１に充電する期間には、最大で、維持パルスの立ち上がりにかける期間（図７では、期間Ｔ２）を除く期間である９μｓｅｃをかけることができる。したがって、コンデンサＣ１１とインダクタＬ１１との共振周期を最大で１８μｓｅｃに設定することができる。同様に、コンデンサＣ１２に充電する期間には、最大で、維持パルスの立ち下がりにかける期間（図７では、期間Ｔ５）を除く期間をかけることができ、コンデンサＣ１２とインダクタＬ１２との共振周期の最大値もその期間に応じた数値に設定することができる。【０１６２】
図１０は、実施の形態２の変形例における維持パルス発生回路５０１Ａの回路図である。図１０の維持パルス発生回路５０１Ａは、図９の維持パルス発生回路５０１と比較して、コンデンサＣ１１およびコンデンサＣ１２に、各々インダクタＬ１３およびインダクタＬ１４が直列に接続され、その結果、補助回路５３１が補助回路５３１Ａに変更されていることのみ異なるので、その違いのみを説明する。図１１は、維持パルス発生回路５０１Ａの動作を説明するためのタイミングチャートである。また、図１２は、図１１に示したタイミングチャートの期間Ｔ１、期間Ｔ２を拡大して示した拡大図である。図１２において、走査電極ＳＣ１〜ＳＣｎの電位Ｓ４３、コンデンサＣ１１の電位ＶＡ、インダクタＬ１１の電流ＪＬ１１、インダクタＬ１３の電流ＪＬ１３、およびインダクタＬ１０の電流ＪＬ１０の破線は、スイッチング素子Ｑ１５の１回目のオン動作に起因する波形、実線は２回目以降のオン動作に起因する波形を示す。１回目のオン動作に起因する波形には、括弧内の期間Ｔ１、Ｔ２、Ｔ３、および括弧内の時点ｔ１、ｔ２、ｔ２１、ｔ２２、ｔ３が関係する。一方、２回目以降のオン動作に起因する波形には、期間Ｔ１Ａ、Ｔ２Ａ、Ｔ３Ａ、および時点ｔ１Ａ、ｔ２Ａ、ｔ２１Ａ、ｔ２２Ａ、ｔ３Ａが関係する。【０１６３】
図１０に示すように、補助回路５３１Ａは、コンデンサＣ１１、コンデンサＣ１２、インダクタＬ１３、インダクタＬ１４、インダクタＬ１１、インダクタＬ１２、スイッチング素子Ｑ１５、スイッチング素子Ｑ１６、ダイオードＤ１３、およびダイオードＤ１４を有する。インダクタＬ１３の一方の端子をコンデンサＣ１１の一方の端子に、インダクタＬ１３の他方の端子をコンデンサＣ１０の一方の端子（すなわちＢ点）にそれぞれ接続する。またインダクタＬ１４の一方の端子をコンデンサＣ１２の一方の端子に、インダクタＬ１４の他方の端子をコンデンサＣ１０の一方の端子（すなわちＢ点）にそれぞれ接続する。【０１６４】
図８において上述したように、スイッチング素子Ｑ１５の１回目のオン動作によりインダクタＬ１１とコンデンサＣ１１とをＬＣ共振させ、コンデンサＣ１１の電位ＶＡを３Ｖｓ／２にする。次にスイッチング素子Ｑ１１をオンすることにより、コンデンサＣ１１から、ダイオードＤ１３、スイッチング素子Ｑ１１、およびインダクタＬ１０を通して、走査電極ＳＣ１〜ＳＣｎへ補助電流が流れる。【０１６５】
コンデンサＣ１１の電荷がなくなりコンデンサＣ１１の電圧が０Ｖとなると（図１２の時点ｔ２１）、インダクタＬ１３に流れていた電流ＪＬ１３により、コンデンサＣ１１は逆方向に逆方向電圧ＶＣ１１まで充電される。インダクタＬ１３の電流ＪＬ１３が０Ａになり（図１２の時点ｔ２２）、コンデンサＣ１１の逆方向への充電は終了する。その後は走査電極ＳＣ１〜ＳＣｎには、コンデンサＣ１０から、ダイオードＤ１１、スイッチング素子Ｑ１１、およびインダクタＬ１０を通して、走査電極ＳＣ１〜ＳＣｎへ主電流が流れる。コンデンサＣ１１の逆方向電圧ＶＣ１１は、ダイオードＤ１３により放電が阻止され充電されたままになる。このときコンデンサＣ１１の電位ＶＡは、図１１に示すように時点ｔ１Ａまで、Ｖｓ／２−ＶＣ１１となる。【０１６６】
スイッチング素子Ｑ１５の２回目のオン動作により、インダクタＬ１１とコンデンサＣ１１とインダクタＬ１３とを共振させ、コンデンサＣ１１を充電する。このとき充電される共振電圧は２（Ｖｓ／２＋ＶＣ１１）となり、コンデンサＣ１１の電位ＶＡは時点ｔ２Ａにおいて３Ｖｓ／２＋ＶＣ１１となる。したがって維持パルスの立ち上がり時のパルスエッジにおいて、インダクタＬ１０に流れる電流ＪＬ１０の大きさをさらに急峻に増加させている。そのため維持パルスの立ち上がり時に走査電極ＳＣ１〜ＳＣｎに供給される電力が増加し、維持パルスの立ち上がりは１回目の立ち上がりに比較してＴ２Ａ１だけ早くなる。時点ｔ２２Ａ以降の動作は、スイッチング素子Ｑ１５の１回目における時点ｔ２２以降の動作と同様である。説明は省略するが、維持パルスの立ち下がりもインダクタＬ１４の動作により同様に早くなる。【０１６７】
このように、図１０に示した維持パルス発生回路５０１Ａでは、図９に示した維持パルス発生回路５０１の場合よりも維持パルスの立ち上がり、立ち下がりがさらに早くなる。【０１６８】
（実施の形態３）
実施の形態３では、実施の形態１と異なる点を中心に説明する。その他の構成、動作、および効果は、実施の形態１と同等であるので、説明を省略する。【０１６９】
図１３は、維持パルス発生回路５０２の回路図である。維持パルス発生回路５０２は、電力回収回路５１、クランプ回路５２、および補助回路５３２を有する。電力回収回路５１およびクランプ回路５２は、実施の形態１において示した電力回収回路５１、クランプ回路５２と同様の構成であり同様の動作であるので、ここでの説明は省略する。【０１７０】
補助回路５３２は、コンデンサＣ１１、スイッチング素子Ｑ１９、インダクタＬ１１、スイッチング素子Ｑ１５、スイッチング素子Ｑ１６、スイッチング素子Ｑ１７、スイッチング素子Ｑ１８、ダイオードＤ１３、およびダイオードＤ１４を有する。コンデンサＣ１１は、電力回収用のコンデンサＣ１０に直列に接続した補助コンデンサである。スイッチング素子Ｑ１９は、コンデンサＣ１０とコンデンサＣ１１との間に直列に挿入し、コンデンサＣ１１の電位ＶＡをいわゆるチャージポンプにより上昇または下降するときに導通させる。インダクタＬ１１は、コンデンサＣ１１とのＬＣ共振に用いる補助インダクタである。スイッチング素子Ｑ１５は、ＬＣ共振によってコンデンサＣ１１の電位ＶＡを上昇させるときに導通させる電源側補助スイッチである。スイッチング素子Ｑ１６は、ＬＣ共振によってコンデンサＣ１１の電位ＶＡを下降させるときに導通させる基準電位側補助スイッチであるスイッチング素子Ｑ１７は、コンデンサＣ１１を電源ＶＳ２の電位（ここでは、電位Ｖｓ）にチャージポンプするときに導通させる。スイッチング素子Ｑ１８は、コンデンサＣ１１を基準電位（ここでは、接地電位）にチャージポンプするときに導通させる。ダイオードＤ１３は、維持パルスの立ち上がり時に、コンデンサＣ１１からインダクタＬ１０へ順方向に流れる電流の逆流を防止するダイオードである。ダイオードＤ１４は、維持パルスの立ち下がり時に、インダクタＬ１０からコンデンサＣ１１へ順方向に流れる電流の逆流を防止するダイオードである。【０１７１】
そして、スイッチング素子Ｑ１９の一方の端子をコンデンサＣ１０の一方の端子（すなわちＢ点）に、スイッチング素子Ｑ１９の他方の端子をコンデンサＣ１１の一方の端子にそれぞれ接続する。また、コンデンサＣ１１の他方の端子（すなわちＡ点）はインダクタＬ１１の一方の端子に接続する。また、スイッチング素子Ｑ１５の一方の端子をインダクタＬ１１の他方の端子に接続し、スイッチング素子Ｑ１５の他方の端子をＶＳ２に接続して電位Ｖｓにする。また、スイッチング素子Ｑ１６の一方の端子をインダクタＬ１１とスイッチング素子Ｑ１５との電気的な接続点に接続し、スイッチング素子Ｑ１６の他方の端子を接地端子ＧＮＤ２に接続して基準電位である接地電位にする。また、スイッチング素子Ｑ１７の一方の端子をコンデンサＣ１１とスイッチング素子Ｑ１９との電気的な接続点に接続し、スイッチング素子Ｑ１７の他方の端子を電源ＶＳ２に接続して電位Ｖｓにする。また、スイッチング素子Ｑ１８の一方の端子をコンデンサＣ１１とスイッチング素子Ｑ１９とスイッチング素子Ｑ１７との電気的な接続点に接続し、スイッチング素子Ｑ１８の他方の端子を接地端子ＧＮＤ２に接続して基準電位である接地電位にする。また、ダイオードＤ１３のアノードをコンデンサＣ１１とインダクタＬ１１との電気的な接続点に、カソードをスイッチング素子Ｑ１１とダイオードＤ１１との電気的な接続点にそれぞれ接続する。また、ダイオードＤ１４のカソードをコンデンサＣ１１とインダクタＬ１１との電気的な接続点に、アノードをスイッチング素子Ｑ１２とダイオードＤ１２との電気的な接続点にそれぞれ接続する。このようにして補助回路５３２を構成する。【０１７２】
各スイッチング素子Ｑ１７、Ｑ１８、Ｑ１９は、単にスイッチとも呼ばれる。【０１７３】
図１４は、維持パルス発生回路５０２の動作を説明するためのタイミングチャートである。図１４にはスイッチング素子Ｑ１１、スイッチング素子Ｑ１２、スイッチング素子Ｑ１３、およびスイッチング素子Ｑ１４の動作を示していないが、これらのスイッチング素子の動作は図７において説明した動作と同様であるものとする。【０１７４】
（期間Ｔ１）
図１４に示すように、コンデンサＣ１０から走査電極ＳＣ１〜ＳＣｎに電力を供給する直前、すなわちスイッチング素子Ｑ１１をオンさせる前の時点ｔ１で、スイッチング素子Ｑ１９をオフにするとともにスイッチング素子Ｑ１８をオンにする。これにより、コンデンサＣ１１の電位ＶＡは一旦基準電位である接地電位に維持される。【０１７５】
また、時点ｔ１でスイッチング素子Ｑ１５をオンにする。すると、電源ＶＳ２から、スイッチング素子Ｑ１５およびインダクタＬ１１を通して、コンデンサＣ１１に電流ＪＬ１１が流れ、コンデンサＣ１１の電位ＶＡ（図面に示すＡ点の電位）が上昇し始める。コンデンサＣ１１はスイッチング素子Ｑ１８によって接地電位に維持されているので、コンデンサＣ１１とインダクタＬ１１とのＬＣ共振により、共振周期の２分の１の時間が経過した後の時点ｔ２においてコンデンサＣ１１の電位ＶＡは電圧Ｖｓの２倍の２Ｖｓ付近まで上昇する。【０１７６】
（期間Ｔ２）
次に、時点ｔ２で、スイッチング素子Ｑ１５およびスイッチング素子Ｑ１８をオフにするとともにスイッチング素子Ｑ１９をオンにする。これにより、コンデンサＣ１１とコンデンサＣ１０とは電気的に接続され、コンデンサＣ１１の電位ＶＡは、コンデンサＣ１１両端の電圧２Ｖｓに、コンデンサＣ１０の電位Ｖｓ／２が加算、すなわちチャージポンプされて５Ｖｓ／２となる。【０１７７】
また、期間Ｔ２では、図７において説明した動作と同様に、ＬＣ共振によってコンデンサＣ１０から走査電極ＳＣ１〜ＳＣｎに電力が供給される。そして、Ａ点が電位５Ｖｓ／２になるように充電されたコンデンサＣ１１から走査電極ＳＣ１〜ＳＣｎへと電流が流れることで、走査電極ＳＣ１〜ＳＣｎへ流れる電流ＪＬ１０の立ち上がりは、補助回路５３２を用いない場合と比較して、急峻になる。また、実施の形態３では、コンデンサＣ１１の電位ＶＡを実施の形態１の場合よりもさらに電圧Ｖｓだけ高くできるので、走査電極ＳＣ１〜ＳＣｎへ流れる電流ＪＬ１０の立ち上がりを、実施の形態１よりもさらに急峻にできる。【０１７８】
実施の形態３において、コンデンサＣ１１の容量は、実施の形態１と同様にコンデンサＣ１０と比較して十分に小さい値とし、ここでは、コンデンサＣ１０を８μＦ、コンデンサＣ１１を０．０２μＦとする。【０１７９】
（期間Ｔ３）
期間Ｔ３における動作は、図７において説明した動作と同様であるため、ここでの説明は省略する。【０１８０】
（期間Ｔ４）
次に、走査電極ＳＣ１〜ＳＣｎからコンデンサＣ１０に電力を回収する直前、すなわちスイッチング素子Ｑ１２をオンさせる前の時点ｔ４で、スイッチング素子Ｑ１９をオフにするとともにスイッチング素子Ｑ１７をオンにする。これにより、コンデンサＣ１１の電位ＶＡは一旦電源ＶＳ２の電位Ｖｓに維持される。【０１８１】
また、時点ｔ４でスイッチング素子Ｑ１６をオンにする。すると、コンデンサＣ１１から、インダクタＬ１１およびスイッチング素子Ｑ１６を通して、基準電位にある接地端子ＧＮＤ２に電流ＪＬ１１が流れ、コンデンサＣ１１の電位ＶＡ（図面に示すＡ点の電位）が下降し始める。コンデンサＣ１１のスイッチング素子Ｑ１７側の端子は、スイッチング素子Ｑ１７によって電位Ｖｓに維持されている。このため、コンデンサＣ１１とインダクタＬ１１とのＬＣ共振により、共振周期の２分の１の時間が経過した後の時点ｔ５においてコンデンサＣ１１の電位ＶＡは−Ｖｓ付近まで下降する。【０１８２】
（期間Ｔ５）
次に、時点ｔ５で、スイッチング素子Ｑ１６およびスイッチング素子Ｑ１７をオフにするとともにスイッチング素子Ｑ１９をオンにする。これにより、コンデンサＣ１１とコンデンサＣ１０とは電気的に接続され、コンデンサＣ１１の電位ＶＡは、コンデンサＣ１１両端の電圧−２Ｖｓに、コンデンサＣ１０の電位Ｖｓ／２が加算、すなわちチャージポンプされて−３Ｖｓ／２となる。【０１８３】
また、期間Ｔ５では、図７において説明した動作と同様に、ＬＣ共振によって走査電極ＳＣ１〜ＳＣｎからコンデンサＣ１０に電力が回収される。そして、走査電極ＳＣ１〜ＳＣｎから、Ａ点が電位−３Ｖｓ／２になるように充電されたコンデンサＣ１１へと電流が流れることで、走査電極ＳＣ１〜ＳＣｎへ流れる電流ＪＬ１０の立ち下がりは、補助回路５３２を用いない場合と比較して、急峻になる。また、実施の形態３では、コンデンサＣ１１の電位ＶＡを実施の形態１の場合よりもさらに電圧Ｖｓだけ低くできるので、走査電極ＳＣ１〜ＳＣｎから流れる電流ＪＬ１０の立ち下がりを、実施の形態１よりもさらに急峻にできる。【０１８４】
（期間Ｔ６）
期間Ｔ６における動作は、図７において説明した動作と同様であるため、ここでの説明は省略する。【０１８５】
以上、説明したように、実施の形態３では、実施の形態１の構成に加え、さらにスイッチング素子Ｑ１７、スイッチング素子Ｑ１８、およびスイッチング素子Ｑ１９を設けてコンデンサＣ１１の電位ＶＡをチャージポンプする構成としている。このため、コンデンサＣ１１の電位ＶＡを、コンデンサＣ１０から走査電極ＳＣ１〜ＳＣｎに電力を供給する直前においては実施の形態１よりも高くすることができ、走査電極ＳＣ１〜ＳＣｎからコンデンサＣ１０に電力を回収する直前においては実施の形態１よりも低くすることができる。これにより、電力回収回路の動作開始直後において、電力回収回路と電極間容量Ｃｐとの間に流れる電流を一時的に増加させることができ、さらにこの増加量を、実施の形態１よりもさらに増加させることが可能となる。【０１８６】
スイッチング素子Ｑ１７、スイッチング素子Ｑ１８、およびスイッチング素子Ｑ１９を含む構成は、チャージポンプ回路と呼ばれる。チャージポンプ回路は、コンデンサＣ１１の一端（コンデンサＣ１１とスイッチング素子Ｑ１９の接続点）の電位を切換えることにより、電位ＶＡをチャージポンプする。【０１８７】
（実施の形態４）
実施の形態４では、実施の形態１と異なる点を中心に説明する。その他の構成、動作、および効果は、実施の形態１と同等であるので、説明を省略する。【０１８８】
図１５は、維持パルス発生回路５０３の回路図である。維持パルス発生回路５０３は、電力回収回路５１、クランプ回路５２、および補助回路５３３を有する。電力回収回路５１、クランプ回路５２は、実施の形態１において示した電力回収回路５１、クランプ回路５２と同様の構成であり同様の動作であるので、ここでの説明は省略する。【０１８９】
補助回路５３３は、コンデンサＣ１１、コンデンサＣ１３、インダクタＬ１１、インダクタＬ１５、スイッチング素子Ｑ１５、スイッチング素子Ｑ１６、スイッチング素子Ｑ２０、スイッチング素子Ｑ２１、ダイオードＤ１３、およびダイオードＤ１４を有する。コンデンサＣ１１およびコンデンサＣ１３は、電力回収用のコンデンサＣ１０に直列に接続した補助コンデンサである。インダクタＬ１１は、コンデンサＣ１１とのＬＣ共振に用いる補助インダクタである。インダクタＬ１５は、コンデンサＣ１３とのＬＣ共振に用いる補助インダクタである。スイッチング素子Ｑ１５は、ＬＣ共振によってコンデンサＣ１１の電位ＶＡを上昇させるときに導通させる電源側補助スイッチである。スイッチング素子Ｑ１６は、ＬＣ共振によってコンデンサＣ１１の電位ＶＡを下降させるときに導通させる基準電位側補助スイッチである。スイッチング素子Ｑ２０は、ＬＣ共振によってコンデンサＣ１３のＤ点における電位ＶＤを上昇させるときに導通させる電源側補助スイッチである。スイッチング素子Ｑ２１は、ＬＣ共振によってコンデンサＣ１３の電位ＶＤを下降させるときに導通させる基準電位側補助スイッチである。ダイオードＤ１３は、維持パルスの立ち上がり時に、コンデンサＣ１１からインダクタＬ１０へ順方向に流れる電流の逆流を防止するダイオードである。ダイオードＤ１４は、維持パルスの立ち下がり時に、インダクタＬ１０からコンデンサＣ１１へ順方向に流れる電流の逆流を防止するダイオードである。【０１９０】
そして、コンデンサＣ１１とコンデンサＣ１３とコンデンサＣ１０とが直列の接続になるように、コンデンサＣ１３の一方の端子をコンデンサＣ１０の一方の端子（すなわちＢ点）に、コンデンサＣ１３の他方の端子（すなわちＤ点）をコンデンサＣ１１の一方の端子にそれぞれ接続する。また、コンデンサＣ１１の他方の端子（すなわちＡ点）をインダクタＬ１１の一方の端子に、コンデンサＣ１１とコンデンサＣ１３との電気的な接続点をインダクタＬ１５の一方の端子にそれぞれ接続する。また、スイッチング素子Ｑ１５の一方の端子をインダクタＬ１１の他方の端子に接続し、スイッチング素子Ｑ１５の他方の端子を電源ＶＳ２に接続して電位Ｖｓにする。また、スイッチング素子Ｑ２０の一方の端子をインダクタＬ１５の他方の端子に接続し、スイッチング素子Ｑ２０の他方の端子を電源ＶＳ２に接続して電位Ｖｓにする。また、スイッチング素子Ｑ１６の一方の端子をインダクタＬ１１とスイッチング素子Ｑ１５との電気的な接続点に接続し、スイッチング素子Ｑ１６の他方の端子を接地端子ＧＮＤ２に接続して基準電位である接地電位にする。また、スイッチング素子Ｑ２１の一方の端子をインダクタＬ１５とスイッチング素子Ｑ２０との電気的な接続点に接続し、スイッチング素子Ｑ２１の他方の端子を接地端子ＧＮＤ２に接続して基準電位である接地電位にする。また、ダイオードＤ１３のアノードをコンデンサＣ１１とインダクタＬ１１との電気的な接続点に、ダイオードＤ１３のカソードをスイッチング素子Ｑ１１とダイオードＤ１１との電気的な接続点にそれぞれ接続する。また、ダイオードＤ１４のカソードをコンデンサＣ１１とインダクタＬ１１との電気的な接続点に、ダイオードＤ１４のアノードをスイッチング素子Ｑ１２とダイオードＤ１２との電気的な接続点にそれぞれ接続する。このようにして補助回路５３３を構成する。【０１９１】
実施の形態４では、コンデンサＣ１１およびコンデンサＣ１３の容量をコンデンサＣ１０と比較して十分に小さい値に設定し、かつコンデンサＣ１１の容量をコンデンサＣ１３よりも小さい値に設定している。具体的な一例としては、コンデンサＣ１１とコンデンサＣ１３との容量比を１：３に設定する。例えば、コンデンサＣ１１を０．０１μＦ、コンデンサＣ１３を０．０３μＦとし、コンデンサＣ１０をそれらと比較して十分に大きい８μＦとする。【０１９２】
また、インダクタＬ１５を用いてＬＣ共振を発生させる期間ではスイッチング素子Ｑ１５、Ｑ１６をオフにするため、インダクタＬ１５とのＬＣ共振の対象となる容量は、実際はコンデンサＣ１３とコンデンサＣ１０との合成容量になる。しかし、ここでは、コンデンサＣ１３の容量をコンデンサＣ１０よりも十分に小さい値に設定しているため、コンデンサＣ１３とコンデンサＣ１０との合成容量は、実質的にコンデンサＣ１３の容量に等しいものとみなすことができる。また、インダクタＬ１１とのＬＣ共振の対象となる容量は、コンデンサＣ１１とコンデンサＣ１３とコンデンサＣ１０との合成容量になる。しかし、上述したようにコンデンサＣ１１とコンデンサＣ１３との合成容量がコンデンサＣ１０の容量と比較して十分に小さい値になるので、コンデンサＣ１１とコンデンサＣ１３とコンデンサＣ１０との合成容量は、実質的にコンデンサＣ１１とコンデンサＣ１３との合成容量に等しいものとみなすことができる。インダクタＬ１１およびインダクタＬ１５のインダクタンスは、これらのことを考慮して決定することが望ましい。また、ここに示した各数値は単なる一例に過ぎず、パネルの特性やプラズマディスプレイ装置の仕様等に応じて最適に設定することが望ましい。【０１９３】
ここで、コンデンサＣ１１、インダクタＬ１１、コンデンサＣ１３、およびインダクタＬ１５は、補助蓄積回路を構成する。スイッチング素子Ｑ１５およびスイッチング素子Ｑ２０は、導通時に補助蓄積回路を電位Ｖｓに設定し、スイッチング素子Ｑ１６およびスイッチング素子Ｑ２１は、導通時に補助蓄積回路を基準電位に設定する。補助蓄積回路は、２つの副補助蓄積回路を含む。コンデンサＣ１１、コンデンサＣ１３、およびインダクタＬ１１は、副補助蓄積回路を構成し、コンデンサＣ１３およびインダクタＬ１５は、別の副補助蓄積回路を構成する。コンデンサＣ１１、コンデンサＣ１３、およびインダクタＬ１１を含む副補助蓄積回路に対して、スイッチング素子Ｑ１５は、導通時に電位Ｖｓに設定し、スイッチング素子Ｑ１６は、導通時に基準電位に設定する。コンデンサＣ１３およびインダクタＬ１５を含む別の副補助蓄積回路に対して、スイッチング素子Ｑ２０は、導通時に電位Ｖｓに設定し、スイッチング素子Ｑ２１は、導通時に基準電位に設定する。コンデンサＣ１１およびコンデンサＣ１３は、補助容量部（すなわち、補助蓄積部の一例）を構成する。各コンデンサＣ１１、Ｃ１３は、副補助容量部とも呼ばれる。インダクタＬ１１およびインダクタＬ１５は、補助誘導部を構成する。各インダクタＬ１１、Ｌ１５は、副補助誘導部とも呼ばれる。【０１９４】
図１６は、維持パルス発生回路５０３の動作を説明するためのタイミングチャートである。図１６にはスイッチング素子Ｑ１１、スイッチング素子Ｑ１２、スイッチング素子Ｑ１３、およびスイッチング素子Ｑ１４の動作を示していないが、これらのスイッチング素子の動作は図７において説明した動作と同様であるものとする。【０１９５】
（期間Ｔ１）
図１６に示すように、コンデンサＣ１０から走査電極ＳＣ１〜ＳＣｎに電力を供給する直前、すなわちスイッチング素子Ｑ１１をオンさせる前の時点ｔ１で、スイッチング素子Ｑ１５をオンにする。これにより、電源ＶＳ２から、スイッチング素子Ｑ１５およびインダクタＬ１１を通して、コンデンサＣ１１に電流ＪＬ１１が流れ、コンデンサＣ１１の電位ＶＡ（図面に示すＡ点の電位）が上昇し始める。コンデンサＣ１０の電位ＶＢはＶｓ／２であり、コンデンサＣ１１およびコンデンサＣ１３とインダクタＬ１１とは共振回路を構成している。このため、共振周期の２分の１の時間が経過した後の時点ｔ１１においてコンデンサＣ１１の電位ＶＡはＶｓ／２＋Ｖｓ、すわなち３Ｖｓ／２付近まで上昇する。【０１９６】
ここでは、上述したようにコンデンサＣ１１とコンデンサＣ１３との容量比を１：３に設定しているので、コンデンサＣ１１にかかる電圧は３Ｖｓ／４となり、コンデンサＣ１３にかかる電圧はＶｓ／４となる。【０１９７】
続いて、時点ｔ１１でスイッチング素子Ｑ１５をオフにするとともにスイッチング素子Ｑ２０をオンにする。これにより、電源ＶＳ２から、スイッチング素子Ｑ２０およびインダクタＬ１５を通して、コンデンサＣ１３に電流ＪＬ１５が流れ、コンデンサＣ１３の電位ＶＤが上昇し始める。コンデンサＣ１０の電位ＶＢはＶｓ／２であり、コンデンサＣ１３の電圧はＶｓ／４である。このため、コンデンサＣ１３とインダクタＬ１５との共振周期の２分の１の時間が経過した後の時点ｔ２において、コンデンサＣ１３の電位ＶＤはＶｓ／２＋Ｖｓ／４＋Ｖｓ／２、すわなち５Ｖｓ／４付近まで上昇する。【０１９８】
これにより、コンデンサＣ１１の電位ＶＡ（図面に示すＡ点の電位）は、コンデンサＣ１１にかかる電圧３Ｖｓ／４に、コンデンサＣ１３の電位ＶＤ（＝５Ｖｓ／４）が加算、すなわちチャージポンプされて、３Ｖｓ／４＋５Ｖｓ／４、すなわち２Ｖｓ付近まで上昇する。【０１９９】
（期間Ｔ２）
次に、時点ｔ２で、スイッチング素子Ｑ２０をオフにする。期間Ｔ２では、図７において説明した動作と同様に、ＬＣ共振によってコンデンサＣ１０から走査電極ＳＣ１〜ＳＣｎに電力が供給される。そして、Ａ点が電位２Ｖｓになるように充電されたコンデンサＣ１１から走査電極ＳＣ１〜ＳＣｎへと電流が流れることで、走査電極ＳＣ１〜ＳＣｎへ流れる電流ＪＬ１０の立ち上がりは、補助回路５３３を用いない場合と比較して、急峻になる。また、実施の形態４では、コンデンサＣ１１の電位ＶＡを実施の形態１の場合よりもさらに電圧Ｖｓ／２だけ高くできるので、走査電極ＳＣ１〜ＳＣｎへ流れる電流ＪＬ１０の立ち上がりを、実施の形態１よりもさらに急峻にできる。【０２００】
（期間Ｔ３）
期間Ｔ３における動作は、図７において説明した動作と同様であるため、ここでの説明は省略する。【０２０１】
（期間Ｔ４）
時点ｔ４でスイッチング素子Ｑ１６をオンにする。すると、コンデンサＣ１１から、インダクタＬ１１およびスイッチング素子Ｑ１６を通して、基準電位にある接地端子ＧＮＤ２に電流ＪＬ１１が流れ、コンデンサＣ１１の電位ＶＡ（図面に示すＡ点の電位）が下降し始める。コンデンサＣ１０の電位ＶＢはＶｓ／２であり、コンデンサＣ１１およびコンデンサＣ１３とインダクタＬ１１とは共振回路を構成しているので、共振周期の２分の１の時間が経過した後の時点ｔ４１においてコンデンサＣ１１の電位ＶＡはＶｓ／２−Ｖｓ、すわなち−Ｖｓ／２付近まで下降する。【０２０２】
ここでは、上述したようにコンデンサＣ１１とコンデンサＣ１３との容量比を１：３に設定しているので、コンデンサＣ１１にかかる電圧は−３Ｖｓ／４となり、コンデンサＣ１３にかかる電圧は−Ｖｓ／４となる。【０２０３】
続いて、時点ｔ４１でスイッチング素子Ｑ１６をオフにするとともにスイッチング素子Ｑ２１をオンにする。これにより、コンデンサＣ１３から、インダクタＬ１５およびスイッチング素子Ｑ２１を通して、基準電位にある接地端子ＧＮＤ２に電流ＪＬ１５が流れ、コンデンサＣ１３の電位ＶＤが下降し始める。コンデンサＣ１０の電位ＶＢはＶｓ／２であり、コンデンサＣ１３の電圧は−Ｖｓ／４であるので、コンデンサＣ１３とインダクタＬ１５との共振周期の２分の１の時間が経過した後の時点ｔ２において、コンデンサＣ１３の電位ＶＤはＶｓ／２−Ｖｓ／４−Ｖｓ／２、すわなち−Ｖｓ／４付近まで下降する。【０２０４】
これにより、コンデンサＣ１１の電位ＶＡ（図面に示すＡ点の電位）は、コンデンサＣ１１にかかる電圧―３Ｖｓ／４にコンデンサＣ１３の電位ＶＤ（＝−Ｖｓ／４）が加算、すなわちチャージポンプされて、−３Ｖｓ／４−Ｖｓ／４、すなわち−Ｖｓ付近まで下降する。【０２０５】
（期間Ｔ５）
次に、時点ｔ５で、スイッチング素子Ｑ２１をオフにする。期間Ｔ５では、図７において説明した動作と同様に、ＬＣ共振によって走査電極ＳＣ１〜ＳＣｎからコンデンサＣ１０に電力が回収される。そして、走査電極ＳＣ１〜ＳＣｎからＡ点が電位−Ｖｓになるように充電されたコンデンサＣ１１へと電流が流れることで、走査電極ＳＣ１〜ＳＣｎへ流れる電流ＪＬ１０の立ち下がりは、補助回路５３３を用いない場合と比較して、急峻になる。また、実施の形態４では、コンデンサＣ１１の電位ＶＡを実施の形態１の場合よりもさらに電圧−Ｖｓ／２だけ低くできるので、走査電極ＳＣ１〜ＳＣｎから流れる電流ＪＬ１０の立ち下がりを、実施の形態１よりもさらに急峻にできる。【０２０６】
以上、説明したように、実施の形態４では、実施の形態１における補助コンデンサを直列に接続した複数のコンデンサ（ここでは、２つのコンデンサ）で構成する。さらに、補助コンデンサを構成する複数のコンデンサと同数の補助インダクタ、電源側補助スイッチ、および基準電位側補助スイッチを設けて、コンデンサＣ１１の電位ＶＡをチャージポンプする構成とする。その結果、コンデンサＣ１１の電位ＶＡを、コンデンサＣ１０から走査電極ＳＣ１〜ＳＣｎに電力を供給する直前においては実施の形態１よりも高くすることができ、走査電極ＳＣ１〜ＳＣｎからコンデンサＣ１０に電力を回収する直前においては実施の形態１よりも低くすることができる。これにより、電力回収回路の動作開始直後において、電力回収回路と電極間容量Ｃｐとの間に流れる電流を一時的に増加させる量を、実施の形態１よりもさらに増加させることが可能となる。【０２０７】
この構成では、直列に接続するコンデンサの数を増やすことで、コンデンサＣ１１の電位ＶＡをさらに上昇（または下降）させることが可能である。【０２０８】
なお、上述した実施の形態では、補助回路の電源電位として、高圧側に電源ＶＳ２の電位Ｖｓを、低圧側に基準端子ＧＮＤ２の基準電位として接地電位を用いる構成を説明したが、電位Ｖｓおよび基準電位を可変とする構成としてもよい。図１７は、別の実施の形態における補助回路の電源電位を可変した場合の波形図である。例えば、電源ＶＳ２から補助コンデンサに電力を充電する動作においては、電位Ｖｓを高めることで、実線で示すように補助コンデンサの電位ＶＡを高めることができる。逆に電位Ｖｓを低くすることで、破線や一点鎖線に示すように補助コンデンサの電位ＶＡを低くすることができる。また、図示はしないが、基準電位に関しても同様であり、可変にすることで同様の効果を得られる。【０２０９】
したがって、例えば表示画像に応じて補助回路の電源ＶＳ２の電位Ｖｓ（および／または基準電位）を制御する構成を設けてもよい。具体的な一例としては、表示画像が明るいとき、あるいは全放電セルに対する点灯すべき放電セルの割合を表す点灯率が高いときには電位Ｖｓを高くする（基準電位を低くする）。逆に、表示画像が暗いとき、あるいは点灯率が低いときには電位Ｖｓを低くする（基準電位を高くする）。このように構成することで、画像表示品質をさらに高めることも可能である。【０２１０】
なお、上述した実施の形態においては、例えば、補助回路の電源側補助スイッチ（スイッチング素子Ｑ１５）および基準電位側補助スイッチ（スイッチング素子Ｑ１６）の導通時間（図７における期間Ｔ１および期間Ｔ４）を可変とする構成としてもよい。図１８は、別の実施の形態における電源側補助スイッチの導通時間を可変した場合の波形図である。【０２１１】
例えば、電源ＶＳ２から補助コンデンサに電力を充電する動作においては、電源側補助スイッチの導通時間（図１８における期間Ｔ１）を長くすることで、実線に示すように補助コンデンサの電圧を高めることができ、逆に電源側補助スイッチの導通時間（図１８における期間Ｔ１１および期間Ｔ１２）を短くすることで、破線や一点鎖線に示すように補助コンデンサの電圧を低くすることができる。また、図示はしないが、補助コンデンサから基準電位に電力を放出する動作に関しても同様であり、基準電位側補助スイッチの導通時間を可変にすることで同様の効果を得られる。【０２１２】
したがって、例えば表示画像に応じて補助回路の電源側補助スイッチおよび基準電位側補助スイッチの導通時間を制御する構成を設けてもよい。具体的な一例としては、電源側補助スイッチおよび基準電位側補助スイッチの導通時間を、表示画像が明るいとき、あるいは点灯率が高いときには長くし、逆に、表示画像が暗いとき、あるいは点灯率が低いときには短くする。このように構成することで、画像表示品質をさらに高めることも可能である。【０２１３】
なお、上述した実施の形態では、電力回収回路５１において、電力回収時と電力供給時とで同一のインダクタＬ１０を用いる構成を説明したが、インダクタＬ１０に代えて２つのインダクタ、すなわち、電力回収用のコンデンサＣ１０から走査電極ＳＣ１〜ＳＣｎに電力を供給するときに用いるインダクタＬ１０ａと、走査電極ＳＣ１〜ＳＣｎから電力回収用のコンデンサＣ１０に電力を回収するときに用いるインダクタＬ１０ｂとに分けて設ける構成としてもかまわない。これにより、表示電極対２４から電力を回収するときと、表示電極対２４へ電力を供給するときとで共振周期を異なる値に設定することができる。【０２１４】
以上説明したように、本発明の実施の形態によれば、維持パルスの立ち上がり時および立ち下がり時のパルスエッジにおいて、補助回路を用いることにより、回収インダクタに流れる電流の大きさを急峻に増加させている。その結果、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。これにより、高精細化パネルに対しても、クランプ期間の確保により安定して維持放電を発生させるとともに、ピーク電流の低減により消費電力およびＥＭＩを低減することが可能となる。【０２１５】
なお、本発明の実施の形態において示した具体的な各数値は、実験に用いた表示電極対数１０８０対の５０インチのパネルに基づき設定したものであって、単に実施の形態の一例を示したものに過ぎない。本発明はこれらの数値に何ら限定されるものではなく、パネルの特性やプラズマディスプレイ装置の仕様等に応じて最適な値に設定することが望ましい。また、これらの各数値は、上述した効果を得られる範囲でのばらつきを許容するものとする。【０２１６】
本発明はこれらの課題に鑑みなされたものであり、高精細化されたパネルであっても、消費電力の削減およびＥＭＩの低減と安定した維持放電とを実現することが可能なプラズマディスプレイ装置およびプラズマディスプレイパネルの駆動方法に対して有用である。【０２１７】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【０２１８】
本発明は、容量性負荷駆動装置、それを搭載するプラズマディスプレイ装置、およびプラズマディスプレイパネルの駆動方法に利用できる。
【図１】
2009098879.tif 000003
【図２】
2009098879.tif 000004
【図３】
2009098879.tif 000005
【図４】
2009098879.tif 000006
【図５】
2009098879.tif 000007
【図６】
2009098879.tif 000008
【図７】
2009098879.tif 000009
【図８】
2009098879.tif 000010
【図９】
2009098879.tif 000011
【図１０】
2009098879.tif 000012
【図１１】
2009098879.tif 000013
【図１２】
2009098879.tif 000014
【図１３】
2009098879.tif 000015
【図１４】
2009098879.tif 000016
【図１５】
2009098879.tif 000017
【図１６】
2009098879.tif 000018
【図１７】
2009098879.tif 000019
【図１８】
2009098879.tif 000020
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
容量性負荷に維持パルスを印加する維持パルス発生回路を備えた容量性負荷駆動装置であって、
前記維持パルス発生回路は、
第１ＬＣ共振用の回収インダクタと電力回収用の回収コンデンサとを有し、前記容量性負荷と前記回収インダクタとの前記第１ＬＣ共振によって、前記維持パルスの立ち下がり時に前記容量性負荷に蓄積された電力を前記回収コンデンサに回収し、前記維持パルスの立ち上がり時にその回収した電力を前記容量性負荷に供給し再利用する電力回収回路と、
前記容量性負荷を電源電位および接地電位にクランプするクランプ回路と、
前記回収コンデンサに直列に接続した補助コンデンサであって前記回収コンデンサよりも小さい容量の補助コンデンサ、および第２ＬＣ共振用の補助インダクタを有する補助回路とを備え、
前記補助回路は、前記補助コンデンサと前記補助インダクタとの前記第２ＬＣ共振によって前記補助コンデンサを充電することにより、前記補助コンデンサの電位を、前記維持パルスの立ち上がりの開始直前には前記回収コンデンサよりも高い電位にし、前記維持パルスの立ち下がりの開始直前には前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とする容量性負荷駆動装置。
【請求項２】
表示電極対を構成する複数の走査電極および維持電極を有するプラズマディスプレイパネルの前記表示電極対に、初期化期間、書込み期間および維持期間を有するサブフィールドの前記維持期間において維持パルスを交互に印加する維持パルス発生回路を備えたプラズマディスプレイ装置であって、
前記維持パルス発生回路は、
第１ＬＣ共振用の回収インダクタと電力回収用の回収コンデンサとを有し、前記電極間容量と前記回収インダクタとの前記第１ＬＣ共振によって、前記維持パルスの立ち下がり時に前記表示電極対の電極間容量に蓄積された電力を前記回収コンデンサに回収し、前記維持パルスの立ち上がり時にその回収した電力を前記表示電極対に供給し再利用する電力回収回路と、
前記表示電極対を電源電位および接地電位にクランプするクランプ回路と、
前記回収コンデンサに直列に接続した補助コンデンサであって前記回収コンデンサよりも小さい容量の補助コンデンサ、および第２ＬＣ共振用の補助インダクタを有する補助回路とを備え、
前記補助回路は、前記補助コンデンサと前記補助インダクタとの前記第２ＬＣ共振によって前記補助コンデンサを充電することにより、前記補助コンデンサの電位を、前記維持パルスの立ち上がりの開始直前には前記回収コンデンサよりも高い電位にし、前記維持パルスの立ち下がりの開始直前には前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とするプラズマディスプレイ装置。
【請求項３】
前記補助回路は、
一方の端子が電源電位に他方の端子が前記補助インダクタにそれぞれ電気的に接続され前記補助コンデンサの電位を上昇させるときに導通させる電源側補助スイッチと、
一方の端子が基準電位に他方の端子が前記補助インダクタにそれぞれ電気的に接続され前記補助コンデンサの電位を降下させるときに導通させる基準電位側補助スイッチと、
前記維持パルスの立ち上がり時に前記補助コンデンサから前記回収インダクタへ順方向に流れる電流の逆流を防止する第１のダイオードと、
前記維持パルスの立ち下がり時に前記回収インダクタから前記補助コンデンサへ順方向に流れる電流の逆流を防止する第２のダイオードとを有することを特徴とする請求項２に記載のプラズマディスプレイ装置。
【請求項４】
前記補助回路は、前記補助コンデンサの容量を、前記回収コンデンサの１０分の１以下の容量に設定したことを特徴とする請求項２に記載のプラズマディスプレイ装置。
【請求項５】
前記補助回路は、前記補助コンデンサと前記補助インダクタとの共振周期の２分の１が、前記維持パルスの発生時に前記表示電極対を電源電位にクランプする期間以下でかつ前記表示電極対を接地電位にクランプする期間以下になるように、前記補助コンデンサの容量および前記補助インダクタのインダクタンスを設定したことを特徴とする請求項２に記載のプラズマディスプレイ装置。
【請求項６】
前記補助回路は、
前記補助インダクタを、電源電位側から前記補助コンデンサへ電流を流すときに用いる第１の補助インダクタと、前記補助コンデンサから基準電位側へ電流を流すときに用いる第２の補助インダクタとに分けて構成し、
前記電源側補助スイッチの他方の端子を前記第１の補助インダクタに電気的に接続するとともに、前記基準電位側補助スイッチの他方の端子を前記第２の補助インダクタに電気的に接続して構成したことを特徴とする請求項３に記載のプラズマディスプレイ装置。
【請求項７】
前記補助回路は、
前記補助コンデンサを、前記回収コンデンサよりも高い電位にするときに用いる電源側補助コンデンサと、前記回収コンデンサよりも低い電位にするときに用いる基準電位側補助コンデンサとに分けて構成し、
前記第１の補助インダクタを前記電源側補助コンデンサとのＬＣ共振に用い、前記第２の補助インダクタを前記基準電位側補助コンデンサとのＬＣ共振に用いる構成としたことを特徴とする請求項６に記載のプラズマディスプレイ装置。
【請求項８】
前記補助回路は、
前記第１の補助インダクタとは別に第３の補助インダクタを前記電源側補助コンデンサに直列に接続し、
前記第２の補助インダクタとは別に第４の補助インダクタを前記基準電位側補助コンデンサに直列に接続したことを特徴とする請求項７に記載のプラズマディスプレイ装置。
【請求項９】
前記補助回路は、前記補助コンデンサをチャージポンプするために、前記回収コンデンサと前記補助コンデンサとの間に直列に挿入されたスイッチング素子と、電源電位と基準電位との間に直列に設けられ電気的な接続点が前記補助コンデンサに電気的に接続された２つのスイッチング素子とを有することを特徴とする請求項２に記載のプラズマディスプレイ装置。
【請求項１０】
前記補助回路は、複数のコンデンサを直列に接続して前記補助コンデンサを構成するとともに、前記補助コンデンサを構成する複数のコンデンサと同数の前記補助インダクタおよび前記電源側補助スイッチおよび前記基準電位側補助スイッチを有することを特徴とする請求項２に記載のプラズマディスプレイ装置。
【請求項１１】
前記補助回路は、前記補助回路に用いる電源電位および基準電位を表示画像に応じて可変することを特徴とする請求項２に記載のプラズマディスプレイ装置。
【請求項１２】
前記補助回路は、前記電源側補助スイッチおよび前記基準電位側補助スイッチの導通時間を表示画像に応じて可変することを特徴とする請求項３に記載のプラズマディスプレイ装置。
【請求項１３】
表示電極対を構成する複数の走査電極および維持電極を有するプラズマディスプレイパネルを、
第１ＬＣ共振用の回収インダクタと電力回収用の回収コンデンサとを有し、前記電極間容量と前記回収インダクタとの前記第１ＬＣ共振によって、前記維持パルスの立ち下がり時に前記表示電極対の電極間容量に蓄積された電力を前記回収コンデンサに回収し、前記維持パルスの立ち上がり時にその回収した電力を前記表示電極対に供給し再利用する電力回収回路と、前記表示電極対を電源電位および接地電位にクランプするクランプ回路と、前記回収コンデンサに直列に接続した補助コンデンサであって前記回収コンデンサよりも小さい容量の補助コンデンサ、および第２ＬＣ共振用の補助インダクタを有する補助回路とを用い、
初期化期間、書込み期間および維持期間を有するサブフィールドの前記維持期間において前記表示電極対に維持パルスを交互に印加して駆動するプラズマディスプレイパネルの駆動方法であって、
前記補助コンデンサと前記補助インダクタとの前記第２ＬＣ共振によって前記補助コンデンサを充電することにより、前記補助コンデンサの電位を、前記維持パルスの立ち上がりの開始直前には前記回収コンデンサよりも高い電位にし、前記維持パルスの立ち下がりの開始直前には前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とするプラズマディスプレイパネルの駆動方法。
【請求項１４】
前記補助回路に、一方の端子を電源電位に他方の端子を前記補助インダクタにそれぞれ電気的に接続した電源側補助スイッチと、一方の端子を基準電位に他方の端子を前記補助インダクタにそれぞれ電気的に接続した基準電位側補助スイッチとを設け、
前記補助コンデンサの電位を上昇させるときには前記電源側補助スイッチを導通させ、前記補助コンデンサの電位を降下させるときには前記基準電位側補助スイッチを導通させることを特徴とする請求項１３に記載のプラズマディスプレイパネルの駆動方法。
【請求項１５】
前記補助回路に用いる電源電位および基準電位を表示画像に応じて制御することを特徴とする請求項１３に記載のプラズマディスプレイパネルの駆動方法。
【請求項１６】
前記補助コンデンサの電位を上昇させるときに前記電源側補助スイッチを導通させる時間、および前記補助コンデンサの電位を降下させるときに前記基準電位側補助スイッチを導通させる時間を表示画像に応じて制御することを特徴とする請求項１４に記載のプラズマディスプレイパネルの駆動方法。
【請求項１７】
容量性負荷に維持パルスを印加する維持パルス発生回路を備えた容量性負荷駆動装置であって、
前記維持パルス発生回路は、
第１ＬＣ共振用の回収インダクタと電力回収用の回収コンデンサと電力回収経路と電力供給経路とを有し、前記容量性負荷と前記回収インダクタとの前記第１ＬＣ共振によって、前記維持パルスの立ち下がり時に前記容量性負荷に蓄積された電力を前記電力回収経路を介して前記回収コンデンサに回収し、前記維持パルスの立ち上がり時にその回収した電力を前記電力供給経路を介して前記容量性負荷に供給し再利用する電力回収回路と、
前記回収コンデンサに直列に接続した補助コンデンサであって前記回収コンデンサよりも小さい容量の補助コンデンサ、第２ＬＣ共振用の補助インダクタ、前記補助コンデンサを第１の方向に充電する第１充電経路、および前記補助コンデンサを第２の方向に充電する第２充電経路を有する補助回路とを備え、
前記補助回路は、前記補助コンデンサと前記補助インダクタとの前記第２ＬＣ共振に基づき、前記維持パルスの立ち上がりの開始直前には前記補助コンデンサを第１の方向に充電状態にすることにより前記補助コンデンサの電位を前記回収コンデンサよりも高い電位にし、前記維持パルスの立ち下がりの開始直前には前記補助コンデンサを第２の方向に充電状態にすることにより前記補助コンデンサの電位を前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とする容量性負荷駆動装置。
【請求項１８】
主電力および補助電力を用いて、容量性負荷に維持パルスを印加し、容量性負荷を駆動する容量性負荷駆動装置であって、
前記主電力を充放電可能な主容量部と、
前記主容量部よりも小さい容量の蓄積部であって、前記補助電力を充放電可能な補助蓄積部と、
前記容量性負荷と第１ＬＣ共振する主誘導部と、
前記維持パルスの立ち下がり時に、前記第１ＬＣ共振に基づいて、前記容量性負荷から前記主誘導部を経由して前記主容量部へ、前記主電力を回収する経路を表す回収経路と、
前記維持パルスの立ち上がり時に、前記第１ＬＣ共振に基づいて、前記主容量部から前記主誘導部を経由して前記容量性負荷へ、回収された前記主電力を供給する経路を表す供給経路と、
前記補助蓄積部を含む経路であって、前記維持パルスの立ち下がりの開始直前には、前記主電力の回収動作を強める方向に、前記補助蓄積部を前記補助電力で充電状態にする経路を表す回収充電経路と、
前記維持パルスの立ち下がりの開始直後には、前記補助蓄積部において充電された前記補助電力を、前記主誘導部から前記補助蓄積部へ放電し、前記主電力の回収動作を急峻にする経路を表す回収放電経路と、
前記補助蓄積部を含む経路であって、前記維持パルスの立ち上がりの開始直前には、前記主電力の供給動作を強める方向に、前記補助蓄積部を前記補助電力で充電状態にする経路を表す供給充電経路と、
前記維持パルスの立ち上がりの開始直後には、前記補助蓄積部において充電された前記補助電力を、前記補助蓄積部から前記主誘導部へ放電し、前記主電力の供給動作を急峻にする経路を表す供給放電経路と、を有し、
前記回収経路は、前記回収放電経路の少なくとも一部を共有し、
前記供給経路は、前記供給放電経路の少なくとも一部を共有する、容量性負荷駆動装置。
【請求項１９】
さらに、前記主電力の少なくとも一部を前記容量性負荷へ供給し、前記容量性負荷の所定電極を主電位および基準電位に保持することが可能な保持回路を有する、請求項１８に記載の容量性負荷駆動装置。
【請求項２０】
前記回収経路は、前記保持回路において保持される保持電位が前記主電位から前記基準電位へ変化する間に、前記主電力を回収する経路を表し、
前記供給経路は、前記保持電位が前記基準電位から前記主電位へ変化する間に、前記主電力を供給する経路を表す、請求項１９に記載の容量性負荷駆動装置。
【請求項２１】
前記補助蓄積部は、容量性を有する補助容量部である、請求項１８に記載の容量性負荷駆動装置。
【請求項２２】
前記補助容量部は、第１副補助容量部および第２副補助容量部を含む、請求項２１に記載の容量性負荷駆動装置。
【請求項２３】
前記回収経路は、前記主誘導部と前記主容量部との間において、スイッチを含む、請求項１８に記載の容量性負荷駆動装置。
【請求項２４】
前記回収経路は、前記スイッチから前記主容量部へ、順方向に配置される第１ダイオードを含む、請求項２３に記載の容量性負荷駆動装置。
【請求項２５】
前記回収放電経路は、前記スイッチから前記補助蓄積部へ、順方向に配置される第２ダイオードを含む、請求項２３に記載の容量性負荷駆動装置。
【請求項２６】
前記供給経路は、前記主容量部と前記主誘導部との間において、スイッチを含む、請求項１８に記載の容量性負荷駆動装置。
【請求項２７】
前記供給経路は、前記主容量部から前記スイッチへ、順方向に配置される第１ダイオードを含む、請求項２６に記載の容量性負荷駆動装置。
【請求項２８】
前記供給放電経路は、前記補助蓄積部から前記スイッチへ、順方向に配置される第２ダイオードを含む、請求項２６に記載の容量性負荷駆動装置。
【請求項２９】
さらに、前記補助蓄積部と第２ＬＣ共振する補助誘導部を有する、請求項１８に記載の容量性負荷駆動装置。
【請求項３０】
前記回収充電経路は、前記第２ＬＣ共振に基づいて、前記主容量部の一端から、前記補助蓄積部および前記補助誘導部を経由して、前記主容量部の他端へ、前記補助電力を充電する経路を表す、請求項２９に記載の容量性負荷駆動装置。
【請求項３１】
前記回収充電経路は、前記補助誘導部と前記主容量部の他端との間において、スイッチを含む、請求項３０に記載の容量性負荷駆動装置。
【請求項３２】
前記供給充電経路は、前記第２ＬＣ共振に基づいて、前記補助電力を供給する補助電源から前記補助誘導部を経由して前記補助蓄積部へ、前記補助電力を充電する経路を表す、請求項２９に記載の容量性負荷駆動装置。
【請求項３３】
前記供給充電経路は、前記補助電源と前記補助誘導部との間において、スイッチを含む、請求項３２に記載の容量性負荷駆動装置。
【請求項３４】
第１電源および第２電源を用いて、容量性負荷を駆動する容量性負荷駆動装置であって、
前記第１電源から主電力を容量性負荷へ供給し、前記容量性負荷の所定電極を主電位および基準電位に保持する保持回路と、
主電力を一時的に蓄積する主容量部を含み、前記保持回路において保持される保持電位が主電位から基準電位への第１変化を行っている間に、前記容量性負荷から前記主容量部へ主電力を回収し、保持電位が基準電位から主電位への第２変化を行っている間に、回収された主電力を前記主容量部から前記容量性負荷へ供給する電力循環回路と、
前記主容量部よりも小さい容量の補助容量部であって、補助電力を一時的に蓄積する補助容量部を含み、前記第１変化が開始される直前には前記電力循環回路からの補助電力で前記補助容量部を充電状態にする一方、前記第２変化が開始される直前には前記第２電源からの補助電力で前記補助容量部を充電状態にする補助回路と、を有し、
前記電力循環回路は、前記第１変化および前記第２変化の開始直後には前記補助容量部から補助電力を放電することにより、主電力の回収動作および供給動作を急峻にする、容量性負荷駆動装置。
【請求項３５】
前記補助容量部の一端は、前記主容量部の一端に接続される、請求項３４に記載の容量性負荷駆動装置。
【請求項３６】
前記補助回路は、前記第１変化の開始直前に、前記補助容量部の他端の電位を、前記主容量部の一端の電位よりも低く設定し、前記第２変化の開始直前に、前記補助容量部の他端の電位を、前記主容量部の一端の電位よりも高く設定する、請求項３５に記載の容量性負荷駆動装置。
【請求項３７】
前記補助回路は、前記補助容量部の他端に接続される補助誘導部を含み、
前記補助誘導部は、前記補助容量部との共振動作を行う、請求項３５に記載の容量性負荷駆動装置。
【請求項３８】
前記補助回路は、前記補助容量部と前記補助誘導部との共振周期の半分が、保持電位が保持される期間以下になるように、前記補助容量部の容量および前記補助誘導部のインダクタンスを設定した、請求項３７に記載の容量性負荷駆動装置。
【請求項３９】
前記補助回路は、
前記補助容量部の他端から前記電力循環回路へ、順方向に接続される第１ダイオードと、
前記電力循環回路から前記補助容量部の他端へ、順方向に接続される第２ダイオードと、を含む、請求項３５に記載の容量性負荷駆動装置。
【請求項４０】
前記補助回路は、前記主容量部の一端および前記補助容量部の一端に接続されるチャージポンプ回路を含み、
前記チャージポンプ回路は、前記補助容量部の一端の電位を切換えることにより、チャージポンプする、請求項３５に記載の容量性負荷駆動装置。
【請求項４１】
前記補助回路は、前記補助容量部の容量を、前記主容量部の容量の１０分の１以下に設定した、請求項３５に記載の容量性負荷駆動装置。
【請求項４２】
前記補助回路は、
補助電力を一時的に蓄積する補助蓄積回路と、
前記補助蓄積回路に接続されるスイッチ部と、を含み、
前記スイッチ部は、前記補助蓄積回路を前記第２電源に接続して補助電位に設定する、請求項３４に記載の容量性負荷駆動装置。
【請求項４３】
前記補助蓄積回路は、補助容量部を含む、請求項４２に記載の容量性負荷駆動装置。
【請求項４４】
前記スイッチ部は、
導通時に前記補助蓄積回路を補助電位に設定する第１スイッチと、
導通時に前記補助蓄積回路を基準電位に設定する第２スイッチと、を含む、請求項４２に記載の容量性負荷駆動装置。
【請求項４５】
前記補助蓄積回路は、第１副補助蓄積回路および第２副補助蓄積回路を含む、請求項４２に記載の容量性負荷駆動装置。
【請求項４６】
前記第１副補助蓄積回路は、第１副補助容量部を含み、
前記第２副補助蓄積回路は、第２副補助容量部を含む、請求項４５に記載の容量性負荷駆動装置。
【請求項４７】
前記スイッチ部は、
導通時に前記第１副補助蓄積回路を補助電位に設定する第１スイッチと、
導通時に前記第２副補助蓄積回路を基準電位に設定する第２スイッチと、を含む、請求項４６に記載の容量性負荷駆動装置。
【請求項４８】
前記第１副補助蓄積回路は、第１補助容量部および第２補助容量部を含み、
前記第２副補助蓄積回路は、第２副補助容量部を含む、請求項４５に記載の容量性負荷駆動装置。
【請求項４９】
前記スイッチ部は、
導通時に前記第１副補助蓄積回路を補助電位または基準電位に設定する第１スイッチと、
導通時に前記第２副補助蓄積回路を補助電位または基準電位に設定する第２スイッチと、を含む、請求項４８に記載の容量性負荷駆動装置。
【請求項５０】
前記補助回路は、補助電位または基準電位を、表示画像に応じて変化させる、請求項４２に記載の容量性負荷駆動装置。
【請求項５１】
前記スイッチ部は、補助電位または基準電位に設定している期間を、表示画像に応じて変化させる、請求項４２に記載の容量性負荷駆動装置。
【請求項５２】
請求項１８に記載の容量性負荷駆動装置を用いる、プラズマディスプレイ装置。
【請求項５３】
請求項３４に記載の容量性負荷駆動装置を用いる、プラズマディスプレイ装置。
【請求項５４】
第１電源および第２電源を用いて、容量性負荷を駆動するプラズマディスプレイパネルの駆動方法であって、
前記第１電源から主電力を容量性負荷へ供給し、前記容量性負荷の所定電極を主電位および基準電位に保持するステップと、
主電力を一時的に蓄積する主容量部を用い、保持される保持電位が主電位から基準電位への第１変化を行っている間に、前記容量性負荷から前記主容量部へ主電力を回収し、保持電位が基準電位から主電位への第２変化を行っている間に、回収された主電力を前記主容量部から前記容量性負荷へ供給するステップと、
前記主容量部よりも小さい容量の補助容量部であって、補助電力を一時的に蓄積する補助容量部を用い、前記第１変化が開始される直前には前記主容量部からの補助電力で前記補助容量部を充電状態にする一方、前記第２変化が開始される直前には前記第２電源からの補助電力で前記補助容量部を充電状態にするステップと、を有し、
前記回収および供給するステップは、前記第１変化および前記第２変化の開始直後には前記補助容量部から補助電力を放電することにより、主電力の回収動作および供給動作を急峻にする、プラズマディスプレイパネルの駆動方法。
【請求項５５】
前記補助容量部を充電するステップは、前記第１変化の開始直前に、前記補助容量部の電位を、前記主容量部の電位よりも低く設定し、前記第２変化の開始直前に、前記補助容量部の電位を、前記主容量部の電位よりも高く設定する、請求項５４に記載のプラズマディスプレイパネルの駆動方法。
【請求項５６】
前記補助容量部を充電するステップは、前記第２電源からの補助電位に設定する、請求項５４に記載のプラズマディスプレイパネルの駆動方法。
【請求項５７】
前記補助容量部を充電するステップは、補助電位または基準電位を、表示画像に応じて変化させる、請求項５６に記載のプラズマディスプレイパネルの駆動方法。
【請求項５８】
前記補助容量部を充電するステップは、補助電位または基準電位に設定している期間を、表示画像に応じて変化させる、請求項５６に記載のプラズマディスプレイパネルの駆動方法。
【手続補正書】
【提出日】平成22年6月18日(2010.6.18)
【手続補正１】
【補正対象書類名】明細書
【補正対象項目名】全文
【補正方法】変更
【補正の内容】
【発明の詳細な説明】
【技術分野】
【０００１】
本発明は、容量性負荷を駆動する装置に関し、さらに詳しくはプラズマディスプレイパネルに対してパルス電圧を印加するための容量性負荷駆動装置、それを搭載するプラズマディスプレイ装置、およびプラズマディスプレイパネルの駆動方法に関する。
【背景技術】
【０００２】
プラズマディスプレイパネル（Ｐｌａｓｍａ  Ｄｉｓｐｌａｙ  Ｐａｎｅｌ：ＰＤＰ、以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間、および維持期間を有する。初期化期間では初期化放電を発生し、続く書込み動作に必要な壁電荷を各電極上に形成するとともに、書込み放電を安定して発生させるためのプライミング粒子（放電のための起爆剤＝励起粒子）を発生させる。書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００５】
このような構成のパネルを用いたプラズマディスプレイ装置に対して、その消費電力を削減するために、様々な消費電力削減技術が提案されている。例えば、維持期間における消費電力を削減する技術の１つとして、表示電極対のそれぞれが表示電極対の電極間容量を持つ容量性の負荷であることに着目する案がある。この案では、インダクタを構成要素に含む共振回路を用いてそのインダクタと電極間容量とをＬＣ共振させ、電極間容量に蓄えられた電荷を電力回収用のコンデンサに回収し、回収した電荷を表示電極対の駆動に再利用する。この案は、電力回収回路と呼ばれ、例えば特許文献１に開示されている。
【０００６】
また、補助共振部を用いて電力回収にともなうスイッチング損失を低減し、回収効率を向上させる技術が開示されている（例えば、特許文献２参照）。
【０００７】
また、第１の共振部と第２の共振部とを用いて、電力の回収効率を高めながら、維持パルスの電圧上昇を速くする技術が開示されている（例えば、特許文献３参照）。
【先行技術文献】
【特許文献】
【０００８】
【特許文献１】特開昭６３−１０１８９７号公報
【特許文献２】特開２００６−１０７５０号公報
【特許文献３】特開２００６−１７１７６５号公報
【発明の概要】
【発明が解決しようとする課題】
【０００９】
近年においては、パネルの高精細化によって１つのサブフィールド期間内に書込みをしなければならない電極数が増加しており、それにともない１回の書込み期間に要する時間が増大している。そのため、例えば維持パルスの周期を短くして維持期間を短縮する等の対応が必要となっている。
【００１０】
しかしながら、安定した維持放電を発生させるためには、維持パルスを電源電圧に維持する期間（クランプ期間）を十分に確保しなければならない。クランプ期間を確保しつつ維持パルスの周期を短くするためには、例えば維持パルスの立ち上がりや立ち下がりを急峻にし、それらにかける時間を短縮するといった対応が必要となる。
【００１１】
このとき、維持パルスの立ち上がりや立ち下がりのエッジ特性を急峻にするために、例えば電力回収回路におけるＬＣ共振の周期を短くすると、電極の駆動の際に流れる電流の最大値（以下、「ピーク電流」とも呼称する）が増加してしまう。この電流の増加は無効電力と呼ばれる発光に寄与しないまま無効に消費される電力を増大させるだけでなく、ＥＭＩ（Ｅｌｅｃｔｒｏ  Ｍａｇｎｅｔｉｃ  Ｉｎｔｅｒｆｅｒｅｎｃｅ）と呼ばれる電磁妨害を増大させてしまう。
【００１２】
ＬＣ共振の周期を長くすれば、維持パルスの立ち上がりを緩やかにし、ピーク電流の抑制による無効電力の削減、およびＥＭＩの低減を図ることができるが、維持パルスの立ち上がりが緩やかになる分、維持パルスの周期が長くなってしまい、維持期間が増大してしまう。
【００１３】
本発明はこれらの課題に鑑みなされたものであり、パネルを高精細化しても、消費電力の削減およびＥＭＩの低減と安定した維持放電とを実現することが可能な容量性負荷駆動装置、それを搭載するプラズマディスプレイ装置、およびプラズマディスプレイパネルの駆動方法を提供することを目的とする。
【課題を解決するための手段】
【００１４】
上述した目的を達成するために、本発明の容量性負荷駆動装置は、容量性負荷に維持パルスを印加する維持パルス発生回路を備えた容量性負荷駆動装置であって、維持パルス発生回路は、ＬＣ共振用の回収インダクタと電力回収用の回収コンデンサとを有し容量性負荷に蓄積された電力をＬＣ共振によって回収コンデンサに回収しその回収した電力を容量性負荷の駆動に再利用する電力回収回路と、容量性負荷を電源電位および接地電位にクランプするクランプ回路と、回収コンデンサに直列に接続した補助コンデンサと補助コンデンサとのＬＣ共振に用いる補助インダクタとを有する補助回路とを備え、補助回路は、補助コンデンサと補助インダクタとのＬＣ共振によって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。
【００１５】
これにより、維持パルスを立ち上げるときおよび立ち下げるときに電力回収回路に流れる電流を一時的に増加させることができるので、回収インダクタと容量性負荷とのＬＣ共振の周期（以下、単に「共振周期」と記す）を長くしてピーク電流を低減させることができ、消費電力の削減およびＥＭＩの低減が可能となる。
【００１６】
上記の容量性負荷は好ましくはプラズマディスプレイパネル（ＰＤＰ）である。
【００１７】
本発明のプラズマディスプレイ装置は、表示電極対を構成する複数の走査電極および維持電極を有するパネルの表示電極対に、初期化期間、書込み期間および維持期間を有するサブフィールドの維持期間に維持パルスを交互に印加する維持パルス発生回路を備えたプラズマディスプレイ装置であって、維持パルス発生回路は、ＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路と、表示電極対を電源電位および接地電位にクランプするクランプ回路と、回収コンデンサに直列に接続した補助コンデンサと補助コンデンサとのＬＣ共振に用いる補助インダクタとを有する補助回路とを備え、補助回路は、補助コンデンサと補助インダクタとのＬＣ共振によって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。
【００１８】
これにより、維持パルスを立ち上げるときおよび立ち下げるときに電力回収回路に流れる電流を一時的に増加させることができるので、回収インダクタと容量性負荷とのＬＣ共振の周期（以下、単に「共振周期」と記す）を長くしてピーク電流を低減させることができ、消費電力の削減およびＥＭＩの低減が可能となる。
【００１９】
また、本発明のプラズマディスプレイ装置において、補助回路は、一方の端子が電源電位に他方の端子が補助インダクタにそれぞれ電気的に接続され補助コンデンサの電位を上昇させるときに導通させる電源側補助スイッチと、一方の端子が基準電位に他方の端子が補助インダクタにそれぞれ電気的に接続され補助コンデンサの電位を降下させるときに導通させる基準電位側補助スイッチと、維持パルスの立ち上がり時に補助コンデンサから回収インダクタへ順方向に流れる電流の逆流を防止する第１のダイオードと、維持パルスの立ち下がり時に回収インダクタから補助コンデンサへ順方向に流れる電流の逆流を防止する第２のダイオードとを有する構成としてもよい。これにより、維持パルスを立ち上げる直前に電源側補助スイッチを導通させ、維持パルスを立ち下げる直前に基準電位側補助スイッチを導通させることで、維持パルスを立ち上げるときおよび立ち下げるときに電力回収回路に流れる電流を一時的に増加させることができる。
【００２０】
また、本発明のプラズマディスプレイ装置において、補助回路は、補助コンデンサの容量を、回収コンデンサの１０分の１以下の容量に設定することが望ましい。これにより、維持パルスの立ち上がり時および立ち下がり時に回収インダクタに流れる電流が、回収インダクタと容量性負荷とのＬＣ共振によってのみ流れる電流よりも増加する期間を一時的にすることができる。
【００２１】
また、本発明のプラズマディスプレイ装置において、補助回路は、補助コンデンサと補助インダクタとの共振周期の２分の１が、維持パルスの発生時に表示電極対を電源電位にクランプする期間以下でかつ表示電極対を接地電位にクランプする期間以下になるように、補助コンデンサの容量および補助インダクタのインダクタンスを設定することが望ましい。これにより、電源から補助コンデンサへの充電および補助コンデンサから基準電位への電力放出を、維持パルスの発生時に表示電極対を電源電位にクランプする期間以内かつ表示電極対を接地電位にクランプする期間以内に行うことができる。
【００２２】
また、本発明のプラズマディスプレイ装置において、補助回路は、補助インダクタを、電源電位側から補助コンデンサへ電流を流すときに用いる第１の補助インダクタと、補助コンデンサから基準電位側へ電流を流すときに用いる第２の補助インダクタとに分けて構成し、電源側補助スイッチの他方の端子を第１の補助インダクタに電気的に接続するとともに、基準電位側補助スイッチの他方の端子を第２の補助インダクタに電気的に接続して構成してもよい。これにより、補助コンデンサの電位を、回収コンデンサよりも高い電位にするときと回収コンデンサよりも低い電位にするときとで、それぞれ共振周期を設定することができる。
【００２３】
また、本発明のプラズマディスプレイ装置において、補助回路は、補助コンデンサを、回収コンデンサよりも高い電位にするときに用いる電源側補助コンデンサと、回収コンデンサよりも低い電位にするときに用いる基準電位側補助コンデンサとに分けて構成し、第１の補助インダクタを電源側補助コンデンサとのＬＣ共振に用い、第２の補助インダクタを基準電位側補助コンデンサとのＬＣ共振に用いる構成としてもよい。これにより、補助コンデンサの電位を、回収コンデンサよりも高い電位にするときと回収コンデンサよりも低い電位にするときとで、それぞれ共振周期を設定することができ、さらに、維持パルスの立ち上がり時および立ち下がり時において、回収インダクタに流れる電流を回収インダクタと容量性負荷とのＬＣ共振によってのみ流れる電流よりも増加させる期間を、互いに異なる長さに設定することができる。
【００２４】
また、本発明のプラズマディスプレイ装置において、補助回路は、第１の補助インダクタとは別に第３の補助インダクタを電源側補助コンデンサに直列に接続し、第２の補助インダクタとは別に第４の補助インダクタを基準電位側補助コンデンサに直列に接続する構成としてもよい。これにより、補助コンデンサの電位を回収コンデンサよりも高い電位にするときに、より高い電位にすることができ、また補助コンデンサの電位を回収コンデンサよりも低い電位にするときに、より低い電位にすることができる。
【００２５】
また、本発明のプラズマディスプレイ装置において、補助回路は、補助コンデンサをチャージポンプするために、電源電位と基準電位との間に直列に設けられ電気的な接続点が補助コンデンサに電気的に接続された２つのスイッチング素子と、回収コンデンサと補助コンデンサとの間に挿入されたスイッチング素子とを有する構成としてもよい。これにより、補助コンデンサの電位を回収コンデンサよりも高い電位にするときにより高い電位にすることができ、また補助コンデンサの電位を回収コンデンサよりも低い電位にするときにより低い電位にすることができる。
【００２６】
また、本発明のプラズマディスプレイ装置において、補助回路は、複数のコンデンサを直列に接続して補助コンデンサを構成するとともに、補助コンデンサを構成する複数のコンデンサと同数の補助インダクタおよび電源側補助スイッチおよび基準電位側補助スイッチを有する構成としてもよい。この構成によっても、補助コンデンサの電位を回収コンデンサよりも高い電位にするときにより高い電位にすることができ、また補助コンデンサの電位を回収コンデンサよりも低い電位にするときにより低い電位にすることができる。
【００２７】
また、本発明のプラズマディスプレイ装置において、補助回路は、補助回路に用いる電源電位および基準電位を表示画像に応じて可変する構成としてもよい。この構成により、補助コンデンサの電位を回収コンデンサよりも高い電位にするときの電位、および補助コンデンサの電位を回収コンデンサよりも低い電位にするときの電位を、表示画像に応じて変更することができる。例えば、表示画像の明るさが明るいときには、表示画像の明るさが暗いときよりも、表示電極対の駆動負荷が高くなるが、そのようなときに、補助コンデンサの電位を回収コンデンサよりも高い電位にするときにより高い電位にすることで、安定した駆動を行うことが可能となる。
【００２８】
また、本発明のプラズマディスプレイ装置において、補助回路は、電源側補助スイッチおよび基準電位側補助スイッチの導通時間を表示画像に応じて可変する構成としてもよい。この構成によっても、補助コンデンサの電位を回収コンデンサよりも高い電位にするときの電位、および補助コンデンサの電位を回収コンデンサよりも低い電位にするときの電位を、表示画像に応じて変更することができる。
【００２９】
また、本発明のプラズマディスプレイパネルの駆動方法は、表示電極対を構成する複数の走査電極および維持電極を有するパネルを、ＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路、および表示電極対を電源電位および接地電位にクランプするクランプ回路、および回収コンデンサに直列に接続した補助コンデンサと補助コンデンサとのＬＣ共振に用いる補助インダクタとを有する補助回路を用い、初期化期間と書込み期間と維持期間とを有する複数のサブフィールドの維持期間において維持パルスを発生させて表示電極対に交互に印加して駆動するパネルの駆動方法であって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。
【００３０】
これにより、維持パルスを立ち上げるときおよび立ち下げるときに電力回収回路に流れる電流を一時的に増加させることができるので、回収インダクタと容量性負荷との共振周期を長くしてピーク電流を低減させることができ、消費電力の削減およびＥＭＩの低減が可能となる。
【００３１】
また、本発明のパネルの駆動方法においては、補助回路に、一方の端子を電源電位に他方の端子を補助インダクタにそれぞれ電気的に接続した電源側補助スイッチと、一方の端子を基準電位に他方の端子を補助インダクタにそれぞれ電気的に接続した基準電位側補助スイッチとを設け、補助コンデンサの電位を上昇させるときには電源側補助スイッチを導通させ、補助コンデンサの電位を降下させるときには基準電位側補助スイッチを導通させてもよい。これにより、維持パルスを立ち上げる直前に電源側補助スイッチを導通させ、維持パルスを立ち下げる直前に基準電位側補助スイッチを導通させることで、維持パルスを立ち上げるときおよび立ち下げるときに電力回収回路に流れる電流を一時的に増加させることができる。
【００３２】
また、本発明のパネルの駆動方法においては、補助回路に用いる電源電位および基準電位を表示画像に応じて制御してもよい。これにより、補助コンデンサの電位を回収コンデンサよりも高い電位にするときの電位、および補助コンデンサの電位を回収コンデンサよりも低い電位にするときの電位を、表示画像に応じて変更することができる。
【００３３】
また、本発明のパネルの駆動方法においては、補助コンデンサの電位を上昇させるときに電源側補助スイッチを導通させる時間、および補助コンデンサの電位を降下させるときに基準電位側補助スイッチを導通させる時間を表示画像に応じて制御してもよい。これによっても、補助コンデンサの電位を回収コンデンサよりも高い電位にするときの電位、および補助コンデンサの電位を回収コンデンサよりも低い電位にするときの電位を、表示画像に応じて変更することができる。
【００３４】
本発明の容量性負荷駆動装置は、容量性負荷に維持パルスを印加する維持パルス発生回路を備えた容量性負荷駆動装置であって、維持パルス発生回路は、ＬＣ共振用の回収インダクタと電力回収用の回収コンデンサと電力回収経路と電力供給経路とを有し、容量性負荷に蓄積された電力をＬＣ共振によって電力回収経路を介して回収コンデンサに回収し、その回収した電力を電力供給経路を介して容量性負荷の駆動に再利用する電力回収回路と、回収コンデンサに直列に接続した補助コンデンサと、補助コンデンサとのＬＣ共振に用いる補助インダクタと、前記補助コンデンサを第１の方向に充電する第１充電経路と、前記補助コンデンサを第２の方向に充電する第２充電経路とを有する補助回路とを備え、補助回路は、前記電力供給経路を介して容量性負荷を駆動する直前に前記補助コンデンサを第１の方向に充電し、電力回収経路を介して前記回収コンデンサに回収する直前に前記補助コンデンサを第２の方向に充電して、補助コンデンサと補助インダクタとのＬＣ共振によって、補助コンデンサの電位を、維持パルスの立ち上がりの直前には回収コンデンサよりも高い電位にし、維持パルスの立ち下がりの直前には回収コンデンサよりも低い電位にして、維持パルスの立ち上がり時および立ち下がり時に回収インダクタに流れる電流を、回収インダクタと容量性負荷とのＬＣ共振によってのみ流れる電流よりも一時的に増加させることを特徴とする。
【００３５】
さらに、本発明の容量性負荷駆動装置は、主電力および補助電力を用いて、容量性負荷を駆動する容量性負荷駆動装置であって、前記主電力を充放電可能な主容量部と、前記補助電力を充放電可能な補助蓄積部と、前記容量性負荷と第１ＬＣ共振する主誘導部と、前記第１ＬＣ共振に基づいて、前記容量性負荷から前記主誘導部を経由して前記主容量部へ、前記主電力を回収する経路を表す回収経路と、前記第１ＬＣ共振に基づいて、前記主容量部から前記主誘導部を経由して前記容量性負荷へ、回収された前記主電力を供給する経路を表す供給経路と、前記補助蓄積部を含む経路であって、前記主電力の回収動作を強める方向に、前記補助蓄積部に前記補助電力を充電する経路を表す回収充電経路と、前記補助蓄積部において充電された前記補助電力を、前記主誘導部から前記補助蓄積部へ放電し、前記主電力の回収動作を急峻にする経路を表す回収放電経路と、前記補助蓄積部を含む経路であって、前記主電力の供給動作を強める方向に、前記補助蓄積部に前記補助電力を充電する経路を表す供給充電経路と、前記補助蓄積部において充電された前記補助電力を、前記補助蓄積部から前記主誘導部へ放電し、前記主電力の供給動作を急峻にする経路を表す供給放電経路と、を有し、前記回収経路は、前記回収放電経路の少なくとも一部を共有し、前記供給経路は、前記供給放電経路の少なくとも一部を共有する。
【００３６】
さらに、本発明の容量性負荷駆動装置は、第１電源および第２電源を用いて、容量性負荷を駆動する容量性負荷駆動装置であって、前記第１電源から主電力を容量性負荷へ供給し、前記容量性負荷の所定電極を主電位および基準電位に保持する保持回路と、前記保持回路において保持される保持電位が主電位から基準電位へ変化する間に、前記容量性負荷から主電力を回収し、保持電位が基準電位から主電位へ変化する間に、回収された主電力を前記容量性負荷へ供給する電力循環回路と、前記電力循環回路から主電力の一部を補助電力として受ける一方、前記第２電源から補助電力を受ける補助回路と、を有し、前記電力循環回路は、前記補助回路が受けた補助電力に基づいて、主電力の回収動作および供給動作を急峻にする。
【００３７】
さらに、本発明のプラズマディスプレイ装置は、上述した容量性負荷駆動装置を用いる。
【００３８】
さらに、本発明のプラズマディスプレイパネルの駆動方法は、第１電源および第２電源を用いて、容量性負荷を駆動するプラズマディスプレイパネルの駆動方法であって、前記第１電源から主電力を容量性負荷へ供給し、前記容量性負荷の所定電極を主電位および基準電位に保持するステップと、保持される保持電位が主電位から基準電位へ変化する間に、前記容量性負荷から主電力を回収し、保持電位が基準電位から主電位へ変化する間に、回収された主電力を前記容量性負荷へ供給するステップと、主電力の一部を補助電力として受けるとともに、前記第２電源から補助電力を受けるステップ、とを有し、前記回収および供給するステップは、受けた補助電力を用いることにより、主電力の回収動作および供給動作を急峻にする。
【発明の効果】
【００３９】
本発明の容量性負荷駆動装置、それを搭載するプラズマディスプレイ装置、およびプラズマディスプレイパネルの駆動方法によれば、維持パルスのエッジ特性を急峻にする構成により、パネルを高精細化して維持パルスの周期を短縮しても、クランプ期間の確保により安定して維持放電を発生させるとともに、ピーク電流の低減により消費電力およびＥＭＩを低減することが可能となる。
【図面の簡単な説明】
【００４０】
【図１】本発明の実施の形態１におけるパネルの構造を示す分解斜視図
【図２】本発明の実施の形態１におけるパネルの電極配列図
【図３】本発明の実施の形態１におけるパネルの各電極に印加する駆動電圧波形図
【図４】本発明の実施の形態１におけるプラズマディスプレイ装置のブロック図
【図５】本発明の実施の形態１における維持パルス発生回路のブロック図
【図６】本発明の実施の形態１における維持パルス発生回路の回路図
【図７】本発明の実施の形態１における維持パルス発生回路の動作を説明するためのタイミングチャート
【図８】本発明の実施の形態１におけるタイミングチャートの拡大図
【図９】本発明の実施の形態２における維持パルス発生回路の回路図
【図１０】本発明の実施の形態２の変形例における維持パルス発生回路の回路図
【図１１】本発明の実施の形態２の変形例における維持パルス発生回路の動作を説明するためのタイミングチャート
【図１２】本発明の実施の形態２の変形例における維持パルス発生回路の動作を説明するためのタイミングチャートの拡大図
【図１３】本発明の実施の形態３における維持パルス発生回路の回路図
【図１４】本発明の実施の形態３における維持パルス発生回路の動作を説明するためのタイミングチャート
【図１５】本発明の実施の形態４における維持パルス発生回路の回路図
【図１６】本発明の実施の形態４における維持パルス発生回路の動作を説明するためのタイミングチャート
【図１７】本発明の別の実施の形態における補助回路の電源電圧を可変した場合の波形図
【図１８】本発明の別の実施の形態における電源側補助スイッチの導通時間を可変した場合の波形図
【発明を実施するための形態】
【００４１】
以下、本発明を実施するための最良の形態に関するいくつかの例について、図面を参照しながら説明する。図面において、実質的に同一の構成、動作、および効果を表す要素については、同一の符号を付す。また、以下において記述される数字は、すべて本発明を具体的に説明するために例示するものであり、本発明は例示された数字に制限されない。さらに、オン／オフにより表されるスイッチング状態は、本発明を具体的に説明するために例示するものであり、例示されたスイッチング状態が異なる組み合わせで、同等な結果を得ることも可能である。また、構成要素間の接続関係は、本発明を具体的に説明するために例示するものであり、本発明の機能を実現する接続関係はこれに限定されない。
【００４２】
（実施の形態１）
図１は、パネル１０の構造を示す分解斜視図である。ガラス製の前面板２１上には、１対の走査電極２２と維持電極２３とからなる表示電極対２４を互いに平行に複数形成している。そして走査電極２２と維持電極２３とを覆うように誘電体層２５を形成し、その誘電体層２５上に保護層２６を形成している。
【００４３】
また、保護層２６は、ＭｇＯ（酸化マグネシウム）を主成分とする材料で形成している。ＭｇＯは、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れている。
【００４４】
背面板３１上にはデータ電極３２を互いに平行に複数形成し、データ電極３２を覆うように誘電体層３３を形成し、さらにその上に井桁状の隔壁３４を形成している。そして、隔壁３４の側面および誘電体層３３上には赤色（Ｒ）、緑色（Ｇ）および青色（Ｂ）の各色に発光する蛍光体層３５を設けている。
【００４５】
これら前面板２１と背面板３１とは、微小な放電空間を挟んで表示電極対２４とデータ電極３２とが立体交差するように対向配置し、その外周部をガラスフリット等の封着材によって封着している。そして、内部の放電空間には、ネオンとキセノンの混合ガスを放電ガスとして封入している。実施の形態１では、発光効率を向上させるためにキセノン分圧を大略１０％とした放電ガスを用いている。放電空間は隔壁３４によって複数の区画に仕切られており、表示電極対２４とデータ電極３２とが交差する部分に放電セルが形成されている。そして各放電セル内でガス放電により紫外線を発生させ、この紫外線でＲ、ＧおよびＢの各色の蛍光体を励起発光させることにより画像のカラー表示を行っている。
【００４６】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００４７】
図２は、パネル１０の電極配列図である。パネル１０には、行方向に長いｎ本の走査電極ＳＣ１、ＳＣ２、・・・、ＳＣｎ（図１の走査電極２２と同一であり、以降では走査電極ＳＣ１〜ＳＣｎと記す）およびｎ本の維持電極ＳＵ１、ＳＵ２、・・・、ＳＵｎ（図１の維持電極２３と同一であり、以降では維持電極ＳＵ１〜ＳＵｎと記す）が配列され、列方向に長いｍ本のデータ電極Ｄ１、Ｄ２、・・・、Ｄｍ（図１のデータ電極３２と同一であり、以降ではデータ電極Ｄ１〜Ｄｍと記す）が配列されている。そして、１対の走査電極ＳＣｉ（ｉ＝１〜ｎ）および維持電極ＳＵｉと１つのデータ電極Ｄｊ（ｊ＝１〜ｍ）とが交差した放電空間内に、放電セルがｍ×ｎ個形成されている。
【００４８】
次に、パネル１０を駆動するための駆動電圧波形とその動作の概要について説明する。実施の形態１におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間、および維持期間を有する。
【００４９】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、すべての放電セルで初期化放電を発生させる全セル初期化動作と、直前のサブフィールドで維持放電を行った放電セルだけで選択的に初期化放電を発生させる選択初期化動作とがある。
【００５０】
書込み期間では、後に続く維持期間において発光させるべき放電セルで選択的に書込み放電を発生し、壁電荷を形成する。そして維持期間では、輝度重みに比例した数の維持パルスを表示電極対２４に交互に印加して、書込み放電を発生した放電セルで維持放電を発生させて発光させる。このとき、維持パルスの数と輝度重みとの比を表す比例定数を、「輝度倍率」と呼ぶ。
【００５１】
実施の形態１では、１フィールドを１０個のサブフィールドＳＦ１、ＳＦ２、・・・、ＳＦ１０）で構成し、サブフィールドはそれぞれ、例えば１、２、３、６、１１、１８、３０、４４、６０、８０の輝度重みを持つものとする。そして、サブフィールドＳＦ１の初期化期間では全セル初期化動作を行い、各サブフィールドＳＦ２〜ＳＦ１０の初期化期間では選択初期化動作を行うものとする。これにより、画像の表示に関係のない発光は、サブフィールドＳＦ１における全セル初期化動作の放電にともなう発光のみとなる。黒表示領域の輝度を表す黒輝度は、維持放電を発生させず、全セル初期化動作における微弱発光だけとなるので、コントラストの高い画像表示が可能となる。また、各サブフィールドの維持期間においては、それぞれのサブフィールドの輝度重みに所定の輝度倍率を乗じた数の維持パルスを、表示電極対２４のそれぞれに印加する。
【００５２】
しかし、実施の形態１は、サブフィールド数や各サブフィールドの輝度重みが上述した値に限定されるものではなく、また、画像信号等に基づいてサブフィールド構成を切換える構成であってもよい。
【００５３】
図３は、パネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）と、選択初期化動作を行うサブフィールド（以下、「選択初期化サブフィールド」と呼称する）とを示しているが、他のサブフィールドにおける駆動電圧波形もほぼ同様である。また、以下における走査電極ＳＣｉ、維持電極ＳＵｉ、データ電極Ｄｊは、各電極の中から画像データに基づき選択された電極を表す。
【００５４】
まず、全セル初期化サブフィールドであるサブフィールドＳＦ１について説明する。
【００５５】
サブフィールドＳＦ１の初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の正の電圧Ｖｉ１から、放電開始電圧を超える正の電圧Ｖｉ２に向かって緩やかに上昇する傾斜波形電圧（以下、「上りランプ波形電圧」と呼称する）を印加する。
【００５６】
この上りランプ波形電圧が上昇する間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００５７】
初期化期間後半部では、維持電極ＳＵ１〜ＳＵｎには正の電圧Ｖｅ１を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる正の電圧Ｖｉ３から、放電開始電圧を超える大きさの負の電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、すべての放電セルに対して初期化放電を行う全セル初期化動作が終了する。
【００５８】
なお、図３のサブフィールドＳＦ２の初期化期間に示したように、初期化期間の前半部を省略した駆動電圧波形を各電極に印加してもよい。すなわち、維持電極ＳＵ１〜ＳＵｎに正の電圧Ｖｅ１を、データ電極Ｄ１〜Ｄｍに０（Ｖ）をそれぞれ印加し、走査電極ＳＣ１〜ＳＣｎに放電開始電圧以下となる大きさの電圧（例えば、接地電位）から、負の電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｊ（ｊ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００５９】
続く書込み期間では、まず維持電極ＳＵ１〜ＳＵｎに正の電圧Ｖｅ２を、走査電極ＳＣ１〜ＳＣｎに正の電圧Ｖｃを印加する。
【００６０】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｊ（ｊ＝１〜ｍ）に、正の書込みパルス電圧Ｖｄを印加する。このときデータ電極Ｄｊ上と走査電極ＳＣ１上との交差部の電圧差は、外部印加電圧の差（Ｖｄ−Ｖａ）に、データ電極Ｄｊ上の壁電圧と走査電極ＳＣ１上の壁電圧との差を加算したものとなり、放電開始電圧を超える。これにより、データ電極Ｄｊと走査電極ＳＣ１との間に放電が発生する。また、維持電極ＳＵ１〜ＳＵｎに正の電圧Ｖｅ２を印加しているため、維持電極ＳＵ１上と走査電極ＳＣ１上との電圧差は、外部印加電圧の差である（Ｖｅ２−Ｖａ）に、維持電極ＳＵ１上の壁電圧と走査電極ＳＣ１上の壁電圧との差を加算したものとなる。このとき、電圧Ｖｅ２を、放電開始電圧をやや下回る程度の電圧値に設定することで、維持電極ＳＵ１と走査電極ＳＣ１との間の空間を、放電には至らないが放電が発生しやすい状態とすることができる。これにより、データ電極Ｄｊと走査電極ＳＣ１との間に発生する放電を引き金にして、データ電極Ｄｊと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｊ上にも負の壁電圧が蓄積される。
【００６１】
このようにして、１行目に発光させるべき放電セルで書込み放電を起こし、各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００６２】
続く維持期間では、まず走査電極ＳＣ１〜ＳＣｎに正の維持パルス電圧Ｖｓを印加するとともに維持電極ＳＵ１〜ＳＵｎに接地電位、すなわち０（Ｖ）を印加する。すると書込み放電を起こした放電セルでは、走査電極ＳＣｉ上と維持電極ＳＵｉ上との電圧差が、維持パルス電圧Ｖｓに、走査電極ＳＣｉ上の壁電圧と維持電極ＳＵｉ上の壁電圧との差を加算したものとなり、放電開始電圧を超える。
【００６３】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｊ上にも正の壁電圧が蓄積される。書込み期間において書込み放電が起きなかった放電セルでは維持放電は発生せず、初期化期間の終了時における壁電圧が保たれる。
【００６４】
続いて、走査電極ＳＣ１〜ＳＣｎには基準電位となる０（Ｖ）を、維持電極ＳＵ１〜ＳＵｎには正の維持パルス電圧Ｖｓをそれぞれ印加する。すると、維持放電を起こした放電セルでは、維持電極ＳＵｉ上と走査電極ＳＣｉ上との電圧差が放電開始電圧を超える。そのため、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与える。これにより、書込み期間において書込み放電を起こした放電セルで維持放電が継続して行われる。
【００６５】
そして、維持期間の最後には、走査電極ＳＣ１〜ＳＣｎに、基準電位となる０（Ｖ）から、正の電圧Ｖｅｒｓに向かって緩やかに上昇する傾斜波形電圧（以下、「消去ランプ波形電圧」と呼称する）を印加する。これにより、微弱な放電を持続して発生させ、データ電極Ｄｊ上の正の壁電圧を残したまま、走査電極ＳＣｉおよび維持電極ＳＵｉ上の壁電圧の一部または全部を消去している。
【００６６】
具体的には、維持電極ＳＵ１〜ＳＵｎを０（Ｖ）に戻した後、基準電位となる０（Ｖ）から、放電開始電圧を超える正の電圧Ｖｅｒｓに向かって上昇する消去ランプ波形電圧を発生させ、走査電極ＳＣ１〜ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜ＳＣｎへの印加電圧が上昇する期間、持続して発生する。
【００６７】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｊ上の正の壁電荷を残したまま、走査電極ＳＣ１〜ＳＣｎ上と維持電極ＳＵ１〜ＳＵｎ上との間の壁電圧は、走査電極ＳＣｉに印加した電圧と放電開始電圧との差、すなわち（電圧Ｖｅｒｓ−放電開始電圧）の程度まで弱められる。以下、この消去ランプ波形電圧によって発生させる維持期間の最後の放電を「消去放電」と呼称する。
【００６８】
続くサブフィールドの動作は、維持期間の維持パルスの数を除いて上述の動作とほぼ同様であるため説明を省略する。以上が、実施の形態１におけるパネル１０の各電極に印加する駆動電圧波形の概要である。
【００６９】
実施の形態１においては、後述する補助回路の働きにより、維持パルスを発生させる際のピーク電流を削減し、無効電力の削減およびＥＭＩ（Ｅｌｅｃｔｒｏ  Ｍａｇｎｅｔｉｃ  Ｉｎｔｅｒｆｅｒｅｎｃｅ：電磁妨害）の低減と安定した維持放電とを両立させている。これについての詳細は後述する。
【００７０】
次に、実施の形態１におけるプラズマディスプレイ装置の構成について説明する。図４は、プラズマディスプレイ装置のブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００７１】
画像信号処理回路４１は、入力された画像信号ＳＩＧをサブフィールド毎の発光・非発光を示す画像データＳ４１に変換する。データ電極駆動回路４２はサブフィールド毎の画像データＳ４１を各データ電極Ｄ１〜Ｄｍに対応するデータ電極駆動信号Ｓ４２に変換し、各データ電極Ｄ１〜Ｄｍを駆動する。
【００７２】
タイミング発生回路４５は、画像信号ＳＩＧの水平同期信号Ｈおよび垂直同期信号Ｖを表す画像同期信号ＳＩＮＣに基づいて、各回路ブロックの動作を制御する各種のタイミング信号を発生し、それぞれの回路ブロックへ供給する。
【００７３】
走査電極駆動回路４３は、初期化波形発生回路（図示せず）、維持パルス発生回路５０、および走査パルス発生回路（図示せず）を有する。初期化波形発生回路は、初期化期間において走査電極ＳＣ１〜ＳＣｎに印加する初期化波形電圧を発生する。維持パルス発生回路５０は、維持期間において走査電極ＳＣ１〜ＳＣｎに印加する維持パルスを発生する。走査パルス発生回路は、書込み期間において走査電極ＳＣ１〜ＳＣｎに印加する走査パルス電圧を発生する。走査電極駆動回路４３は、タイミング発生回路４５から出力されるタイミング信号に基づいて走査電極駆動信号Ｓ４３を生成し、各走査電極ＳＣ１〜ＳＣｎをそれぞれ駆動する。維持電極駆動回路４４は、維持パルス発生回路６０と、電圧Ｖｅ１および電圧Ｖｅ２を発生するための回路とを備え、同じくタイミング信号に基づいて維持電極駆動信号Ｓ４４を生成し、各維持電極ＳＵ１〜ＳＵｎを駆動する。
【００７４】
次に、維持パルス発生回路５０、維持パルス発生回路６０の詳細とその動作について説明する。図５は、維持パルス発生回路５０および維持パルス発生回路６０のブロック図である。図５においてパネル１０は電極間容量Ｃｐとして示し、走査パルス発生回路および初期化波形発生回路は省略している。
【００７５】
維持パルス発生回路５０は、電力回収回路５１、クランプ回路５２、および補助回路５３を備えている。電力回収回路５１は、表示電極対２４の容量性負荷である電極間容量Ｃｐに蓄積された電力を、ＬＣ共振によって回収コンデンサに回収し、その回収した電力を走査電極ＳＣ１〜ＳＣｎの駆動に再利用する。クランプ回路５２は、走査電極ＳＣ１〜ＳＣｎを電圧Ｖｓおよび接地電位にクランプする。補助回路５３は、走査電極ＳＣ１〜ＳＣｎを駆動する際に電力回収回路５１が備える回収コンデンサから走査電極ＳＣ１〜ＳＣｎに流れる電流と、電極間容量Ｃｐから回収コンデンサに流れる電流とを補助的に制御する。補助回路５３、電力回収回路５１、およびクランプ回路５２は、初期化波形発生回路および走査パルス発生回路を介して、パネル１０の電極間容量Ｃｐの一端である走査電極ＳＣ１〜ＳＣｎに接続されている。維持期間の間、走査電極ＳＣ１〜ＳＣｎに対して、維持パルス発生回路５０は電気的に短絡状態となり、初期化波形発生回路および走査パルス発生回路は電気的に開放状態となる。このため、初期化波形発生回路および走査パルス発生回路は図面では省略されている。
【００７６】
維持パルス発生回路６０も、維持パルス発生回路５０と同様に、電力回収回路６１、クランプ回路６２、および補助回路６３を備えている。補助回路６３、電力回収回路６１、およびクランプ回路６２は、パネル１０の電極間容量Ｃｐの一端である維持電極ＳＵ１〜ＳＵｎに接続されている。
【００７７】
また、維持電極駆動回路４４は、さらに電源ＶＥ１、スイッチング素子Ｑ２６、スイッチング素子Ｑ２７、電源ＤＶＥ、ダイオードＤ３０、コンデンサＣ３０、スイッチング素子Ｑ２８、およびスイッチング素子Ｑ２９を備える。電源ＶＥ１は、電圧Ｖｅ１を発生する。スイッチング素子Ｑ２６およびスイッチング素子Ｑ２７は、電圧Ｖｅ１の維持電極ＳＵ１〜ＳＵｎへの印加をオン／オフする。電源ＤＶＥは、電圧ＤＶｅを発生する。ダイオードＤ３０は、電源ＶＥ１へ逆流する電流を防止する。コンデンサＣ３０は、電圧Ｖｅ１に電圧ＤＶｅを積み上げるチャージポンプの動作を行う。スイッチング素子Ｑ２８およびスイッチング素子Ｑ２９は、電圧Ｖｅ１に電圧ＤＶｅを積み上げて電圧Ｖｅ２とする。
【００７８】
例えば、図３に示した電圧Ｖｅ１を印加するタイミングでは、スイッチング素子Ｑ２６およびスイッチング素子Ｑ２７を導通させ、維持電極ＳＵ１〜ＳＵｎに、ダイオードＤ３０、スイッチング素子Ｑ２６、およびスイッチング素子Ｑ２７を介して、正の電圧Ｖｅ１を印加する。このときスイッチング素子Ｑ２８を導通させ、コンデンサＣ３０の電圧が電圧Ｖｅ１になるように充電しておく。また、図３に示した電圧Ｖｅ２を印加するタイミングでは、スイッチング素子Ｑ２６およびスイッチング素子Ｑ２７を導通させたまま、スイッチング素子Ｑ２８を遮断させるとともにスイッチング素子Ｑ２９を導通させる。そして、コンデンサＣ３０の電圧に電圧ＤＶｅを重畳し、維持電極ＳＵ１〜ＳＵｎに電圧Ｖｅ１＋ＤＶｅ、すなわち電圧Ｖｅ２を印加する。このとき、逆流防止用のダイオードＤ３０の働きにより、コンデンサＣ３０から電源ＶＥ１への電流は遮断される。
【００７９】
なお、電圧Ｖｅ１および電圧Ｖｅ２を印加する回路については、図５に示した回路に限定されるものではなく、例えば、電圧Ｖｅ１を発生させる電源と電圧Ｖｅ２を発生させる電源とそれぞれの電圧を維持電極ＳＵ１〜ＳＵｎに印加するための複数のスイッチング素子とを用いて、それぞれの電圧を必要なタイミングで維持電極ＳＵ１〜ＳＵｎに印加する構成とすることもできる。
【００８０】
続いて、補助回路５３、電力回収回路５１、およびクランプ回路５２の詳細とその動作について説明する。図６は、維持パルス発生回路５０の回路図である。
【００８１】
電位は、回路上の任意の測定点において、接地端子との間の正、０、および負の電圧を表す。各電源ＶＳ１、ＶＳ２は、電位Ｖｓおよび基準電位（実施の形態１では接地電位）を、維持パルス発生回路５０および維持パルス発生回路６０へ供給する。維持パルス発生回路５０は、維持期間において、電位Ｖｓおよび基準電位で特定される維持パルスを、走査電極駆動信号Ｓ４３を介して走査電極ＳＣ１〜ＳＣｎへ供給する。維持パルス発生回路６０は、維持期間において、電位Ｖｓおよび基準電位で特定される維持パルスを、維持電極駆動信号Ｓ４４を介して維持電極ＳＵ１〜ＳＵｎへ供給する。維持期間において走査電極駆動信号Ｓ４３は、維持電極駆動信号Ｓ４４が電位Ｖｓの場合、基準電位となり、維持電極駆動信号Ｓ４４が基準電位の場合、電位Ｖｓとなる。したがって維持期間において、走査電極ＳＣ１〜ＳＣｎと維持電極ＳＵ１〜ＳＵｎとの間にそれぞれ構成されるｎ個の電極間容量Ｃｐの両端には、正の電圧Ｖｓと負の電圧Ｖｓが交互に供給される。ここで電位Ｖｓおよび基準電位は、接地電位（０Ｖ）との間の正、０、および負の電圧を表す意味で、それぞれ電圧Ｖｓおよび基準電圧（実施の形態１では０Ｖ）とも呼ばれる。
【００８２】
ここで図６を参照して、維持パルス発生回路５０の構成の概要を説明する。維持パルス発生回路５０は、電源ＶＳ１および電源ＶＳ２を用いて、電極間容量Ｃｐを駆動する。電源ＶＳ１は主電源とも呼ばれ、電源ＶＳ２は補助電源とも呼ばれる。クランプ回路５２は、電源ＶＳ１から主電力を電極間容量Ｃｐへ供給し、電極間容量Ｃｐの走査電極ＳＣ１〜ＳＣｎを電位Ｖｓおよび基準電位に保持（すなわちクランプ）する。電力回収回路５１は、クランプ回路５２において保持される保持電位が電位Ｖｓから基準電位へ変化する間に、電極間容量Ｃｐから主電力を回収し、保持電位が基準電位から電位Ｖｓへ変化する間に、回収された主電力を電極間容量Ｃｐへ供給する。電源ＶＳ１および電源ＶＳ２の投入時点から所定時間経過後の定常状態においては、電力回収回路５１がほとんどの主電力の回収および供給を行う。クランプ回路５２は、定常状態において、走査電極ＳＣ１〜ＳＣｎを電位Ｖｓおよび基準電位に保持することにより、主電力のわずかな不足分を走査電極ＳＣ１〜ＳＣｎに供給する。補助回路５３は、電力回収回路５１から主電力の一部を補助電力として受ける一方、電源ＶＳ２から補助電力を受ける。電力回収回路５１は、補助回路５３が受けた補助電力に基づいて、主電力の回収動作および供給動作を急峻にする。
【００８３】
電力回収回路５１は、回収された主電力を一時的に蓄積する（すなわち、主電力を充放電可能な）コンデンサＣ１０を含む。補助回路５３は、補助電力を一時的に蓄積する（すなわち、補助電力を充放電可能な）コンデンサＣ１１を含む。コンデンサＣ１１の一端は、コンデンサＣ１０の一端に接続される。補助回路５３は、コンデンサＣ１１の他端に接続されるインダクタＬ１１を含み、インダクタＬ１１は、コンデンサＣ１１とのＬＣ共振動作を行う。補助回路５３は、保持電位が電位Ｖｓから基準電位へ変化する直前に、回収された主電力の一部をコンデンサＣ１０から補助電力として受け、コンデンサＣ１１の他端の電位ＶＡを、コンデンサＣ１０の一端の電位ＶＢよりも低く設定し、保持電位が基準電位から電位Ｖｓへ変化する直前に、電源ＶＳ２からの補助電力を受け、コンデンサＣ１１の他端の電位ＶＡを、コンデンサＣ１０の一端の電位よりも高く設定する。
【００８４】
次に、維持パルス発生回路５０の構成を、電力および電力に基づいて流れる電流が通過する経路の観点から説明する。主電力に基づいて流れる電流は主電流と呼ばれ、補助電力に基づいて流れる電流は補助電流と呼ばれる。主電力および主電流が通過する経路には、回収経路および供給経路がある。補助電力および補助電流が通過する経路には、回収充電経路、回収放電経路、供給充電経路、および供給放電経路がある。回収経路は、電極間容量ＣｐからコンデンサＣ１０へ、主電力を回収する。供給経路は、コンデンサＣ１０から電極間容量Ｃｐへ、主電力を供給する。回収充電経路は、コンデンサＣ１０または電源ＶＳ１の少なくとも一方からコンデンサＣ１１へ、主電力の一部を補助電力として充電する。回収放電経路は、電極間容量ＣｐとコンデンサＣ１１との間で、充電された補助電力を放電する。供給充電経路は、電源ＶＳ２からコンデンサＣ１１へ、補助電力を充電する。供給放電経路は、コンデンサＣ１１と電極間容量Ｃｐとの間で、充電された補助電力を放電する。回収経路は、回収放電経路と少なくとも一部を共有し、供給経路は、供給放電経路と少なくとも一部を共有する。
【００８５】
電極間容量Ｃｐは、容量性負荷とも呼ばれる。電力回収回路５１は電力循環回路とも呼ばれ、クランプ回路５２は保持回路とも呼ばれる。電源ＶＳ１の電位Ｖｓは主電位とも呼ばれ、電源ＶＳ２の電位Ｖｓは補助電位とも呼ばれる。実施の形態１では、補助電位は主電位に等しい。コンデンサＣ１０は回収コンデンサ、主容量部、または主蓄積部とも呼ばれ、インダクタＬ１０は回収インダクタまたは主誘導部とも呼ばれ、インダクタＬ１１は補助誘導部または補助インダクタとも呼ばれ、コンデンサＣ１１は補助蓄積部または補助容量部または補助コンデンサとも呼ばれる。補助容量部は、補助蓄積部の一例である。なお、主容量部および補助容量部は、それぞれ複数のコンデンサで構成されてもよいし、主誘導部および補助誘導部は、それぞれ複数のインダクタで構成されてもよい。
【００８６】
以下、実施の形態１について、さらに詳細に説明する。
【００８７】
電力回収回路５１は、コンデンサＣ１０、スイッチング素子Ｑ１１、スイッチング素子Ｑ１２、ダイオードＤ１１、ダイオードＤ１２、およびインダクタＬ１０を有している。コンデンサＣ１０は、電力回収用の回収コンデンサである。スイッチング素子Ｑ１１は、コンデンサＣ１０から走査電極ＳＣ１〜ＳＣｎへの電力供給時に導通させる供給スイッチである。スイッチング素子Ｑ１２は、走査電極ＳＣ１〜ＳＣｎから回収コンデンサＣ１０への電力回収時に導通させる回収スイッチである。ダイオードＤ１１は、コンデンサＣ１０から走査電極ＳＣ１〜ＳＣｎへ順方向の電力供給時に逆流する電流を防止する。ダイオードＤ１２は、走査電極ＳＣ１〜ＳＣｎから回収コンデンサＣ１０へ順方向の電力回収時に逆流する電流を防止する。インダクタＬ１０は、ＬＣ共振用の回収インダクタである。
【００８８】
そして、電極間容量ＣｐとインダクタＬ１０とをＬＣ共振させて、維持パルスの立ち上がりおよび立ち下がりのエッジ動作を行う。このように、電力回収回路５１は電源ＶＳ１から電力を供給されることなくＬＣ共振によって走査電極ＳＣ１〜ＳＣｎの駆動を行う。電力回収用のコンデンサＣ１０は、電極間容量Ｃｐに比べて十分に大きい容量を持ち、電力回収回路５１の電源として働くように、電圧値Ｖｓの半分の大略Ｖｓ／２に充電されている。すなわち、コンデンサＣ１０の一方の端子（すなわちＢ点）は電位ＶＢ（＝Ｖｓ／２）となり、他方の端子は接地端子ＧＮＤ１に接続され接地電位となる。
【００８９】
クランプ回路５２は、走査電極ＳＣ１〜ＳＣｎを電位Ｖｓにクランプするためのスイッチング素子Ｑ１３、および走査電極ＳＣ１〜ＳＣｎを接地電位（０（Ｖ））にクランプするためのスイッチング素子Ｑ１４を有している。そして、スイッチング素子Ｑ１３を介して走査電極ＳＣ１〜ＳＣｎを電源ＶＳ１に接続して電位Ｖｓにクランプし、スイッチング素子Ｑ１４を介して走査電極ＳＣ１〜ＳＣｎを接地端子ＧＮＤ１（基準端子とも呼ぶ）に接続して電位０（Ｖ）にクランプする。したがって、クランプ回路５２による電圧印加時のインピーダンスは小さく、強い維持放電による大きな放電電流を安定して流すことができる。
【００９０】
補助回路５３は、コンデンサＣ１１、インダクタＬ１１、スイッチング素子Ｑ１５、スイッチング素子Ｑ１６、ダイオードＤ１３、およびダイオードＤ１４を有する。コンデンサＣ１１は、電力回収用のコンデンサＣ１０に直列に接続した補助コンデンサである。インダクタＬ１１は、コンデンサＣ１１とのＬＣ共振に用いる補助インダクタである。スイッチング素子Ｑ１５は、コンデンサＣ１１のＡ点における電位ＶＡを上昇させるときに導通させる電源側補助スイッチである。スイッチング素子Ｑ１６は、コンデンサＣ１１の電位ＶＡを下降させるとき導通させる基準電位側補助スイッチである。ダイオードＤ１３は、維持パルスの立ち上がり時にコンデンサＣ１１からインダクタＬ１０へ順方向に流れる電流の逆流を防止する。ダイオードＤ１４は、維持パルスの立ち下がり時にインダクタＬ１０からコンデンサＣ１１へ順方向に流れる電流の逆流を防止する。
【００９１】
そして、コンデンサＣ１１の一方の端子をコンデンサＣ１０の一方の端子（すなわちＢ点）に、コンデンサＣ１１の他方の端子（すなわちＡ点）をインダクタＬ１１の一方の端子にそれぞれ接続する。また、スイッチング素子Ｑ１５の一方の端子をインダクタＬ１１の他方の端子に接続し、スイッチング素子Ｑ１５の他方の端子を電源ＶＳ２に接続して電位Ｖｓにする。また、スイッチング素子Ｑ１６の一方の端子をインダクタＬ１１の他方の端子、すなわちインダクタＬ１１とスイッチング素子Ｑ１５との電気的な接続点に接続し、スイッチング素子Ｑ１６の他方の端子を接地端子ＧＮＤ２（基準端子とも呼ぶ）に接続して基準電位（ここでは、基準電位を接地電位とする）にする。また、ダイオードＤ１３のアノードをコンデンサＣ１１の他方の端子、すなわちインダクタＬ１１とコンデンサＣ１１との電気的な接続点に、ダイオードＤ１３のカソードをスイッチング素子Ｑ１１とダイオードＤ１１との電気的な接続点にそれぞれ接続する。また、ダイオードＤ１４のカソードをコンデンサＣ１１の他方の端子、すなわちインダクタＬ１１とコンデンサＣ１１との電気的な接続点に、ダイオードＤ１４のアノードをスイッチング素子Ｑ１２とダイオードＤ１２との電気的な接続点にそれぞれ接続する。実施の形態１では、このように補助回路５３を構成する。
【００９２】
そして、維持パルス発生回路５０は、タイミング発生回路４５から出力されるタイミング信号により、スイッチング素子Ｑ１１、スイッチング素子Ｑ１２、スイッチング素子Ｑ１３、スイッチング素子Ｑ１４、スイッチング素子Ｑ１５、およびスイッチング素子Ｑ１６の導通と遮断とを切換える。これにより、維持パルス発生回路５０は、電力回収回路５１、クランプ回路５２、および補助回路５３を動作させ、維持パルス波形を発生させる。
【００９３】
例えば、維持パルス波形を立ち上げる際には、スイッチング素子Ｑ１１を導通させて電極間容量ＣｐとインダクタＬ１０とを共振させ、電力回収用のコンデンサＣ１０から、ダイオードＤ１１、スイッチング素子Ｑ１１、およびインダクタＬ１０を通して、走査電極ＳＣ１〜ＳＣｎに電力を供給する。そして、走査電極ＳＣ１〜ＳＣｎにおける走査電極駆動信号Ｓ４３の電位が電位Ｖｓに近づいた時点で、スイッチング素子Ｑ１３を導通させて、走査電極ＳＣ１〜ＳＣｎを駆動する回路を電力回収回路５１からクランプ回路５２に切換え、走査電極ＳＣ１〜ＳＣｎを電位Ｖｓにクランプする。
【００９４】
逆に、維持パルス波形を立ち下げる際には、スイッチング素子Ｑ１２を導通させて電極間容量ＣｐとインダクタＬ１０とを共振させ、電極間容量Ｃｐから、インダクタＬ１０、スイッチング素子Ｑ１２、およびダイオードＤ１２を通して、電力回収用のコンデンサＣ１０に電力を回収する。そして、走査電極ＳＣ１〜ＳＣｎにおける走査電極駆動信号Ｓ４３の電位が０（Ｖ）に近づいた時点で、スイッチング素子Ｑ１４を導通させる。これにより、走査電極ＳＣ１〜ＳＣｎを駆動する回路を電力回収回路５１からクランプ回路５２に切換え、走査電極ＳＣ１〜ＳＣｎを基準電位である０（Ｖ）にクランプする。
【００９５】
このようにして、維持パルス発生回路５０は、維持パルスを発生させる。これらのスイッチング素子Ｑ１１、Ｑ１２、Ｑ１３、Ｑ１４、Ｑ１５、Ｑ１６は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属酸化膜半導体電界効果トランジスタ）やＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）等のスイッチング用素子を用いて構成することができる。
【００９６】
ここで、コンデンサＣ１１およびインダクタＬ１１は、補助蓄積回路を構成する。補助蓄積回路は、電力回収回路５１により回収された主電力の一部を補助電力として一時的に蓄積し、電源ＶＳ２からの補助電力を一時的に蓄積する。スイッチング素子Ｑ１５およびスイッチング素子Ｑ１６は、スイッチ部を構成する。スイッチ部は、補助蓄積回路を電源ＶＳ２に接続して電位Ｖｓに設定する。各スイッチング素子Ｑ１１、Ｑ１２、Ｑ１３、Ｑ１４、Ｑ１５、Ｑ１６は、単にスイッチとも呼ばれる。スイッチング素子Ｑ１５は、導通時に補助蓄積回路を電位Ｖｓに設定し、スイッチング素子Ｑ１６は、導通時に補助蓄積回路を基準電位に設定する。
【００９７】
実施の形態１では、維持パルスの立ち上がりの直前にはコンデンサＣ１１の電位ＶＡをコンデンサＣ１０の電位ＶＢ（＝Ｖｓ／２）よりも高い電位にし、維持パルスの立ち下がりの直前にはコンデンサＣ１１の電位ＶＡをコンデンサＣ１０の電位ＶＢよりも低い電位にしている。
【００９８】
具体的には、コンデンサＣ１０から走査電極ＳＣ１〜ＳＣｎに電力を供給して維持パルス波形を立ち上げる直前、すなわちスイッチング素子Ｑ１１を導通させる直前に、スイッチング素子Ｑ１５を導通させてコンデンサＣ１１とインダクタＬ１１とをＬＣ共振させる。そして、電源ＶＳ２から、スイッチング素子Ｑ１５およびインダクタＬ１１を通して、コンデンサＣ１１に電力を充電し、コンデンサＣ１１の電位ＶＡを、コンデンサＣ１０の電位ＶＢ（＝Ｖｓ／２）よりも電圧Ｖｓだけ高い電位、すなわち電圧Ｖｓの１．５倍の３Ｖｓ／２にする。
【００９９】
また、走査電極ＳＣ１〜ＳＣｎからコンデンサＣ１０に電力を回収して維持パルス波形を立ち下げる直前、すなわちスイッチング素子Ｑ１２を導通させる直前に、スイッチング素子Ｑ１６を導通させてコンデンサＣ１１とインダクタＬ１１とをＬＣ共振させる。そして、コンデンサＣ１１の電力を、インダクタＬ１１およびスイッチング素子Ｑ１６を通して、基準電位にある接地端子ＧＮＤ２へ放出し、コンデンサＣ１１の電位ＶＡを、コンデンサＣ１０の電位ＶＢ（＝Ｖｓ／２）よりも電圧Ｖｓだけ低い電位、すなわち−Ｖｓ／２にする。
【０１００】
これにより、実施の形態１では、維持パルスの立ち上がり時および立ち下がり時にインダクタＬ１０に流れる電流ＪＬ１０を、インダクタＬ１０と電極間容量ＣｐとのＬＣ共振によってのみ流れる電流よりも一時的に増加させ、維持パルスを発生させる際のピーク電流を抑制して、無効電力の削減およびＥＭＩの低減を実現している。この詳細は後述する。
【０１０１】
インダクタＬ１１とのＬＣ共振の対象となる容量は、実際はコンデンサＣ１１とコンデンサＣ１０との合成容量、すなわちコンデンサＣ１１の容量をＣａ、コンデンサＣ１０の容量をＣｂとすると、Ｃａ×Ｃｂ／（Ｃａ＋Ｃｂ）、になる。ここでは、コンデンサＣ１１の容量をコンデンサＣ１０よりも十分に小さい値、例えば、コンデンサＣ１０を８μＦ、コンデンサＣ１１を０．０２μＦ、に設定する。このため、コンデンサＣ１１とコンデンサＣ１０との合成容量は、実質的にコンデンサＣ１１の容量に等しいものとして説明を行う。
【０１０２】
維持パルス発生回路６０は、維持パルス発生回路５０と同様の構成になっている。維持パルス発生回路６０は、電力回収回路６１、クランプ回路６２、および補助回路６３を含む。電力回収回路６１は電力回収回路５１と同様に構成され、クランプ回路６２はクランプ回路５２と同様に構成され、補助回路６３は補助回路５３と同様に構成される。維持パルス発生回路６０は、パネル１０の電極間容量Ｃｐの一端である維持電極ＳＵ１〜ＳＵｎに接続されている。維持パルス発生回路６０の動作は、維持パルス発生回路５０と同様であるので説明を省略する。
【０１０３】
電力回収回路５１のインダクタＬ１０とパネル１０の電極間容量ＣｐとのＬＣ共振の周期（以下、「共振周期」と記す）は、インダクタＬ１０のインダクタンスをＬとすれば、計算式「２π√（ＬＣｐ）」によって求めることができる。また、コンデンサＣ１１とインダクタＬ１１との共振周期も同様の計算式で求めることができる。そして、実施の形態１では、電力回収回路５１における共振周期が大略２μｓｅｃになるようにインダクタＬ１０を設定し、電力回収回路６１における共振周期も同様に設定している。また、維持パルスの周波数を１００ｋＨｚとし、維持パルスの立ち上がりおよび立ち下がりにかける期間をそれぞれ１μｓｅｃ、維持パルスを電位Ｖｓにクランプする期間を３μｓｅｃとし、補助回路５３における共振周期が大略６μｓｅｃになるようにインダクタＬ１１およびコンデンサＣ１１を設定している。また、補助回路６３における共振周期も同様に設定している。しかし、これらの数値は実施の形態における一例に過ぎず、パネルの特性やプラズマディスプレイ装置の仕様等に合わせて最適な値に設定すればよい。
【０１０４】
次に、上述したように、維持パルスの立ち上がり時および立ち下がり時にインダクタＬ１０に流れる電流ＪＬ１０を、インダクタＬ１０と電極間容量ＣｐとのＬＣ共振によってのみ流れる電流よりも一時的に増加させる動作の詳細について説明する。
【０１０５】
図７は、維持パルス発生回路の動作を説明するためのタイミングチャートである。ここでは、維持パルスを発生させるための一連の動作をＴ１〜Ｔ６で示した６つの期間に分割し、それぞれの期間について説明する。また、ここでは維持パルス発生回路５０での動作を説明するが、維持パルス発生回路６０における動作も同様である。
【０１０６】
図７では、上から順に、走査電極ＳＣ１〜ＳＣｎに印加される走査電極駆動信号Ｓ４３の電圧の変化、補助回路５３におけるコンデンサＣ１１（図６のＡ点）の電位ＶＡの変化、インダクタＬ１０に流れる電流ＪＬ１０（ここでは、走査電極ＳＣ１〜ＳＣｎに向かって流れる場合を正、走査電極ＳＣ１〜ＳＣｎから流れてくる場合を負とする）の変化、スイッチング素子Ｑ１１の制御の状態、スイッチング素子Ｑ１２の制御の状態、スイッチング素子Ｑ１３の制御の状態、スイッチング素子Ｑ１４の制御の状態、スイッチング素子Ｑ１５の制御の状態、スイッチング素子Ｑ１６の制御の状態を示す。
【０１０７】
また、図８は、図７に示したタイミングチャートの期間Ｔ１、期間Ｔ２を拡大して示した図である。図８では、上から順に、走査電極ＳＣ１〜ＳＣｎに印加される走査電極駆動信号Ｓ４３の電圧の変化、補助回路５３におけるコンデンサＣ１１（図６のＡ点）の電位ＶＡの変化、インダクタＬ１１を流れる電流ＪＬ１１の変化、インダクタＬ１０に流れる電流ＪＬ１０の変化、スイッチング素子Ｑ１１の制御の状態、スイッチング素子Ｑ１３の制御の状態、スイッチング素子Ｑ１５の制御の状態、スイッチング素子Ｑ１６の制御の状態を示す。
【０１０８】
以下の説明においてスイッチング素子を導通させる動作をオン、遮断させる動作をオフと表記し、図面にはスイッチング素子をオンさせる信号を「ＯＮ」、オフさせる信号を「ＯＦＦ」と表記する。また、図７では、正の維持パルス電圧Ｖｓを表す正極の波形を用いて説明をするが、本発明はこれに限られるものではない。例えば、負の維持パルス電圧Ｖｓを表す負極の波形に関する実施の形態については、以下の説明において正極の波形の「立ち上がり」を負極の波形の「立ち下がり」に読みかえることで、負極の波形であっても同様の効果を得ることができる。
【０１０９】
（期間Ｔ１）
時点ｔ１でスイッチング素子Ｑ１５をオンにする。すると、電源ＶＳ２から、スイッチング素子Ｑ１５およびインダクタＬ１１を通して、コンデンサＣ１１に電流ＪＬ１１が流れ、コンデンサＣ１１の電位ＶＡ（図面に示すＡ点の電位）が上昇し始める。電流ＪＬ１１は補助電流とも呼ばれ、補助電流が流れる上述した経路は供給充電経路とも呼ばれる。コンデンサＣ１０の電位ＶＢはＶｓ／２であり、コンデンサＣ１１とインダクタＬ１１とは共振回路を構成している。このため、共振周期の２分の１の時間が経過した後の時点ｔ２において、コンデンサＣ１１の電位ＶＡはＶｓ／２＋Ｖｓ、すわなち３Ｖｓ／２付近まで上昇する。
【０１１０】
この間、スイッチング素子Ｑ１４はオンに維持し、走査電極ＳＣ１〜ＳＣｎは０（Ｖ）にクランプしておく。
【０１１１】
（期間Ｔ２）
次に、時点ｔ２でスイッチング素子Ｑ１４およびスイッチング素子Ｑ１５をオフにするとともにスイッチング素子Ｑ１１をオンにする。
【０１１２】
インダクタＬ１０と電極間容量Ｃｐとは共振回路を構成しているので、このスイッチング動作により、Ａ点が電位３Ｖｓ／２になるように充電されたコンデンサＣ１１から、ダイオードＤ１３、スイッチング素子Ｑ１１、およびインダクタＬ１０を通して、走査電極ＳＣ１〜ＳＣｎへ補助電流が流れる。補助電流が流れる上述した経路は、供給放電経路とも呼ばれる。また、電力回収用のコンデンサＣ１０から、ダイオードＤ１１、スイッチング素子Ｑ１１、およびインダクタＬ１０を通して、走査電極ＳＣ１〜ＳＣｎへ電流が流れる。この電流は主電流とも呼ばれ、主電流が流れる上述した経路は供給経路とも呼ばれる。図７および図８に示す電流ＪＬ１０は、インダクタＬ１０を流れる主電流および補助電流の合計を表す。これにより、走査電極ＳＣ１〜ＳＣｎにおける走査電極駆動信号Ｓ４３の電位が上がり始める。
【０１１３】
例えば、インダクタＬ１０と電極間容量Ｃｐとの共振周期を大略２μｓｅｃに設定した場合、時点ｔ２から大略１μｓｅｃ後には走査電極ＳＣ１〜ＳＣｎにおける走査電極駆動信号Ｓ４３の電位は電位Ｖｓ付近まで上昇する。
【０１１４】
このとき、実施の形態１では、補助回路５３においてＡ点が電位ＶＡ（＝３Ｖｓ／２）になるように充電されたコンデンサＣ１１から、走査電極ＳＣ１〜ＳＣｎへと補助電流が流れる。このため、図８のインダクタＬ１０に流れる電流ＪＬ１０の変化を示す波形において実線で示すように、走査電極ＳＣ１〜ＳＣｎへ流れる電流ＪＬ１０の立ち上がりは、一点鎖線で示す補助回路５３を用いない場合と比較して、正方向に急峻に増加する。
【０１１５】
また、実施の形態１では、コンデンサＣ１１の容量をコンデンサＣ１０と比較して十分に小さい値（ここでは、コンデンサＣ１０を８μＦ、コンデンサＣ１１を０．０２μＦとする）にしている。したがって、図７および図８においてコンデンサＣ１１（図６のＡ点）の電位ＶＡの変化を示す波形のように、コンデンサＣ１１から走査電極ＳＣ１〜ＳＣｎへの電力供給によりコンデンサＣ１１の電位ＶＡは急激に下降する。そして、時点ｔ２から比較的短い時間が経過した時点ｔ２１においてコンデンサＣ１１の正極側と負極側の電位差は０となり、コンデンサＣ１１の電位ＶＡはコンデンサＣ１０の電位ＶＢと同電位（電位Ｖｓ／２）となる。これにより、コンデンサＣ１０から走査電極ＳＣ１〜ＳＣｎへの電力供給の途中でコンデンサＣ１１から走査電極ＳＣ１〜ＳＣｎへの電力供給は停止する。それ以降は、コンデンサＣ１０から出力される電力のみが走査電極ＳＣ１〜ＳＣｎへと供給される。
【０１１６】
このように、コンデンサＣ１１に充電された電力により、維持パルスの立ち上がり時に、インダクタＬ１０を介して走査電極ＳＣ１〜ＳＣｎに流れる電流ＪＬ１０は、一時的に増加して急峻に立ち上がる。また、コンデンサＣ１１から走査電極ＳＣ１〜ＳＣｎへの電力供給は、コンデンサＣ１０から走査電極ＳＣ１〜ＳＣｎへの電力供給の途中で停止するので、インダクタＬ１０を介して流れる電流ＪＬ１０の最大値は、インダクタＬ１０と電極間容量Ｃｐとの共振周期に依存した電流値となる。
【０１１７】
ここで、実施の形態１における維持パルスの立ち上がり時（立ち下がり時）において、インダクタＬ１０に流れる電流ＪＬ１０を一時的に増加させて駆動を行う理由を説明する。
【０１１８】
近年では、パネルのさらなる高精細化が進み、１つのサブフィールド期間内に書込みをしなければならない電極数がますます増加している。そのため１回の書込み期間に要する時間が増大する傾向にあるが、１つのサブフィールドに割り当てることができる時間は限られているため、例えば維持パルスの周期を短くする等して維持期間を短縮するといった対応が必要となる。
【０１１９】
一方、安定した維持放電を発生させるためには、一般に放電遅れと呼ばれる放電発生の遅れ時間および放電セル間での放電遅れのばらつき等の阻害要因を考慮する必要がある。放電発生の遅れ時間は、放電セルへの印加電圧が放電開始電圧を超えてから実際に放電が発生するまでの時間を表す。これらの要因を考慮し、維持パルスを電源ＶＳ１の電位Ｖｓおよび接地電位にクランプするクランプ期間を十分に確保しなければならない。そして、クランプ期間を確保しつつ維持パルスの周期を短くするためには、例えば維持パルスの立ち上がりや立ち下がりを急峻にし、それらにかける時間を短縮するといった対応が必要となる。
【０１２０】
また、維持動作においては、電圧の変化が急峻な状態で放電を生じさせると、強い放電が発生して放電セル内に十分な壁電荷を形成することができる。さらに、電圧の変化が急峻な状態で放電を生じさせることで放電開始電圧のばらつきを吸収し、維持放電の放電セル毎のばらつきを抑えることができるので、放電を安定に発生させる効果を高めることができる。
【０１２１】
そのため、維持パルス発生回路５０から走査電極ＳＣ１〜ＳＣｎに供給する走査電極駆動信号Ｓ４３の電流をできるだけ急峻に増加させ、維持パルスの立ち上がりを急峻にすることが望ましい。
【０１２２】
維持パルスの立ち上がりや立ち下がりを急峻にするためには、回収インダクタであるインダクタＬ１０のインダクタンスを小さくする等して、インダクタＬ１０と電極間容量Ｃｐとの共振周期を短くすればよい。しかしながら、インダクタＬ１０と電極間容量Ｃｐとの共振周期を短くすると、コンデンサＣ１０と電極間容量Ｃｐとの間を移動する電流の最大値（ピーク電流）が増加し、ＥＭＩを増加させてしまう。また、ピーク電流が増加すると、発光に寄与することなく無効に消費される電力、すなわち無効電力も増加してしまう。そして、高精細化されたパネルでは駆動負荷も増大するため、無効電力がさらに増加する恐れがある。
【０１２３】
また、電力回収回路５１の出力インピーダンスは、クランプ回路５２の出力インピーダンスと比較して大きいため、ピーク電流の増加は、駆動負荷等の影響によるリンギングと呼ばれる波形歪を発生させる。このような波形歪は、放電を不安定にするだけでなく、無効電力をさらに増加させてしまう。
【０１２４】
また、ピーク電流が大きいとその分だけ電圧降下も大きくなるため、図８の走査電極ＳＣ１〜ＳＣｎに印加される走査電極駆動信号Ｓ４３の電圧の変化を示す波形に破線で示すように、電力回収回路５１による駆動時に走査電極ＳＣ１〜ＳＣｎへの走査電極駆動信号Ｓ４３の印加電圧が電圧Ｖｓまで上昇しない。そうすると、直後のクランプ回路５２への切換え時に電源ＶＳ１から走査電極ＳＣ１〜ＳＣｎへ供給される電力が増え、消費電力が増加してしまう。
【０１２５】
一方、インダクタＬ１０のインダクタンスを大きくする等して電力回収回路５１の共振周期を長くすれば、電力回収回路５１から走査電極ＳＣ１〜ＳＣｎに供給する電流ＪＬ１０の立ち上がりは緩やかになる。そうすると、コンデンサＣ１０と電極間容量Ｃｐとの間を移動する電流の最大値（ピーク電流）が低減されるので、ＥＭＩを低減することができ、無効電力を低減することができる。また、電圧降下も抑えられるので、電力回収回路５１による駆動時に走査電極ＳＣ１〜ＳＣｎへの走査電極駆動信号Ｓ４３の印加電圧を、より電圧Ｖｓに近い電位まで上昇させることができる。これにより、直後のクランプ回路５２への切換え時に電源ＶＳ１から走査電極ＳＣ１〜ＳＣｎへ供給される電力を低減でき、消費電力を低減することができる。
【０１２６】
しかしながら、電力回収回路５１の共振周期を長くして、維持パルスの立ち上がりおよび立ち下がりの傾きを表すエッジ特性を緩やかにすると、維持期間がその分、増大するといった問題が発生する。
【０１２７】
これらのことから、高精細化されたパネルを安定に駆動しつつＥＭＩおよび無効電力を低減するためには、維持パルスを発生させる際のエッジ特性をできるだけ急峻にし、一方で維持パルス発生回路５０と電極間容量Ｃｐとの間を流れる走査電極駆動信号Ｓ４３の電流の最大値、すなわちピーク電流を低減させるといった、互いに矛盾する動作を両立させることが必要となることがわかる。
【０１２８】
そして、実施の形態１における補助回路５３は、この動作を実現することを目的としたものであり、維持パルス発生回路と電極間容量Ｃｐとの間を流れるピーク電流を低減しつつ維持パルスを発生させる際のエッジ特性を急峻にすることを可能にするための回路である。
【０１２９】
すなわち、維持パルス波形を立ち上げる直前には、コンデンサＣ１１とインダクタＬ１１とのＬＣ共振により、電源ＶＳ２からコンデンサＣ１１に電力を充電して、コンデンサＣ１１の電位ＶＡをコンデンサＣ１０の電位ＶＢよりも高い電位（ここでは、３Ｖｓ／２）にする。維持パルス波形を立ち下げる直前には、コンデンサＣ１１とインダクタＬ１１とのＬＣ共振により、コンデンサＣ１１の電力を基準電位にある接地端子ＧＮＤ２へ放出して、コンデンサＣ１１の電位ＶＡをコンデンサＣ１０の電位ＶＢよりも低い電位（ここでは、−Ｖｓ／２）にする。これにより、電力回収回路５１の動作開始直後に、コンデンサＣ１１と電極間容量Ｃｐとの間で電力を移動させて、インダクタＬ１０に流れる電流ＪＬ１０を、インダクタＬ１０と電極間容量ＣｐとのＬＣ共振によってのみ流れる電流よりも一時的に増加させることができる。すなわち、維持パルスの立ち上がり時および立ち下がり時において、維持パルス発生回路５０と電極間容量Ｃｐとの間を移動する走査電極駆動信号Ｓ４３の電流を一時的に増加させることができ、これによりインダクタＬ１０と電極間容量Ｃｐとの共振周期を短くすることなく、維持パルスの急峻なエッジ特性を実現することが可能となる。
【０１３０】
また、コンデンサＣ１１の容量をコンデンサＣ１０と比較して十分に小さい値に設定しているため、電力回収回路５１の動作開始直後に発生するインダクタＬ１０における電流ＪＬ１０増加は一時的なものに過ぎない。そのため、維持パルス発生回路と電極間容量Ｃｐとの間を流れる走査電極駆動信号Ｓ４３の電流の最大値は、インダクタＬ１０と電極間容量Ｃｐとの共振周期により決定される。これにより、インダクタＬ１０と電極間容量Ｃｐとの共振周期が長くなるようにインダクタＬ１０のインダクタンスを設定することで、維持パルス発生回路と電極間容量Ｃｐとの間のピーク電流を抑制することができる。
【０１３１】
図８の電流ＪＬ１０に関して一点鎖線で示した波形は、実施の形態１よりもインダクタＬ１０のインダクタンスを小さくして共振周期を短くし、かつ補助回路５３を用いない構成での電力回収回路において、走査電極ＳＣ１〜ＳＣｎへの電力供給の状態を表したものである。この一点鎖線で示した波形と実施の形態１における実線で示した波形との差に示されるように、実施の形態１における構成では、期間Ｔ２の維持パルスの立ち上がりにおいて電力回収回路５１から走査電極ＳＣ１〜ＳＣｎへ流れる電流ＪＬ１０の立ち上がりを急峻にすることができ、かつピーク電流を抑えることが可能となる。
【０１３２】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より電圧Ｖｓに近い電位（ここでは、実質的に電位Ｖｓに達する）まで上昇させることが可能となる。これにより、電力回収回路５１における電力の利用効率を上げるとともに、直後のクランプ回路５２への切換え時に電源ＶＳ１から走査電極ＳＣ１〜ＳＣｎへ供給される電力を抑えて、消費電力をさらに低減させることができる。
【０１３３】
（期間Ｔ３）
そして、時点ｔ３でスイッチング素子Ｑ１３をオンにする。すると走査電極ＳＣ１〜ＳＣｎは、スイッチング素子Ｑ１３を通して直接に電源ＶＳ１へ接続される。
【０１３４】
実施の形態１では、走査電極ＳＣ１〜ＳＣｎの電位は、電力回収回路５１による駆動によって実質的に電位Ｖｓに達しているため、走査電極ＳＣ１〜ＳＣｎが電位Ｖｓにクランプされても走査電極ＳＣ１〜ＳＣｎの電位に実質的な変化は生じない。これにより、クランプ回路５２から走査電極ＳＣ１〜ＳＣｎへ供給される電力を削減することができる。また、スイッチング素子Ｑ１３は続く期間Ｔ４の間もオンに維持し、これにより期間Ｔ３および期間Ｔ４では、走査電極ＳＣ１〜ＳＣｎにおける走査電極駆動信号Ｓ４３の電位は電位Ｖｓに保たれる。
【０１３５】
（期間Ｔ４）
時点ｔ４でスイッチング素子Ｑ１６をオンにする。すると、コンデンサＣ１０から、コンデンサＣ１１、インダクタＬ１１およびスイッチング素子Ｑ１６を通して、基準電位にある接地端子ＧＮＤ２に補助電流ＪＬ１１が流れ、コンデンサＣ１１の電位ＶＡ（図面に示すＡ点の電位）が下降し始める。補助電流が流れる上述した経路は、回収充電経路とも呼ばれる。コンデンサＣ１０の電位ＶＢはＶｓ／２であり、コンデンサＣ１１とインダクタＬ１１とは共振回路を構成している。このため、共振周期の２分の１の時間が経過した後の時点ｔ５において、コンデンサＣ１１の電位ＶＡはＶｓ／２−Ｖｓ、すわなち−Ｖｓ／２付近まで下降する。
【０１３６】
（期間Ｔ５）
次に、時点ｔ５でスイッチング素子Ｑ１３およびスイッチング素子Ｑ１６をオフにするとともにスイッチング素子Ｑ１２をオンにする。
【０１３７】
インダクタＬ１０と電極間容量Ｃｐとは共振回路を構成しているので、このスイッチング動作により、走査電極ＳＣ１〜ＳＣｎから、インダクタＬ１０、スイッチング素子Ｑ１２、およびダイオードＤ１４を通して、Ａ点が電位−Ｖｓ／２になるように充電されたコンデンサＣ１１へ補助電流が流れる。補助電流が流れる上述した経路は、回収放電経路とも呼ばれる。また、走査電極ＳＣ１〜ＳＣｎから、インダクタＬ１０、スイッチング素子Ｑ１２、およびダイオードＤ１２を通して、電力回収用のコンデンサＣ１０へ主電流が流れる。主電流が流れる上述した経路は回収経路とも呼ばれる。電流ＪＬ１０は、インダクタＬ１０を流れる主電流および補助電流の合計を表す。これにより、走査電極ＳＣ１〜ＳＣｎにおける走査電極駆動信号Ｓ４３の電位が下がり始める。
【０１３８】
例えば、インダクタＬ１０と電極間容量Ｃｐとの共振周期を大略２μｓｅｃに設定した場合、時点ｔ５から大略１μｓｅｃ後には走査電極ＳＣ１〜ＳＣｎにおける走査電極駆動信号Ｓ４３の電位は接地電位付近まで下降する。
【０１３９】
このとき、実施の形態１では、補助回路５３においてＡ点が電位−Ｖｓ／２になるように充電されたコンデンサＣ１１へ、走査電極ＳＣ１〜ＳＣｎから補助電流が流れる。このため、上述の期間Ｔ２で説明したものと同様の理由により、走査電極ＳＣ１〜ＳＣｎから維持パルス発生回路５０へ流れる走査電極駆動信号Ｓ４３の電流の立ち下がり（ここでは、走査電極ＳＣ１〜ＳＣｎから維持パルス発生回路５０へ流れる場合を負方向としているため、立ち下がりと表記）は、補助回路５３を用いない場合と比較して、急峻に減少（負方向に急峻に増加）する。
【０１４０】
これにより、補助回路５３を用いない構成における走査電極ＳＣ１〜ＳＣｎから電力回収回路への電力の回収時と比較して、実施の形態１における構成では、期間Ｔ５の維持パルスの立ち下がりにおける走査電極ＳＣ１〜ＳＣｎから電力回収回路５１へ流れる電流ＪＬ１０の立ち下がりを急峻にし、かつインダクタＬ１０に流れるピーク電流を抑えることが可能となる。
【０１４１】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より接地電位に近い電位（ここでは、実質的に接地電位に達する）まで下降させることが可能となる。これにより、電力回収回路５１における電力の回収効率を上げるとともに直後のクランプ回路５２への切換え時に走査電極ＳＣ１〜ＳＣｎから接地端子ＧＮＤ１へ放出される電力を抑えて、消費電力をさらに低減させることができる。
【０１４２】
また、ピーク電流を抑えることで無効電力を低減することができ、これにより、走査電極ＳＣ１〜ＳＣｎにおける走査電極駆動信号Ｓ４３の電位をほぼ接地電位まで下降させることができる。したがって、直後のクランプ回路５２への切換え時に消費される電力を抑え、無効電力をさらに低減させることができる。
【０１４３】
（期間Ｔ６）
そして、時点ｔ６でスイッチング素子Ｑ１４をオンにする。すると走査電極ＳＣ１〜ＳＣｎは、スイッチング素子Ｑ１４を通して直接に接地される。
【０１４４】
実施の形態１では、走査電極ＳＣ１〜ＳＣｎにおける走査電極駆動信号Ｓ４３の電位は、電力回収回路５１による駆動によって実質的に接地電位である０（Ｖ）に達しているため、走査電極ＳＣ１〜ＳＣｎが接地電位にクランプされても走査電極ＳＣ１〜ＳＣｎの電位に実質的な変化は生じない。これにより、クランプ回路５２における消費電力を削減することができる。
【０１４５】
スイッチング素子Ｑ１１は時点ｔ３以降、時点ｔ４までにオフすればよく、スイッチング素子Ｑ１２は時点ｔ６以降、次の時点ｔ１までにオフすればよい。また、維持パルス発生回路５０の出力インピーダンスを下げるために、スイッチング素子Ｑ１３は時点ｔ５直前にオフにすることが望ましく、スイッチング素子Ｑ１４は時点ｔ２直前にオフにすることが望ましい。
【０１４６】
ここでは維持パルス発生回路５０での動作を説明したが、維持パルス発生回路６０における動作も同様であるため、維持パルス発生回路６０に関する説明は省略する。
【０１４７】
維持期間においては、以上の期間Ｔ１〜期間Ｔ６の動作を、必要なパルス数に応じて繰り返す。このようにして、基準電位である０（Ｖ）から電位Ｖｓに変位する維持パルス電圧を、表示電極対２４のそれぞれに交互に印加して放電セルを維持放電させる。
【０１４８】
以上、説明したように、実施の形態１によれば、維持パルスの立ち上がり時および立ち下がり時のパルスエッジにおいて、補助回路５３を用いることにより、回収インダクタ（電力回収回路５１ではインダクタＬ１０）に流れる電流ＪＬ１０の大きさを急峻に増加させている。その結果、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。これにより、高精細化パネルに対しても、クランプ期間の確保により安定して維持放電を発生させるとともに、ピーク電流の低減により消費電力およびＥＭＩを低減することが可能となる。
【０１４９】
実施の形態１では、インダクタＬ１１とコンデンサＣ１１との共振周期を大略６μｓｅｃとする構成を説明した。これは、維持パルスの周波数を１００ｋＨｚとし、維持パルスの立ち上がりおよび立ち下がりにかける期間（図７では、期間Ｔ２および期間Ｔ５）をそれぞれ１μｓｅｃ、維持パルスを電位Ｖｓにクランプする期間を３μｓｅｃとしたためである。このように、実施の形態１においては、維持パルス発生時におけるクランプ期間内にコンデンサＣ１１への充電が行われるように、設定することが望ましい。このために、インダクタＬ１１とコンデンサＣ１１との共振周期の２分の１が、表示電極対を電源ＶＳ１の電位Ｖｓにクランプする期間（図７では、時点ｔ３から時点ｔ５までの期間）以下で、かつ表示電極対を接地電位にクランプする期間（図７では、時点ｔ６から次の時点ｔ２までの期間）以下になるように設定することが望ましい。
【０１５０】
実施の形態１では、コンデンサＣ１０を８μＦとし、コンデンサＣ１１を０．０２μＦとする構成を説明したが、維持パルスの立ち上がりを急峻にし、かつピーク電流を抑える効果を得るためには、コンデンサＣ１１をコンデンサＣ１０の１０分の１以下の容量に設定することが望ましい。
【０１５１】
実施の形態１では、補助回路５３に１つの共振回路を有する構成を説明したが、これ以外の構成でも同様の動作を行うことができる。以降の実施の形態では、補助回路の他の構成例について説明する。
【０１５２】
（実施の形態２）
実施の形態２では、２つの共振回路を用いた補助回路の構成例について、実施の形態１と異なる点を中心に説明する。その他の構成、動作、および効果は、実施の形態１と同等であるので、説明を省略する。
【０１５３】
図９は、維持パルス発生回路５０１の回路図である。維持パルス発生回路５０１は、電力回収回路５１、クランプ回路５２、および補助回路５３１を有する。電力回収回路５１およびクランプ回路５２は、実施の形態１において示した電力回収回路５１およびクランプ回路５２と同様の構成であり同様の動作であるので、ここでの説明は省略する。
【０１５４】
補助回路５３１は、コンデンサＣ１１、コンデンサＣ１２、インダクタＬ１１、インダクタＬ１２、スイッチング素子Ｑ１５、スイッチング素子Ｑ１６、ダイオードＤ１３、およびダイオードＤ１４を有する。コンデンサＣ１１は、電力回収用のコンデンサＣ１０に直列に接続した電源側補助コンデンサである。コンデンサＣ１２は、電力回収用のコンデンサＣ１０に直列に接続した基準電位側補助コンデンサである。インダクタＬ１１は、コンデンサＣ１１とのＬＣ共振に用い、電源ＶＳ２からコンデンサＣ１１へ電力を充電するときに使用する補助インダクタである。インダクタＬ１２は、コンデンサＣ１２とのＬＣ共振に用い、コンデンサＣ１２から基準電位にある接地端子ＧＮＤ２へ電力を放出するときに使用する補助インダクタである。スイッチング素子Ｑ１５は、コンデンサＣ１１の電位ＶＡを上昇させるときに導通させる電源側補助スイッチである。スイッチング素子Ｑ１６は、コンデンサＣ１２のＣ点における電位ＶＣを下降させるとき導通させる基準電位側補助スイッチである。ダイオードＤ１３は、維持パルスの立ち上がり時に、コンデンサＣ１１からインダクタＬ１０へ順方向に流れる電流の逆流を防止するダイオードである。ダイオードＤ１４は、維持パルスの立ち下がり時に、インダクタＬ１０からコンデンサＣ１２へ順方向に流れる電流の逆流を防止するダイオードである。
【０１５５】
そして、コンデンサＣ１１の一方の端子をコンデンサＣ１０の一方の端子（すなわちＢ点）に、コンデンサＣ１１の他方の端子（すなわちＡ点）をインダクタＬ１１の一方の端子にそれぞれ接続する。また、コンデンサＣ１２の一方の端子をコンデンサＣ１０とコンデンサＣ１１との電気的な接続点に、コンデンサＣ１２の他方の端子（すなわちＣ点）をインダクタＬ１２の一方の端子にそれぞれ接続する。また、スイッチング素子Ｑ１５の一方の端子をインダクタＬ１１の他方の端子に接続し、スイッチング素子Ｑ１５の他方の端子を電源ＶＳ２に接続して電位Ｖｓにする。また、スイッチング素子Ｑ１６の一方の端子をインダクタＬ１２の他方の端子に接続し、スイッチング素子Ｑ１６の他方の端子を接地端子ＧＮＤ２に接続して基準電位である接地電位にする。また、ダイオードＤ１３のアノードをコンデンサＣ１１とインダクタＬ１１との電気的な接続点に、ダイオードＤ１３のカソードをスイッチング素子Ｑ１１とダイオードＤ１１との電気的な接続点にそれぞれ接続する。また、ダイオードＤ１４のカソードをコンデンサＣ１２とインダクタＬ１２との電気的な接続点に、ダイオードＤ１４のアノードをスイッチング素子Ｑ１２とダイオードＤ１２との電気的な接続点にそれぞれ接続する。このようにして補助回路５３１を構成する。
【０１５６】
ここで、コンデンサＣ１１、インダクタＬ１１、コンデンサＣ１２、およびインダクタＬ１２は、補助蓄積回路を構成する。スイッチング素子Ｑ１５は、導通時に補助蓄積回路を電位Ｖｓに設定し、スイッチング素子Ｑ１６は、導通時に補助蓄積回路を基準電位に設定する。補助蓄積回路は、２つの副補助蓄積回路を含む。コンデンサＣ１１およびインダクタＬ１１は、副補助蓄積回路を構成し、コンデンサＣ１２およびインダクタＬ１２は、別の副補助蓄積回路を構成する。スイッチング素子Ｑ１５は、導通時に、コンデンサＣ１１およびインダクタＬ１１を含む副補助蓄積回路を電位Ｖｓに設定する。スイッチング素子Ｑ１６は、導通時に、コンデンサＣ１２およびインダクタＬ１２を含む別の副補助蓄積回路を基準電位に設定する。コンデンサＣ１１およびコンデンサＣ１２は、補助容量部（すなわち、補助蓄積部の一例）を構成する。各コンデンサＣ１１、Ｃ１２は、副補助容量部とも呼ばれる。インダクタＬ１１およびインダクタＬ１２は、補助誘導部を構成する。各インダクタＬ１１、Ｌ１２は、副補助誘導部とも呼ばれる。
【０１５７】
そして、コンデンサＣ１０から走査電極ＳＣ１〜ＳＣｎに電力を供給して維持パルス波形を立ち上げる直前、すなわちスイッチング素子Ｑ１１を導通させる直前に、スイッチング素子Ｑ１５を導通させてコンデンサＣ１１とインダクタＬ１１とをＬＣ共振させ、ＶＳ２から、スイッチング素子Ｑ１５およびインダクタＬ１１を通して、コンデンサＣ１１に電力を充電し、コンデンサＣ１１の電位ＶＡを、コンデンサＣ１０の電位ＶＢ（＝Ｖｓ／２）よりも電圧Ｖｓだけ高い電位３Ｖｓ／２にする。
【０１５８】
また、走査電極ＳＣ１〜ＳＣｎからコンデンサＣ１０に電力を回収して維持パルス波形を立ち下げる直前、すなわちスイッチング素子Ｑ１２を導通させる直前に、スイッチング素子Ｑ１６を導通させてコンデンサＣ１１とインダクタＬ１１とをＬＣ共振させ、コンデンサＣ１１の電力を、インダクタＬ１１およびスイッチング素子Ｑ１６を通して、基準電位にある接地端子ＧＮＤ２へ放出し、コンデンサＣ１１の電位ＶＡを、コンデンサＣ１０の電位ＶＢ（＝Ｖｓ／２）よりも電圧Ｖｓだけ低い電位、すなわち−Ｖｓ／２にする。
【０１５９】
このような構成であっても、実施の形態１と同様に、維持パルスの立ち上がり時および立ち下がり時のパルスエッジにおいて、補助回路５３１を用いることにより、回収インダクタ（電力回収回路５１ではインダクタＬ１０）に流れる電流ＪＬ１０の大きさを急峻に増加させている。その結果、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。これにより、高精細化パネルに対しても、クランプ期間の確保により安定して維持放電を発生させるとともに、ピーク電流の低減により消費電力およびＥＭＩを低減することが可能となる。
【０１６０】
さらに、実施の形態２では、補助コンデンサを、回収コンデンサよりも高い電位にするときに用いる電源側補助コンデンサ（図９では、コンデンサＣ１１）と、回収コンデンサよりも低い電位にするときに用いる基準電位側補助コンデンサ（図９では、コンデンサＣ１２）とに分けた構成としている。このため、電源側補助コンデンサと基準電位側補助コンデンサとを互いに異なる容量に設定することで、維持パルスの立ち上がりにおける電流制御と立ち下がりにおける電流制御とを互いに独立して設定することができる。
【０１６１】
実施の形態１では、インダクタＬ１１とコンデンサＣ１１との共振周期の２分の１がクランプ期間以下になるように設定する構成を説明した。一方、実施の形態２では、補助コンデンサをコンデンサＣ１１とコンデンサＣ１２とに分け、補助インダクタをコンデンサＣ１１用のインダクタＬ１１とコンデンサＣ１２用のインダクタＬ１２とにそれぞれ分けた構成としている。このため、補助コンデンサと補助インダクタとの共振周期をさらに長く設定することができ、共振周期に依存して変化するピーク電流をさらに抑えることができる。ここでピーク電流は、電源ＶＳ２からインダクタＬ１１を介してコンデンサＣ１１へ流れる電流ＪＬ１１の最大値、およびコンデンサＣ１２からインダクタＬ１２を介して接地端子ＧＮＤ２へ流れる電流ＪＬ１２の最大値である。具体的には、維持パルスの周波数を１００ｋＨｚ（すなわち、維持パルスの周期が１０μｓｅｃ）とし、維持パルスの立ち上がりおよび立ち下がりにかける期間をそれぞれ１μｓｅｃとする。この場合、例えばコンデンサＣ１１に充電する期間には、最大で、維持パルスの立ち上がりにかける期間（図７では、期間Ｔ２）を除く期間である９μｓｅｃをかけることができる。したがって、コンデンサＣ１１とインダクタＬ１１との共振周期を最大で１８μｓｅｃに設定することができる。同様に、コンデンサＣ１２に充電する期間には、最大で、維持パルスの立ち下がりにかける期間（図７では、期間Ｔ５）を除く期間をかけることができ、コンデンサＣ１２とインダクタＬ１２との共振周期の最大値もその期間に応じた数値に設定することができる。
【０１６２】
図１０は、実施の形態２の変形例における維持パルス発生回路５０１Ａの回路図である。図１０の維持パルス発生回路５０１Ａは、図９の維持パルス発生回路５０１と比較して、コンデンサＣ１１およびコンデンサＣ１２に、各々インダクタＬ１３およびインダクタＬ１４が直列に接続され、その結果、補助回路５３１が補助回路５３１Ａに変更されていることのみ異なるので、その違いのみを説明する。図１１は、維持パルス発生回路５０１Ａの動作を説明するためのタイミングチャートである。また、図１２は、図１１に示したタイミングチャートの期間Ｔ１、期間Ｔ２を拡大して示した拡大図である。図１２において、走査電極ＳＣ１〜ＳＣｎの電位Ｓ４３、コンデンサＣ１１の電位ＶＡ、インダクタＬ１１の電流ＪＬ１１、インダクタＬ１３の電流ＪＬ１３、およびインダクタＬ１０の電流ＪＬ１０の破線は、スイッチング素子Ｑ１５の１回目のオン動作に起因する波形、実線は２回目以降のオン動作に起因する波形を示す。１回目のオン動作に起因する波形には、括弧内の期間Ｔ１、Ｔ２、Ｔ３、および括弧内の時点ｔ１、ｔ２、ｔ２１、ｔ２２、ｔ３が関係する。一方、２回目以降のオン動作に起因する波形には、期間Ｔ１Ａ、Ｔ２Ａ、Ｔ３Ａ、および時点ｔ１Ａ、ｔ２Ａ、ｔ２１Ａ、ｔ２２Ａ、ｔ３Ａが関係する。
【０１６３】
図１０に示すように、補助回路５３１Ａは、コンデンサＣ１１、コンデンサＣ１２、インダクタＬ１３、インダクタＬ１４、インダクタＬ１１、インダクタＬ１２、スイッチング素子Ｑ１５、スイッチング素子Ｑ１６、ダイオードＤ１３、およびダイオードＤ１４を有する。インダクタＬ１３の一方の端子をコンデンサＣ１１の一方の端子に、インダクタＬ１３の他方の端子をコンデンサＣ１０の一方の端子（すなわちＢ点）にそれぞれ接続する。またインダクタＬ１４の一方の端子をコンデンサＣ１２の一方の端子に、インダクタＬ１４の他方の端子をコンデンサＣ１０の一方の端子（すなわちＢ点）にそれぞれ接続する。
【０１６４】
図８において上述したように、スイッチング素子Ｑ１５の１回目のオン動作によりインダクタＬ１１とコンデンサＣ１１とをＬＣ共振させ、コンデンサＣ１１の電位ＶＡを３Ｖｓ／２にする。次にスイッチング素子Ｑ１１をオンすることにより、コンデンサＣ１１から、ダイオードＤ１３、スイッチング素子Ｑ１１、およびインダクタＬ１０を通して、走査電極ＳＣ１〜ＳＣｎへ補助電流が流れる。
【０１６５】
コンデンサＣ１１の電荷がなくなりコンデンサＣ１１の電圧が０Ｖとなると（図１２の時点ｔ２１）、インダクタＬ１３に流れていた電流ＪＬ１３により、コンデンサＣ１１は逆方向に逆方向電圧ＶＣ１１まで充電される。インダクタＬ１３の電流ＪＬ１３が０Ａになり（図１２の時点ｔ２２）、コンデンサＣ１１の逆方向への充電は終了する。その後は走査電極ＳＣ１〜ＳＣｎには、コンデンサＣ１０から、ダイオードＤ１１、スイッチング素子Ｑ１１、およびインダクタＬ１０を通して、走査電極ＳＣ１〜ＳＣｎへ主電流が流れる。コンデンサＣ１１の逆方向電圧ＶＣ１１は、ダイオードＤ１３により放電が阻止され充電されたままになる。このときコンデンサＣ１１の電位ＶＡは、図１１に示すように時点ｔ１Ａまで、Ｖｓ／２−ＶＣ１１となる。
【０１６６】
スイッチング素子Ｑ１５の２回目のオン動作により、インダクタＬ１１とコンデンサＣ１１とインダクタＬ１３とを共振させ、コンデンサＣ１１を充電する。このとき充電される共振電圧は２（Ｖｓ／２＋ＶＣ１１）となり、コンデンサＣ１１の電位ＶＡは時点ｔ２Ａにおいて３Ｖｓ／２＋ＶＣ１１となる。したがって維持パルスの立ち上がり時のパルスエッジにおいて、インダクタＬ１０に流れる電流ＪＬ１０の大きさをさらに急峻に増加させている。そのため維持パルスの立ち上がり時に走査電極ＳＣ１〜ＳＣｎに供給される電力が増加し、維持パルスの立ち上がりは１回目の立ち上がりに比較してＴ２Ａ１だけ早くなる。時点ｔ２２Ａ以降の動作は、スイッチング素子Ｑ１５の１回目における時点ｔ２２以降の動作と同様である。説明は省略するが、維持パルスの立ち下がりもインダクタＬ１４の動作により同様に早くなる。
【０１６７】
このように、図１０に示した維持パルス発生回路５０１Ａでは、図９に示した維持パルス発生回路５０１の場合よりも維持パルスの立ち上がり、立ち下がりがさらに早くなる。
【０１６８】
（実施の形態３）
実施の形態３では、実施の形態１と異なる点を中心に説明する。その他の構成、動作、および効果は、実施の形態１と同等であるので、説明を省略する。
【０１６９】
図１３は、維持パルス発生回路５０２の回路図である。維持パルス発生回路５０２は、電力回収回路５１、クランプ回路５２、および補助回路５３２を有する。電力回収回路５１およびクランプ回路５２は、実施の形態１において示した電力回収回路５１、クランプ回路５２と同様の構成であり同様の動作であるので、ここでの説明は省略する。
【０１７０】
補助回路５３２は、コンデンサＣ１１、スイッチング素子Ｑ１９、インダクタＬ１１、スイッチング素子Ｑ１５、スイッチング素子Ｑ１６、スイッチング素子Ｑ１７、スイッチング素子Ｑ１８、ダイオードＤ１３、およびダイオードＤ１４を有する。コンデンサＣ１１は、電力回収用のコンデンサＣ１０に直列に接続した補助コンデンサである。スイッチング素子Ｑ１９は、コンデンサＣ１０とコンデンサＣ１１との間に直列に挿入し、コンデンサＣ１１の電位ＶＡをいわゆるチャージポンプにより上昇または下降するときに導通させる。インダクタＬ１１は、コンデンサＣ１１とのＬＣ共振に用いる補助インダクタである。スイッチング素子Ｑ１５は、ＬＣ共振によってコンデンサＣ１１の電位ＶＡを上昇させるときに導通させる電源側補助スイッチである。スイッチング素子Ｑ１６は、ＬＣ共振によってコンデンサＣ１１の電位ＶＡを下降させるときに導通させる基準電位側補助スイッチであるスイッチング素子Ｑ１７は、コンデンサＣ１１を電源ＶＳ２の電位（ここでは、電位Ｖｓ）にチャージポンプするときに導通させる。スイッチング素子Ｑ１８は、コンデンサＣ１１を基準電位（ここでは、接地電位）にチャージポンプするときに導通させる。ダイオードＤ１３は、維持パルスの立ち上がり時に、コンデンサＣ１１からインダクタＬ１０へ順方向に流れる電流の逆流を防止するダイオードである。ダイオードＤ１４は、維持パルスの立ち下がり時に、インダクタＬ１０からコンデンサＣ１１へ順方向に流れる電流の逆流を防止するダイオードである。
【０１７１】
そして、スイッチング素子Ｑ１９の一方の端子をコンデンサＣ１０の一方の端子（すなわちＢ点）に、スイッチング素子Ｑ１９の他方の端子をコンデンサＣ１１の一方の端子にそれぞれ接続する。また、コンデンサＣ１１の他方の端子（すなわちＡ点）はインダクタＬ１１の一方の端子に接続する。また、スイッチング素子Ｑ１５の一方の端子をインダクタＬ１１の他方の端子に接続し、スイッチング素子Ｑ１５の他方の端子をＶＳ２に接続して電位Ｖｓにする。また、スイッチング素子Ｑ１６の一方の端子をインダクタＬ１１とスイッチング素子Ｑ１５との電気的な接続点に接続し、スイッチング素子Ｑ１６の他方の端子を接地端子ＧＮＤ２に接続して基準電位である接地電位にする。また、スイッチング素子Ｑ１７の一方の端子をコンデンサＣ１１とスイッチング素子Ｑ１９との電気的な接続点に接続し、スイッチング素子Ｑ１７の他方の端子を電源ＶＳ２に接続して電位Ｖｓにする。また、スイッチング素子Ｑ１８の一方の端子をコンデンサＣ１１とスイッチング素子Ｑ１９とスイッチング素子Ｑ１７との電気的な接続点に接続し、スイッチング素子Ｑ１８の他方の端子を接地端子ＧＮＤ２に接続して基準電位である接地電位にする。また、ダイオードＤ１３のアノードをコンデンサＣ１１とインダクタＬ１１との電気的な接続点に、カソードをスイッチング素子Ｑ１１とダイオードＤ１１との電気的な接続点にそれぞれ接続する。また、ダイオードＤ１４のカソードをコンデンサＣ１１とインダクタＬ１１との電気的な接続点に、アノードをスイッチング素子Ｑ１２とダイオードＤ１２との電気的な接続点にそれぞれ接続する。このようにして補助回路５３２を構成する。
【０１７２】
各スイッチング素子Ｑ１７、Ｑ１８、Ｑ１９は、単にスイッチとも呼ばれる。
【０１７３】
図１４は、維持パルス発生回路５０２の動作を説明するためのタイミングチャートである。図１４にはスイッチング素子Ｑ１１、スイッチング素子Ｑ１２、スイッチング素子Ｑ１３、およびスイッチング素子Ｑ１４の動作を示していないが、これらのスイッチング素子の動作は図７において説明した動作と同様であるものとする。
【０１７４】
（期間Ｔ１）
図１４に示すように、コンデンサＣ１０から走査電極ＳＣ１〜ＳＣｎに電力を供給する直前、すなわちスイッチング素子Ｑ１１をオンさせる前の時点ｔ１で、スイッチング素子Ｑ１９をオフにするとともにスイッチング素子Ｑ１８をオンにする。これにより、コンデンサＣ１１の電位ＶＡは一旦基準電位である接地電位に維持される。
【０１７５】
また、時点ｔ１でスイッチング素子Ｑ１５をオンにする。すると、電源ＶＳ２から、スイッチング素子Ｑ１５およびインダクタＬ１１を通して、コンデンサＣ１１に電流ＪＬ１１が流れ、コンデンサＣ１１の電位ＶＡ（図面に示すＡ点の電位）が上昇し始める。コンデンサＣ１１はスイッチング素子Ｑ１８によって接地電位に維持されているので、コンデンサＣ１１とインダクタＬ１１とのＬＣ共振により、共振周期の２分の１の時間が経過した後の時点ｔ２においてコンデンサＣ１１の電位ＶＡは電圧Ｖｓの２倍の２Ｖｓ付近まで上昇する。
【０１７６】
（期間Ｔ２）
次に、時点ｔ２で、スイッチング素子Ｑ１５およびスイッチング素子Ｑ１８をオフにするとともにスイッチング素子Ｑ１９をオンにする。これにより、コンデンサＣ１１とコンデンサＣ１０とは電気的に接続され、コンデンサＣ１１の電位ＶＡは、コンデンサＣ１１両端の電圧２Ｖｓに、コンデンサＣ１０の電位Ｖｓ／２が加算、すなわちチャージポンプされて５Ｖｓ／２となる。
【０１７７】
また、期間Ｔ２では、図７において説明した動作と同様に、ＬＣ共振によってコンデンサＣ１０から走査電極ＳＣ１〜ＳＣｎに電力が供給される。そして、Ａ点が電位５Ｖｓ／２になるように充電されたコンデンサＣ１１から走査電極ＳＣ１〜ＳＣｎへと電流が流れることで、走査電極ＳＣ１〜ＳＣｎへ流れる電流ＪＬ１０の立ち上がりは、補助回路５３２を用いない場合と比較して、急峻になる。また、実施の形態３では、コンデンサＣ１１の電位ＶＡを実施の形態１の場合よりもさらに電圧Ｖｓだけ高くできるので、走査電極ＳＣ１〜ＳＣｎへ流れる電流ＪＬ１０の立ち上がりを、実施の形態１よりもさらに急峻にできる。
【０１７８】
実施の形態３において、コンデンサＣ１１の容量は、実施の形態１と同様にコンデンサＣ１０と比較して十分に小さい値とし、ここでは、コンデンサＣ１０を８μＦ、コンデンサＣ１１を０．０２μＦとする。
【０１７９】
（期間Ｔ３）
期間Ｔ３における動作は、図７において説明した動作と同様であるため、ここでの説明は省略する。
【０１８０】
（期間Ｔ４）
次に、走査電極ＳＣ１〜ＳＣｎからコンデンサＣ１０に電力を回収する直前、すなわちスイッチング素子Ｑ１２をオンさせる前の時点ｔ４で、スイッチング素子Ｑ１９をオフにするとともにスイッチング素子Ｑ１７をオンにする。これにより、コンデンサＣ１１の電位ＶＡは一旦電源ＶＳ２の電位Ｖｓに維持される。
【０１８１】
また、時点ｔ４でスイッチング素子Ｑ１６をオンにする。すると、コンデンサＣ１１から、インダクタＬ１１およびスイッチング素子Ｑ１６を通して、基準電位にある接地端子ＧＮＤ２に電流ＪＬ１１が流れ、コンデンサＣ１１の電位ＶＡ（図面に示すＡ点の電位）が下降し始める。コンデンサＣ１１のスイッチング素子Ｑ１７側の端子は、スイッチング素子Ｑ１７によって電位Ｖｓに維持されている。このため、コンデンサＣ１１とインダクタＬ１１とのＬＣ共振により、共振周期の２分の１の時間が経過した後の時点ｔ５においてコンデンサＣ１１の電位ＶＡは−Ｖｓ付近まで下降する。
【０１８２】
（期間Ｔ５）
次に、時点ｔ５で、スイッチング素子Ｑ１６およびスイッチング素子Ｑ１７をオフにするとともにスイッチング素子Ｑ１９をオンにする。これにより、コンデンサＣ１１とコンデンサＣ１０とは電気的に接続され、コンデンサＣ１１の電位ＶＡは、コンデンサＣ１１両端の電圧−２Ｖｓに、コンデンサＣ１０の電位Ｖｓ／２が加算、すなわちチャージポンプされて−３Ｖｓ／２となる。
【０１８３】
また、期間Ｔ５では、図７において説明した動作と同様に、ＬＣ共振によって走査電極ＳＣ１〜ＳＣｎからコンデンサＣ１０に電力が回収される。そして、走査電極ＳＣ１〜ＳＣｎから、Ａ点が電位−３Ｖｓ／２になるように充電されたコンデンサＣ１１へと電流が流れることで、走査電極ＳＣ１〜ＳＣｎへ流れる電流ＪＬ１０の立ち下がりは、補助回路５３２を用いない場合と比較して、急峻になる。また、実施の形態３では、コンデンサＣ１１の電位ＶＡを実施の形態１の場合よりもさらに電圧Ｖｓだけ低くできるので、走査電極ＳＣ１〜ＳＣｎから流れる電流ＪＬ１０の立ち下がりを、実施の形態１よりもさらに急峻にできる。
【０１８４】
（期間Ｔ６）
期間Ｔ６における動作は、図７において説明した動作と同様であるため、ここでの説明は省略する。
【０１８５】
以上、説明したように、実施の形態３では、実施の形態１の構成に加え、さらにスイッチング素子Ｑ１７、スイッチング素子Ｑ１８、およびスイッチング素子Ｑ１９を設けてコンデンサＣ１１の電位ＶＡをチャージポンプする構成としている。このため、コンデンサＣ１１の電位ＶＡを、コンデンサＣ１０から走査電極ＳＣ１〜ＳＣｎに電力を供給する直前においては実施の形態１よりも高くすることができ、走査電極ＳＣ１〜ＳＣｎからコンデンサＣ１０に電力を回収する直前においては実施の形態１よりも低くすることができる。これにより、電力回収回路の動作開始直後において、電力回収回路と電極間容量Ｃｐとの間に流れる電流を一時的に増加させることができ、さらにこの増加量を、実施の形態１よりもさらに増加させることが可能となる。
【０１８６】
スイッチング素子Ｑ１７、スイッチング素子Ｑ１８、およびスイッチング素子Ｑ１９を含む構成は、チャージポンプ回路と呼ばれる。チャージポンプ回路は、コンデンサＣ１１の一端（コンデンサＣ１１とスイッチング素子Ｑ１９の接続点）の電位を切換えることにより、電位ＶＡをチャージポンプする。
【０１８７】
（実施の形態４）
実施の形態４では、実施の形態１と異なる点を中心に説明する。その他の構成、動作、および効果は、実施の形態１と同等であるので、説明を省略する。
【０１８８】
図１５は、維持パルス発生回路５０３の回路図である。維持パルス発生回路５０３は、電力回収回路５１、クランプ回路５２、および補助回路５３３を有する。電力回収回路５１、クランプ回路５２は、実施の形態１において示した電力回収回路５１、クランプ回路５２と同様の構成であり同様の動作であるので、ここでの説明は省略する。
【０１８９】
補助回路５３３は、コンデンサＣ１１、コンデンサＣ１３、インダクタＬ１１、インダクタＬ１５、スイッチング素子Ｑ１５、スイッチング素子Ｑ１６、スイッチング素子Ｑ２０、スイッチング素子Ｑ２１、ダイオードＤ１３、およびダイオードＤ１４を有する。コンデンサＣ１１およびコンデンサＣ１３は、電力回収用のコンデンサＣ１０に直列に接続した補助コンデンサである。インダクタＬ１１は、コンデンサＣ１１とのＬＣ共振に用いる補助インダクタである。インダクタＬ１５は、コンデンサＣ１３とのＬＣ共振に用いる補助インダクタである。スイッチング素子Ｑ１５は、ＬＣ共振によってコンデンサＣ１１の電位ＶＡを上昇させるときに導通させる電源側補助スイッチである。スイッチング素子Ｑ１６は、ＬＣ共振によってコンデンサＣ１１の電位ＶＡを下降させるときに導通させる基準電位側補助スイッチである。スイッチング素子Ｑ２０は、ＬＣ共振によってコンデンサＣ１３のＤ点における電位ＶＤを上昇させるときに導通させる電源側補助スイッチである。スイッチング素子Ｑ２１は、ＬＣ共振によってコンデンサＣ１３の電位ＶＤを下降させるときに導通させる基準電位側補助スイッチである。ダイオードＤ１３は、維持パルスの立ち上がり時に、コンデンサＣ１１からインダクタＬ１０へ順方向に流れる電流の逆流を防止するダイオードである。ダイオードＤ１４は、維持パルスの立ち下がり時に、インダクタＬ１０からコンデンサＣ１１へ順方向に流れる電流の逆流を防止するダイオードである。
【０１９０】
そして、コンデンサＣ１１とコンデンサＣ１３とコンデンサＣ１０とが直列の接続になるように、コンデンサＣ１３の一方の端子をコンデンサＣ１０の一方の端子（すなわちＢ点）に、コンデンサＣ１３の他方の端子（すなわちＤ点）をコンデンサＣ１１の一方の端子にそれぞれ接続する。また、コンデンサＣ１１の他方の端子（すなわちＡ点）をインダクタＬ１１の一方の端子に、コンデンサＣ１１とコンデンサＣ１３との電気的な接続点をインダクタＬ１５の一方の端子にそれぞれ接続する。また、スイッチング素子Ｑ１５の一方の端子をインダクタＬ１１の他方の端子に接続し、スイッチング素子Ｑ１５の他方の端子を電源ＶＳ２に接続して電位Ｖｓにする。また、スイッチング素子Ｑ２０の一方の端子をインダクタＬ１５の他方の端子に接続し、スイッチング素子Ｑ２０の他方の端子を電源ＶＳ２に接続して電位Ｖｓにする。また、スイッチング素子Ｑ１６の一方の端子をインダクタＬ１１とスイッチング素子Ｑ１５との電気的な接続点に接続し、スイッチング素子Ｑ１６の他方の端子を接地端子ＧＮＤ２に接続して基準電位である接地電位にする。また、スイッチング素子Ｑ２１の一方の端子をインダクタＬ１５とスイッチング素子Ｑ２０との電気的な接続点に接続し、スイッチング素子Ｑ２１の他方の端子を接地端子ＧＮＤ２に接続して基準電位である接地電位にする。また、ダイオードＤ１３のアノードをコンデンサＣ１１とインダクタＬ１１との電気的な接続点に、ダイオードＤ１３のカソードをスイッチング素子Ｑ１１とダイオードＤ１１との電気的な接続点にそれぞれ接続する。また、ダイオードＤ１４のカソードをコンデンサＣ１１とインダクタＬ１１との電気的な接続点に、ダイオードＤ１４のアノードをスイッチング素子Ｑ１２とダイオードＤ１２との電気的な接続点にそれぞれ接続する。このようにして補助回路５３３を構成する。
【０１９１】
実施の形態４では、コンデンサＣ１１およびコンデンサＣ１３の容量をコンデンサＣ１０と比較して十分に小さい値に設定し、かつコンデンサＣ１１の容量をコンデンサＣ１３よりも小さい値に設定している。具体的な一例としては、コンデンサＣ１１とコンデンサＣ１３との容量比を１：３に設定する。例えば、コンデンサＣ１１を０．０１μＦ、コンデンサＣ１３を０．０３μＦとし、コンデンサＣ１０をそれらと比較して十分に大きい８μＦとする。
【０１９２】
また、インダクタＬ１５を用いてＬＣ共振を発生させる期間ではスイッチング素子Ｑ１５、Ｑ１６をオフにするため、インダクタＬ１５とのＬＣ共振の対象となる容量は、実際はコンデンサＣ１３とコンデンサＣ１０との合成容量になる。しかし、ここでは、コンデンサＣ１３の容量をコンデンサＣ１０よりも十分に小さい値に設定しているため、コンデンサＣ１３とコンデンサＣ１０との合成容量は、実質的にコンデンサＣ１３の容量に等しいものとみなすことができる。また、インダクタＬ１１とのＬＣ共振の対象となる容量は、コンデンサＣ１１とコンデンサＣ１３とコンデンサＣ１０との合成容量になる。しかし、上述したようにコンデンサＣ１１とコンデンサＣ１３との合成容量がコンデンサＣ１０の容量と比較して十分に小さい値になるので、コンデンサＣ１１とコンデンサＣ１３とコンデンサＣ１０との合成容量は、実質的にコンデンサＣ１１とコンデンサＣ１３との合成容量に等しいものとみなすことができる。インダクタＬ１１およびインダクタＬ１５のインダクタンスは、これらのことを考慮して決定することが望ましい。また、ここに示した各数値は単なる一例に過ぎず、パネルの特性やプラズマディスプレイ装置の仕様等に応じて最適に設定することが望ましい。
【０１９３】
ここで、コンデンサＣ１１、インダクタＬ１１、コンデンサＣ１３、およびインダクタＬ１５は、補助蓄積回路を構成する。スイッチング素子Ｑ１５およびスイッチング素子Ｑ２０は、導通時に補助蓄積回路を電位Ｖｓに設定し、スイッチング素子Ｑ１６およびスイッチング素子Ｑ２１は、導通時に補助蓄積回路を基準電位に設定する。補助蓄積回路は、２つの副補助蓄積回路を含む。コンデンサＣ１１、コンデンサＣ１３、およびインダクタＬ１１は、副補助蓄積回路を構成し、コンデンサＣ１３およびインダクタＬ１５は、別の副補助蓄積回路を構成する。コンデンサＣ１１、コンデンサＣ１３、およびインダクタＬ１１を含む副補助蓄積回路に対して、スイッチング素子Ｑ１５は、導通時に電位Ｖｓに設定し、スイッチング素子Ｑ１６は、導通時に基準電位に設定する。コンデンサＣ１３およびインダクタＬ１５を含む別の副補助蓄積回路に対して、スイッチング素子Ｑ２０は、導通時に電位Ｖｓに設定し、スイッチング素子Ｑ２１は、導通時に基準電位に設定する。コンデンサＣ１１およびコンデンサＣ１３は、補助容量部（すなわち、補助蓄積部の一例）を構成する。各コンデンサＣ１１、Ｃ１３は、副補助容量部とも呼ばれる。インダクタＬ１１およびインダクタＬ１５は、補助誘導部を構成する。各インダクタＬ１１、Ｌ１５は、副補助誘導部とも呼ばれる。
【０１９４】
図１６は、維持パルス発生回路５０３の動作を説明するためのタイミングチャートである。図１６にはスイッチング素子Ｑ１１、スイッチング素子Ｑ１２、スイッチング素子Ｑ１３、およびスイッチング素子Ｑ１４の動作を示していないが、これらのスイッチング素子の動作は図７において説明した動作と同様であるものとする。
【０１９５】
（期間Ｔ１）
図１６に示すように、コンデンサＣ１０から走査電極ＳＣ１〜ＳＣｎに電力を供給する直前、すなわちスイッチング素子Ｑ１１をオンさせる前の時点ｔ１で、スイッチング素子Ｑ１５をオンにする。これにより、電源ＶＳ２から、スイッチング素子Ｑ１５およびインダクタＬ１１を通して、コンデンサＣ１１に電流ＪＬ１１が流れ、コンデンサＣ１１の電位ＶＡ（図面に示すＡ点の電位）が上昇し始める。コンデンサＣ１０の電位ＶＢはＶｓ／２であり、コンデンサＣ１１およびコンデンサＣ１３とインダクタＬ１１とは共振回路を構成している。このため、共振周期の２分の１の時間が経過した後の時点ｔ１１においてコンデンサＣ１１の電位ＶＡはＶｓ／２＋Ｖｓ、すわなち３Ｖｓ／２付近まで上昇する。
【０１９６】
ここでは、上述したようにコンデンサＣ１１とコンデンサＣ１３との容量比を１：３に設定しているので、コンデンサＣ１１にかかる電圧は３Ｖｓ／４となり、コンデンサＣ１３にかかる電圧はＶｓ／４となる。
【０１９７】
続いて、時点ｔ１１でスイッチング素子Ｑ１５をオフにするとともにスイッチング素子Ｑ２０をオンにする。これにより、電源ＶＳ２から、スイッチング素子Ｑ２０およびインダクタＬ１５を通して、コンデンサＣ１３に電流ＪＬ１５が流れ、コンデンサＣ１３の電位ＶＤが上昇し始める。コンデンサＣ１０の電位ＶＢはＶｓ／２であり、コンデンサＣ１３の電圧はＶｓ／４である。このため、コンデンサＣ１３とインダクタＬ１５との共振周期の２分の１の時間が経過した後の時点ｔ２において、コンデンサＣ１３の電位ＶＤはＶｓ／２＋Ｖｓ／４＋Ｖｓ／２、すわなち５Ｖｓ／４付近まで上昇する。
【０１９８】
これにより、コンデンサＣ１１の電位ＶＡ（図面に示すＡ点の電位）は、コンデンサＣ１１にかかる電圧３Ｖｓ／４に、コンデンサＣ１３の電位ＶＤ（＝５Ｖｓ／４）が加算、すなわちチャージポンプされて、３Ｖｓ／４＋５Ｖｓ／４、すなわち２Ｖｓ付近まで上昇する。
【０１９９】
（期間Ｔ２）
次に、時点ｔ２で、スイッチング素子Ｑ２０をオフにする。期間Ｔ２では、図７において説明した動作と同様に、ＬＣ共振によってコンデンサＣ１０から走査電極ＳＣ１〜ＳＣｎに電力が供給される。そして、Ａ点が電位２Ｖｓになるように充電されたコンデンサＣ１１から走査電極ＳＣ１〜ＳＣｎへと電流が流れることで、走査電極ＳＣ１〜ＳＣｎへ流れる電流ＪＬ１０の立ち上がりは、補助回路５３３を用いない場合と比較して、急峻になる。また、実施の形態４では、コンデンサＣ１１の電位ＶＡを実施の形態１の場合よりもさらに電圧Ｖｓ／２だけ高くできるので、走査電極ＳＣ１〜ＳＣｎへ流れる電流ＪＬ１０の立ち上がりを、実施の形態１よりもさらに急峻にできる。
【０２００】
（期間Ｔ３）
期間Ｔ３における動作は、図７において説明した動作と同様であるため、ここでの説明は省略する。
【０２０１】
（期間Ｔ４）
時点ｔ４でスイッチング素子Ｑ１６をオンにする。すると、コンデンサＣ１１から、インダクタＬ１１およびスイッチング素子Ｑ１６を通して、基準電位にある接地端子ＧＮＤ２に電流ＪＬ１１が流れ、コンデンサＣ１１の電位ＶＡ（図面に示すＡ点の電位）が下降し始める。コンデンサＣ１０の電位ＶＢはＶｓ／２であり、コンデンサＣ１１およびコンデンサＣ１３とインダクタＬ１１とは共振回路を構成しているので、共振周期の２分の１の時間が経過した後の時点ｔ４１においてコンデンサＣ１１の電位ＶＡはＶｓ／２−Ｖｓ、すわなち−Ｖｓ／２付近まで下降する。
【０２０２】
ここでは、上述したようにコンデンサＣ１１とコンデンサＣ１３との容量比を１：３に設定しているので、コンデンサＣ１１にかかる電圧は−３Ｖｓ／４となり、コンデンサＣ１３にかかる電圧は−Ｖｓ／４となる。
【０２０３】
続いて、時点ｔ４１でスイッチング素子Ｑ１６をオフにするとともにスイッチング素子Ｑ２１をオンにする。これにより、コンデンサＣ１３から、インダクタＬ１５およびスイッチング素子Ｑ２１を通して、基準電位にある接地端子ＧＮＤ２に電流ＪＬ１５が流れ、コンデンサＣ１３の電位ＶＤが下降し始める。コンデンサＣ１０の電位ＶＢはＶｓ／２であり、コンデンサＣ１３の電圧は−Ｖｓ／４であるので、コンデンサＣ１３とインダクタＬ１５との共振周期の２分の１の時間が経過した後の時点ｔ２において、コンデンサＣ１３の電位ＶＤはＶｓ／２−Ｖｓ／４−Ｖｓ／２、すわなち−Ｖｓ／４付近まで下降する。
【０２０４】
これにより、コンデンサＣ１１の電位ＶＡ（図面に示すＡ点の電位）は、コンデンサＣ１１にかかる電圧―３Ｖｓ／４にコンデンサＣ１３の電位ＶＤ（＝−Ｖｓ／４）が加算、すなわちチャージポンプされて、−３Ｖｓ／４−Ｖｓ／４、すなわち−Ｖｓ付近まで下降する。
【０２０５】
（期間Ｔ５）
次に、時点ｔ５で、スイッチング素子Ｑ２１をオフにする。期間Ｔ５では、図７において説明した動作と同様に、ＬＣ共振によって走査電極ＳＣ１〜ＳＣｎからコンデンサＣ１０に電力が回収される。そして、走査電極ＳＣ１〜ＳＣｎからＡ点が電位−Ｖｓになるように充電されたコンデンサＣ１１へと電流が流れることで、走査電極ＳＣ１〜ＳＣｎへ流れる電流ＪＬ１０の立ち下がりは、補助回路５３３を用いない場合と比較して、急峻になる。また、実施の形態４では、コンデンサＣ１１の電位ＶＡを実施の形態１の場合よりもさらに電圧−Ｖｓ／２だけ低くできるので、走査電極ＳＣ１〜ＳＣｎから流れる電流ＪＬ１０の立ち下がりを、実施の形態１よりもさらに急峻にできる。
【０２０６】
以上、説明したように、実施の形態４では、実施の形態１における補助コンデンサを直列に接続した複数のコンデンサ（ここでは、２つのコンデンサ）で構成する。さらに、補助コンデンサを構成する複数のコンデンサと同数の補助インダクタ、電源側補助スイッチ、および基準電位側補助スイッチを設けて、コンデンサＣ１１の電位ＶＡをチャージポンプする構成とする。その結果、コンデンサＣ１１の電位ＶＡを、コンデンサＣ１０から走査電極ＳＣ１〜ＳＣｎに電力を供給する直前においては実施の形態１よりも高くすることができ、走査電極ＳＣ１〜ＳＣｎからコンデンサＣ１０に電力を回収する直前においては実施の形態１よりも低くすることができる。これにより、電力回収回路の動作開始直後において、電力回収回路と電極間容量Ｃｐとの間に流れる電流を一時的に増加させる量を、実施の形態１よりもさらに増加させることが可能となる。
【０２０７】
この構成では、直列に接続するコンデンサの数を増やすことで、コンデンサＣ１１の電位ＶＡをさらに上昇（または下降）させることが可能である。
【０２０８】
なお、上述した実施の形態では、補助回路の電源電位として、高圧側に電源ＶＳ２の電位Ｖｓを、低圧側に基準端子ＧＮＤ２の基準電位として接地電位を用いる構成を説明したが、電位Ｖｓおよび基準電位を可変とする構成としてもよい。図１７は、別の実施の形態における補助回路の電源電位を可変した場合の波形図である。例えば、電源ＶＳ２から補助コンデンサに電力を充電する動作においては、電位Ｖｓを高めることで、実線で示すように補助コンデンサの電位ＶＡを高めることができる。逆に電位Ｖｓを低くすることで、破線や一点鎖線に示すように補助コンデンサの電位ＶＡを低くすることができる。また、図示はしないが、基準電位に関しても同様であり、可変にすることで同様の効果を得られる。
【０２０９】
したがって、例えば表示画像に応じて補助回路の電源ＶＳ２の電位Ｖｓ（および／または基準電位）を制御する構成を設けてもよい。具体的な一例としては、表示画像が明るいとき、あるいは全放電セルに対する点灯すべき放電セルの割合を表す点灯率が高いときには電位Ｖｓを高くする（基準電位を低くする）。逆に、表示画像が暗いとき、あるいは点灯率が低いときには電位Ｖｓを低くする（基準電位を高くする）。このように構成することで、画像表示品質をさらに高めることも可能である。
【０２１０】
なお、上述した実施の形態においては、例えば、補助回路の電源側補助スイッチ（スイッチング素子Ｑ１５）および基準電位側補助スイッチ（スイッチング素子Ｑ１６）の導通時間（図７における期間Ｔ１および期間Ｔ４）を可変とする構成としてもよい。図１８は、別の実施の形態における電源側補助スイッチの導通時間を可変した場合の波形図である。
【０２１１】
例えば、電源ＶＳ２から補助コンデンサに電力を充電する動作においては、電源側補助スイッチの導通時間（図１８における期間Ｔ１）を長くすることで、実線に示すように補助コンデンサの電圧を高めることができ、逆に電源側補助スイッチの導通時間（図１８における期間Ｔ１１および期間Ｔ１２）を短くすることで、破線や一点鎖線に示すように補助コンデンサの電圧を低くすることができる。また、図示はしないが、補助コンデンサから基準電位に電力を放出する動作に関しても同様であり、基準電位側補助スイッチの導通時間を可変にすることで同様の効果を得られる。
【０２１２】
したがって、例えば表示画像に応じて補助回路の電源側補助スイッチおよび基準電位側補助スイッチの導通時間を制御する構成を設けてもよい。具体的な一例としては、電源側補助スイッチおよび基準電位側補助スイッチの導通時間を、表示画像が明るいとき、あるいは点灯率が高いときには長くし、逆に、表示画像が暗いとき、あるいは点灯率が低いときには短くする。このように構成することで、画像表示品質をさらに高めることも可能である。
【０２１３】
なお、上述した実施の形態では、電力回収回路５１において、電力回収時と電力供給時とで同一のインダクタＬ１０を用いる構成を説明したが、インダクタＬ１０に代えて２つのインダクタ、すなわち、電力回収用のコンデンサＣ１０から走査電極ＳＣ１〜ＳＣｎに電力を供給するときに用いるインダクタＬ１０ａと、走査電極ＳＣ１〜ＳＣｎから電力回収用のコンデンサＣ１０に電力を回収するときに用いるインダクタＬ１０ｂとに分けて設ける構成としてもかまわない。これにより、表示電極対２４から電力を回収するときと、表示電極対２４へ電力を供給するときとで共振周期を異なる値に設定することができる。
【０２１４】
以上説明したように、本発明の実施の形態によれば、維持パルスの立ち上がり時および立ち下がり時のパルスエッジにおいて、補助回路を用いることにより、回収インダクタに流れる電流の大きさを急峻に増加させている。その結果、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。これにより、高精細化パネルに対しても、クランプ期間の確保により安定して維持放電を発生させるとともに、ピーク電流の低減により消費電力およびＥＭＩを低減することが可能となる。
【０２１５】
なお、本発明の実施の形態において示した具体的な各数値は、実験に用いた表示電極対数１０８０対の５０インチのパネルに基づき設定したものであって、単に実施の形態の一例を示したものに過ぎない。本発明はこれらの数値に何ら限定されるものではなく、パネルの特性やプラズマディスプレイ装置の仕様等に応じて最適な値に設定することが望ましい。また、これらの各数値は、上述した効果を得られる範囲でのばらつきを許容するものとする。
【０２１６】
本発明はこれらの課題に鑑みなされたものであり、高精細化されたパネルであっても、消費電力の削減およびＥＭＩの低減と安定した維持放電とを実現することが可能なプラズマディスプレイ装置およびプラズマディスプレイパネルの駆動方法に対して有用である。
【０２１７】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【０２１８】
本発明は、容量性負荷駆動装置、それを搭載するプラズマディスプレイ装置、およびプラズマディスプレイパネルの駆動方法に利用できる。
【符号の説明】
【０２１９】
１  プラズマディスプレイ装置
１０  パネル
２１  （ガラス製の）前面板
２２  走査電極
２３  維持電極
２４  表示電極対
２５、３３  誘電体層
２６  保護層
３１  背面板
３２  データ電極
３４  隔壁
３５  蛍光体層
４１  画像信号処理回路
４２  データ電極駆動回路
４３  走査電極駆動回路
４４  維持電極駆動回路
４５  タイミング発生回路
５０、６０、５０１、５０１Ａ、５０２、５０３  維持パルス発生回路
５１、６１  電力回収回路
５２、６２  クランプ回路
５３、６３、５３１、５３１Ａ、５３２、５３３  補助回路
【手続補正２】
【補正対象書類名】特許請求の範囲
【補正対象項目名】全文
【補正方法】変更
【補正の内容】
【特許請求の範囲】
【請求項１】
容量性負荷に維持パルスを印加する維持パルス発生回路を備えた容量性負荷駆動装置であって、
前記維持パルス発生回路は、
第１ＬＣ共振用の回収インダクタと電力回収用の回収コンデンサとを有し、前記容量性負荷と前記回収インダクタとの前記第１ＬＣ共振によって、前記維持パルスの立ち下がり時に前記容量性負荷に蓄積された電力を前記回収コンデンサに回収し、前記維持パルスの立ち上がり時にその回収した電力を前記容量性負荷に供給し再利用する電力回収回路と、
前記容量性負荷を電源電位および接地電位にクランプするクランプ回路と、
前記回収コンデンサに直列に接続した補助コンデンサであって前記回収コンデンサよりも小さい容量の補助コンデンサ、および第２ＬＣ共振用の補助インダクタを有する補助回路とを備え、
前記補助回路は、前記補助コンデンサと前記補助インダクタとの前記第２ＬＣ共振によって前記補助コンデンサを充電することにより、前記補助コンデンサの電位を、前記維持パルスの立ち上がりの開始直前には前記回収コンデンサよりも高い電位にし、前記維持パルスの立ち下がりの開始直前には前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とする容量性負荷駆動装置。
【請求項２】
表示電極対を構成する複数の走査電極および維持電極を有するプラズマディスプレイパネルの前記表示電極対に、初期化期間、書込み期間および維持期間を有するサブフィールドの前記維持期間において維持パルスを交互に印加する維持パルス発生回路を備えたプラズマディスプレイ装置であって、
前記維持パルス発生回路は、
第１ＬＣ共振用の回収インダクタと電力回収用の回収コンデンサとを有し、前記電極間容量と前記回収インダクタとの前記第１ＬＣ共振によって、前記維持パルスの立ち下がり時に前記表示電極対の電極間容量に蓄積された電力を前記回収コンデンサに回収し、前記維持パルスの立ち上がり時にその回収した電力を前記表示電極対に供給し再利用する電力回収回路と、
前記表示電極対を電源電位および接地電位にクランプするクランプ回路と、
前記回収コンデンサに直列に接続した補助コンデンサであって前記回収コンデンサよりも小さい容量の補助コンデンサ、および第２ＬＣ共振用の補助インダクタを有する補助回路とを備え、
前記補助回路は、前記補助コンデンサと前記補助インダクタとの前記第２ＬＣ共振によって前記補助コンデンサを充電することにより、前記補助コンデンサの電位を、前記維持パルスの立ち上がりの開始直前には前記回収コンデンサよりも高い電位にし、前記維持パルスの立ち下がりの開始直前には前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とするプラズマディスプレイ装置。
【請求項３】
前記補助回路は、
一方の端子が電源電位に他方の端子が前記補助インダクタにそれぞれ電気的に接続され前記補助コンデンサの電位を上昇させるときに導通させる電源側補助スイッチと、
一方の端子が基準電位に他方の端子が前記補助インダクタにそれぞれ電気的に接続され前記補助コンデンサの電位を降下させるときに導通させる基準電位側補助スイッチと、
前記維持パルスの立ち上がり時に前記補助コンデンサから前記回収インダクタへ順方向に流れる電流の逆流を防止する第１のダイオードと、
前記維持パルスの立ち下がり時に前記回収インダクタから前記補助コンデンサへ順方向に流れる電流の逆流を防止する第２のダイオードとを有することを特徴とする請求項２に記載のプラズマディスプレイ装置。
【請求項４】
前記補助回路は、前記補助コンデンサの容量を、前記回収コンデンサの１０分の１以下の容量に設定したことを特徴とする請求項２に記載のプラズマディスプレイ装置。
【請求項５】
前記補助回路は、前記補助コンデンサと前記補助インダクタとの共振周期の２分の１が、前記維持パルスの発生時に前記表示電極対を電源電位にクランプする期間以下でかつ前記表示電極対を接地電位にクランプする期間以下になるように、前記補助コンデンサの容量および前記補助インダクタのインダクタンスを設定したことを特徴とする請求項２に記載のプラズマディスプレイ装置。
【請求項６】
前記補助回路は、
前記補助インダクタを、電源電位側から前記補助コンデンサへ電流を流すときに用いる第１の補助インダクタと、前記補助コンデンサから基準電位側へ電流を流すときに用いる第２の補助インダクタとに分けて構成し、
前記電源側補助スイッチの他方の端子を前記第１の補助インダクタに電気的に接続するとともに、前記基準電位側補助スイッチの他方の端子を前記第２の補助インダクタに電気的に接続して構成したことを特徴とする請求項３に記載のプラズマディスプレイ装置。
【請求項７】
前記補助回路は、
前記補助コンデンサを、前記回収コンデンサよりも高い電位にするときに用いる電源側補助コンデンサと、前記回収コンデンサよりも低い電位にするときに用いる基準電位側補助コンデンサとに分けて構成し、
前記第１の補助インダクタを前記電源側補助コンデンサとのＬＣ共振に用い、前記第２の補助インダクタを前記基準電位側補助コンデンサとのＬＣ共振に用いる構成としたことを特徴とする請求項６に記載のプラズマディスプレイ装置。
【請求項８】
前記補助回路は、
前記第１の補助インダクタとは別に第３の補助インダクタを前記電源側補助コンデンサに直列に接続し、
前記第２の補助インダクタとは別に第４の補助インダクタを前記基準電位側補助コンデンサに直列に接続したことを特徴とする請求項７に記載のプラズマディスプレイ装置。
【請求項９】
前記補助回路は、前記補助コンデンサをチャージポンプするために、前記回収コンデンサと前記補助コンデンサとの間に直列に挿入されたスイッチング素子と、電源電位と基準電位との間に直列に設けられ電気的な接続点が前記補助コンデンサに電気的に接続された２つのスイッチング素子とを有することを特徴とする請求項２に記載のプラズマディスプレイ装置。
【請求項１０】
前記補助回路は、複数のコンデンサを直列に接続して前記補助コンデンサを構成するとともに、前記補助コンデンサを構成する複数のコンデンサと同数の前記補助インダクタおよび前記電源側補助スイッチおよび前記基準電位側補助スイッチを有することを特徴とする請求項２に記載のプラズマディスプレイ装置。
【請求項１１】
前記補助回路は、前記補助回路に用いる電源電位および基準電位を表示画像に応じて可変することを特徴とする請求項２に記載のプラズマディスプレイ装置。
【請求項１２】
前記補助回路は、前記電源側補助スイッチおよび前記基準電位側補助スイッチの導通時間を表示画像に応じて可変することを特徴とする請求項３に記載のプラズマディスプレイ装置。
【請求項１３】
表示電極対を構成する複数の走査電極および維持電極を有するプラズマディスプレイパネルを、
第１ＬＣ共振用の回収インダクタと電力回収用の回収コンデンサとを有し、前記電極間容量と前記回収インダクタとの前記第１ＬＣ共振によって、前記維持パルスの立ち下がり時に前記表示電極対の電極間容量に蓄積された電力を前記回収コンデンサに回収し、前記維持パルスの立ち上がり時にその回収した電力を前記表示電極対に供給し再利用する電力回収回路と、前記表示電極対を電源電位および接地電位にクランプするクランプ回路と、前記回収コンデンサに直列に接続した補助コンデンサであって前記回収コンデンサよりも小さい容量の補助コンデンサ、および第２ＬＣ共振用の補助インダクタを有する補助回路とを用い、
初期化期間、書込み期間および維持期間を有するサブフィールドの前記維持期間において前記表示電極対に維持パルスを交互に印加して駆動するプラズマディスプレイパネルの駆動方法であって、
前記補助コンデンサと前記補助インダクタとの前記第２ＬＣ共振によって前記補助コンデンサを充電することにより、前記補助コンデンサの電位を、前記維持パルスの立ち上がりの開始直前には前記回収コンデンサよりも高い電位にし、前記維持パルスの立ち下がりの開始直前には前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とするプラズマディスプレイパネルの駆動方法。
【請求項１４】
前記補助回路に、一方の端子を電源電位に他方の端子を前記補助インダクタにそれぞれ電気的に接続した電源側補助スイッチと、一方の端子を基準電位に他方の端子を前記補助インダクタにそれぞれ電気的に接続した基準電位側補助スイッチとを設け、
前記補助コンデンサの電位を上昇させるときには前記電源側補助スイッチを導通させ、前記補助コンデンサの電位を降下させるときには前記基準電位側補助スイッチを導通させることを特徴とする請求項１３に記載のプラズマディスプレイパネルの駆動方法。
【請求項１５】
前記補助回路に用いる電源電位および基準電位を表示画像に応じて制御することを特徴とする請求項１３に記載のプラズマディスプレイパネルの駆動方法。
【請求項１６】
前記補助コンデンサの電位を上昇させるときに前記電源側補助スイッチを導通させる時間、および前記補助コンデンサの電位を降下させるときに前記基準電位側補助スイッチを導通させる時間を表示画像に応じて制御することを特徴とする請求項１４に記載のプラズマディスプレイパネルの駆動方法。
【請求項１７】
容量性負荷に維持パルスを印加する維持パルス発生回路を備えた容量性負荷駆動装置であって、
前記維持パルス発生回路は、
第１ＬＣ共振用の回収インダクタと電力回収用の回収コンデンサと電力回収経路と電力供給経路とを有し、前記容量性負荷と前記回収インダクタとの前記第１ＬＣ共振によって、前記維持パルスの立ち下がり時に前記容量性負荷に蓄積された電力を前記電力回収経路を介して前記回収コンデンサに回収し、前記維持パルスの立ち上がり時にその回収した電力を前記電力供給経路を介して前記容量性負荷に供給し再利用する電力回収回路と、
前記回収コンデンサに直列に接続した補助コンデンサであって前記回収コンデンサよりも小さい容量の補助コンデンサ、第２ＬＣ共振用の補助インダクタ、前記補助コンデンサを第１の方向に充電する第１充電経路、および前記補助コンデンサを第２の方向に充電する第２充電経路を有する補助回路とを備え、
前記補助回路は、前記補助コンデンサと前記補助インダクタとの前記第２ＬＣ共振に基づき、前記維持パルスの立ち上がりの開始直前には前記補助コンデンサを第１の方向に充電状態にすることにより前記補助コンデンサの電位を前記回収コンデンサよりも高い電位にし、前記維持パルスの立ち下がりの開始直前には前記補助コンデンサを第２の方向に充電状態にすることにより前記補助コンデンサの電位を前記回収コンデンサよりも低い電位にして、前記維持パルスの立ち上がりおよび立ち下がりの開始直後には充電された前記補助コンデンサを放電することにより、前記回収インダクタに流れる電流を、前記第１ＬＣ共振によってのみ流れる電流よりも一時的に増加させることを特徴とする容量性負荷駆動装置。
【請求項１８】
主電力および補助電力を用いて、容量性負荷に維持パルスを印加し、容量性負荷を駆動する容量性負荷駆動装置であって、
前記主電力を充放電可能な主容量部と、
前記主容量部よりも小さい容量の蓄積部であって、前記補助電力を充放電可能な補助蓄積部と、
前記容量性負荷と第１ＬＣ共振する主誘導部と、
前記維持パルスの立ち下がり時に、前記第１ＬＣ共振に基づいて、前記容量性負荷から前記主誘導部を経由して前記主容量部へ、前記主電力を回収する経路を表す回収経路と、
前記維持パルスの立ち上がり時に、前記第１ＬＣ共振に基づいて、前記主容量部から前記主誘導部を経由して前記容量性負荷へ、回収された前記主電力を供給する経路を表す供給経路と、
前記補助蓄積部を含む経路であって、前記維持パルスの立ち下がりの開始直前には、前記主電力の回収動作を強める方向に、前記補助蓄積部を前記補助電力で充電状態にする経路を表す回収充電経路と、
前記維持パルスの立ち下がりの開始直後には、前記補助蓄積部において充電された前記補助電力を、前記主誘導部から前記補助蓄積部へ放電し、前記主電力の回収動作を急峻にする経路を表す回収放電経路と、
前記補助蓄積部を含む経路であって、前記維持パルスの立ち上がりの開始直前には、前記主電力の供給動作を強める方向に、前記補助蓄積部を前記補助電力で充電状態にする経路を表す供給充電経路と、
前記維持パルスの立ち上がりの開始直後には、前記補助蓄積部において充電された前記補助電力を、前記補助蓄積部から前記主誘導部へ放電し、前記主電力の供給動作を急峻にする経路を表す供給放電経路と、を有し、
前記回収経路は、前記回収放電経路の少なくとも一部を共有し、
前記供給経路は、前記供給放電経路の少なくとも一部を共有する、容量性負荷駆動装置。
【請求項１９】
さらに、前記主電力の少なくとも一部を前記容量性負荷へ供給し、前記容量性負荷の所定電極を主電位および基準電位に保持することが可能な保持回路を有する、請求項１８に記載の容量性負荷駆動装置。
【請求項２０】
前記回収経路は、前記保持回路において保持される保持電位が前記主電位から前記基準電位へ変化する間に、前記主電力を回収する経路を表し、
前記供給経路は、前記保持電位が前記基準電位から前記主電位へ変化する間に、前記主電力を供給する経路を表す、請求項１９に記載の容量性負荷駆動装置。
【請求項２１】
前記補助蓄積部は、容量性を有する補助容量部である、請求項１８に記載の容量性負荷駆動装置。
【請求項２２】
前記補助容量部は、第１副補助容量部および第２副補助容量部を含む、請求項２１に記載の容量性負荷駆動装置。
【請求項２３】
前記回収経路は、前記主誘導部と前記主容量部との間において、スイッチを含む、請求項１８に記載の容量性負荷駆動装置。
【請求項２４】
前記回収経路は、前記スイッチから前記主容量部へ、順方向に配置される第１ダイオードを含む、請求項２３に記載の容量性負荷駆動装置。
【請求項２５】
前記回収放電経路は、前記スイッチから前記補助蓄積部へ、順方向に配置される第２ダイオードを含む、請求項２３に記載の容量性負荷駆動装置。
【請求項２６】
前記供給経路は、前記主容量部と前記主誘導部との間において、スイッチを含む、請求項１８に記載の容量性負荷駆動装置。
【請求項２７】
前記供給経路は、前記主容量部から前記スイッチへ、順方向に配置される第１ダイオードを含む、請求項２６に記載の容量性負荷駆動装置。
【請求項２８】
前記供給放電経路は、前記補助蓄積部から前記スイッチへ、順方向に配置される第２ダイオードを含む、請求項２６に記載の容量性負荷駆動装置。
【請求項２９】
さらに、前記補助蓄積部と第２ＬＣ共振する補助誘導部を有する、請求項１８に記載の容量性負荷駆動装置。
【請求項３０】
前記回収充電経路は、前記第２ＬＣ共振に基づいて、前記主容量部の一端から、前記補助蓄積部および前記補助誘導部を経由して、前記主容量部の他端へ、前記補助電力を充電する経路を表す、請求項２９に記載の容量性負荷駆動装置。
【請求項３１】
前記回収充電経路は、前記補助誘導部と前記主容量部の他端との間において、スイッチを含む、請求項３０に記載の容量性負荷駆動装置。
【請求項３２】
前記供給充電経路は、前記第２ＬＣ共振に基づいて、前記補助電力を供給する補助電源から前記補助誘導部を経由して前記補助蓄積部へ、前記補助電力を充電する経路を表す、請求項２９に記載の容量性負荷駆動装置。
【請求項３３】
前記供給充電経路は、前記補助電源と前記補助誘導部との間において、スイッチを含む、請求項３２に記載の容量性負荷駆動装置。
【請求項３４】
第１電源および第２電源を用いて、容量性負荷を駆動する容量性負荷駆動装置であって、
前記第１電源から主電力を容量性負荷へ供給し、前記容量性負荷の所定電極を主電位および基準電位に保持する保持回路と、
主電力を一時的に蓄積する主容量部を含み、前記保持回路において保持される保持電位が主電位から基準電位への第１変化を行っている間に、前記容量性負荷から前記主容量部へ主電力を回収し、保持電位が基準電位から主電位への第２変化を行っている間に、回収された主電力を前記主容量部から前記容量性負荷へ供給する電力循環回路と、
前記主容量部よりも小さい容量の補助容量部であって、補助電力を一時的に蓄積する補助容量部を含み、前記第１変化が開始される直前には前記電力循環回路からの補助電力で前記補助容量部を充電状態にする一方、前記第２変化が開始される直前には前記第２電源からの補助電力で前記補助容量部を充電状態にする補助回路と、を有し、
前記電力循環回路は、前記第１変化および前記第２変化の開始直後には前記補助容量部から補助電力を放電することにより、主電力の回収動作および供給動作を急峻にする、容量性負荷駆動装置。
【請求項３５】
前記補助容量部の一端は、前記主容量部の一端に接続される、請求項３４に記載の容量性負荷駆動装置。
【請求項３６】
前記補助回路は、前記第１変化の開始直前に、前記補助容量部の他端の電位を、前記主容量部の一端の電位よりも低く設定し、前記第２変化の開始直前に、前記補助容量部の他端の電位を、前記主容量部の一端の電位よりも高く設定する、請求項３５に記載の容量性負荷駆動装置。
【請求項３７】
前記補助回路は、前記補助容量部の他端に接続される補助誘導部を含み、
前記補助誘導部は、前記補助容量部との共振動作を行う、請求項３５に記載の容量性負荷駆動装置。
【請求項３８】
前記補助回路は、前記補助容量部と前記補助誘導部との共振周期の半分が、保持電位が保持される期間以下になるように、前記補助容量部の容量および前記補助誘導部のインダクタンスを設定した、請求項３７に記載の容量性負荷駆動装置。
【請求項３９】
前記補助回路は、
前記補助容量部の他端から前記電力循環回路へ、順方向に接続される第１ダイオードと、
前記電力循環回路から前記補助容量部の他端へ、順方向に接続される第２ダイオードと、を含む、請求項３５に記載の容量性負荷駆動装置。
【請求項４０】
前記補助回路は、前記主容量部の一端および前記補助容量部の一端に接続されるチャージポンプ回路を含み、
前記チャージポンプ回路は、前記補助容量部の一端の電位を切換えることにより、チャージポンプする、請求項３５に記載の容量性負荷駆動装置。
【請求項４１】
前記補助回路は、前記補助容量部の容量を、前記主容量部の容量の１０分の１以下に設定した、請求項３５に記載の容量性負荷駆動装置。
【請求項４２】
前記補助回路は、
補助電力を一時的に蓄積する補助蓄積回路と、
前記補助蓄積回路に接続されるスイッチ部と、を含み、
前記スイッチ部は、前記補助蓄積回路を前記第２電源に接続して補助電位に設定する、請求項３４に記載の容量性負荷駆動装置。
【請求項４３】
前記補助蓄積回路は、補助容量部を含む、請求項４２に記載の容量性負荷駆動装置。
【請求項４４】
前記スイッチ部は、
導通時に前記補助蓄積回路を補助電位に設定する第１スイッチと、
導通時に前記補助蓄積回路を基準電位に設定する第２スイッチと、を含む、請求項４２に記載の容量性負荷駆動装置。
【請求項４５】
前記補助蓄積回路は、第１副補助蓄積回路および第２副補助蓄積回路を含む、請求項４２に記載の容量性負荷駆動装置。
【請求項４６】
前記第１副補助蓄積回路は、第１副補助容量部を含み、
前記第２副補助蓄積回路は、第２副補助容量部を含む、請求項４５に記載の容量性負荷駆動装置。
【請求項４７】
前記スイッチ部は、
導通時に前記第１副補助蓄積回路を補助電位に設定する第１スイッチと、
導通時に前記第２副補助蓄積回路を基準電位に設定する第２スイッチと、を含む、請求項４６に記載の容量性負荷駆動装置。
【請求項４８】
前記第１副補助蓄積回路は、第１補助容量部および第２補助容量部を含み、
前記第２副補助蓄積回路は、第２副補助容量部を含む、請求項４５に記載の容量性負荷駆動装置。
【請求項４９】
前記スイッチ部は、
導通時に前記第１副補助蓄積回路を補助電位または基準電位に設定する第１スイッチと、
導通時に前記第２副補助蓄積回路を補助電位または基準電位に設定する第２スイッチと、を含む、請求項４８に記載の容量性負荷駆動装置。
【請求項５０】
前記補助回路は、補助電位または基準電位を、表示画像に応じて変化させる、請求項４２に記載の容量性負荷駆動装置。
【請求項５１】
前記スイッチ部は、補助電位または基準電位に設定している期間を、表示画像に応じて変化させる、請求項４２に記載の容量性負荷駆動装置。
【請求項５２】
請求項１８に記載の容量性負荷駆動装置を用いる、プラズマディスプレイ装置。
【請求項５３】
請求項３４に記載の容量性負荷駆動装置を用いる、プラズマディスプレイ装置。
【請求項５４】
第１電源および第２電源を用いて、容量性負荷を駆動するプラズマディスプレイパネルの駆動方法であって、
前記第１電源から主電力を容量性負荷へ供給し、前記容量性負荷の所定電極を主電位および基準電位に保持するステップと、
主電力を一時的に蓄積する主容量部を用い、保持される保持電位が主電位から基準電位への第１変化を行っている間に、前記容量性負荷から前記主容量部へ主電力を回収し、保持電位が基準電位から主電位への第２変化を行っている間に、回収された主電力を前記主容量部から前記容量性負荷へ供給するステップと、
前記主容量部よりも小さい容量の補助容量部であって、補助電力を一時的に蓄積する補助容量部を用い、前記第１変化が開始される直前には前記主容量部からの補助電力で前記補助容量部を充電状態にする一方、前記第２変化が開始される直前には前記第２電源からの補助電力で前記補助容量部を充電状態にするステップと、を有し、
前記回収および供給するステップは、前記第１変化および前記第２変化の開始直後には前記補助容量部から補助電力を放電することにより、主電力の回収動作および供給動作を急峻にする、プラズマディスプレイパネルの駆動方法。
【請求項５５】
前記補助容量部を充電するステップは、前記第１変化の開始直前に、前記補助容量部の電位を、前記主容量部の電位よりも低く設定し、前記第２変化の開始直前に、前記補助容量部の電位を、前記主容量部の電位よりも高く設定する、請求項５４に記載のプラズマディスプレイパネルの駆動方法。
【請求項５６】
前記補助容量部を充電するステップは、前記第２電源からの補助電位に設定する、請求項５４に記載のプラズマディスプレイパネルの駆動方法。
【請求項５７】
前記補助容量部を充電するステップは、補助電位または基準電位を、表示画像に応じて変化させる、請求項５６に記載のプラズマディスプレイパネルの駆動方法。
【請求項５８】
前記補助容量部を充電するステップは、補助電位または基準電位に設定している期間を、表示画像に応じて変化させる、請求項５６に記載のプラズマディスプレイパネルの駆動方法。
【手続補正３】
【補正対象書類名】図面
【補正対象項目名】全図
【補正方法】変更
【補正の内容】
【図１】
2009098879.tif 000021
【図２】
2009098879.tif 000022
【図３】
2009098879.tif 000023
【図４】
2009098879.tif 000024
【図５】
2009098879.tif 000025
【図６】
2009098879.tif 000026
【図７】
2009098879.tif 000027
【図８】
2009098879.tif 000028
【図９】
2009098879.tif 000029
【図１０】
2009098879.tif 000030
【図１１】
2009098879.tif 000031
【図１２】
2009098879.tif 000032
【図１３】
2009098879.tif 000033
【図１４】
2009098879.tif 000034
【図１５】
2009098879.tif 000035
【図１６】
2009098879.tif 000036
【図１７】
2009098879.tif 000037
【図１８】
2009098879.tif 000038
【国際調査報告】
2009098879.tif 000039
2009098879.tif 000040
2009098879.tif 000041
2009098879.tif 000042